(57)【要約】本発明は、新規なプロテインキナーゼファミリーメンバーをコードする単離された核酸分子（６９５８３核酸分子および８５９２４核酸分子と称される）を提供する。本発明はまた、アンチセンス核酸分子、６９５８３核酸分子または８５９２４核酸分子を含む組換え発現ベクター、発現ベクターが導入された宿主細胞、および非ヒトトランスジェニック動物（ここで６９５８３遺伝子または８５９２４遺伝子が、導入されるか破壊されている）を提供する。本発明はなおさらに、単離された６９５８３タンパク質もしくは８５９２４タンパク質、融合タンパク質、抗原性ペプチドおよび抗６９５８３抗体もしくは抗８５９２４抗体を提供する。本発明の組成物を利用する診断方法および治療方法もまた提供される。【特許請求の範囲】
【請求項１】
以下：
ａ．  配列番号１、配列番号３、配列番号４または配列番号６のヌクレオチド配列に少なくとも７０％同一なヌクレオチド配列を含む核酸分子；
ｂ．配列番号１もしくは配列番号４のヌクレオチド配列の少なくとも５３５０ヌクレオチドのフラグメント、または配列番号３もしくは配列番号６のヌクレオチドの少なくとも４１８０ヌクレオチドのフラグメントを含む核酸分子；
ｃ．配列番号２または配列番号５のアミノ酸配列を含むポリペプチドをコードする核酸分子；および
ｄ．配列番号２または配列番号５のアミノ酸配列を含むポリペプチドの天然に存在する対立遺伝子改変体をコードする核酸分子であって、ここで該核酸分子が、ストリンジェントな条件下で、配列番号１、３、４もしくは６を含む核酸分子またはその相補体にハイブリダイズする、核酸分子、
からなる群から選択される、単離された核酸分子。
【請求項２】
配列番号１、配列番号３、配列番号４または配列番号６のヌクレオチド配列に少なくとも８０％同一である、請求項１に記載の単離された核酸分子。
【請求項３】
配列番号１、配列番号３、配列番号４または配列番号６のヌクレオチド配列に少なくとも９０％同一である、請求項１に記載の単離された核酸分子。
【請求項４】
以下：
ａ．配列番号１、配列番号３、配列番号４または配列番号６のヌクレオチド配列を含む核酸；および
ｂ．配列番号２または配列番号５のアミノ酸配列を含むポリペプチドをコードする核酸分子、
からなる群から選択される、請求項１に記載の単離された核酸分子。
【請求項５】
ベクター核酸配列をさらに含む、請求項１に記載の核酸分子。
【請求項６】
異種ポリペプチドをコードする核酸配列をさらに含む、請求項１に記載の核酸分子。
【請求項７】
請求項１に記載の核酸分子を含む、宿主細胞。
【請求項８】
哺乳動物宿主細胞である、請求項７に記載の宿主細胞。
【請求項９】
請求項１に記載の核酸分子を含む、非ヒト哺乳動物宿主細胞。
【請求項１０】
以下：
ａ．配列番号１、配列番号３、配列番号４または配列番号６のヌクレオチド配列を含む核酸に少なくとも７０％同一であるヌクレオチド配列またはその相補体を含む核酸分子によりコードされるポリペプチド；および
ｂ．配列番号２のアミノ酸配列を含むポリペプチドの天然に存在する対立遺伝子改変体であって、ここで該ポリペプチドが、配列番号１、配列番号３、配列番号４または配列番号６を含む核酸分子にハイブリダイズする核酸分子によりコードされる、対立遺伝子改変体、
からなる群から選択される、単離されたポリペプチド。
【請求項１１】
請求項１０に記載の単離されたポリペプチドであって、配列番号１、配列番号３、配列番号４もしくは配列番号６のヌクレオチド配列を含む核酸に対して少なくとも８０％同一であるヌクレオチド配列、またはその相補体を含む核酸分子によりコードされるポリペプチドを含む、単離されたポリペプチド。
【請求項１２】
請求項１０に記載の単離されたポリペプチドであって、配列番号１、配列番号３、配列番号４もしくは配列番号６のヌクレオチド配列を含む核酸に対して少なくとも９０％同一であるヌクレオチド配列、またはその相補体を含む核酸分子によりコードされるポリペプチドを含む、単離されたポリペプチド。
【請求項１３】
配列番号２または配列番号５のアミノ酸配列を含む、請求項１０に記載の単離されたポリペプチド。
【請求項１４】
異種アミノ酸配列をさらに含む、請求項１０に記載のポリペプチド。
【請求項１５】
請求項１０のポリペプチドに選択的に結合する、抗体。
【請求項１６】
モノクローナル抗体である、請求項１５に記載の抗体。
【請求項１７】
以下：
ａ．  ｓｃＦＶフラグメント；
ｂ．  ｄｃＦＶフラグメント；
ｃ．  Ｆａｂフラグメント；および
ｄ．Ｆ（ａｂ’）２フラグメント、
からなる群から選択される、免疫学的に活性な部分を含む、請求項１６に記載の抗体。
【請求項１８】
以下：
ａ．  キメラ抗体；
ｂ．  ヒト化抗体；
ｃ．  ヒト抗体；
ｄ．  非ヒト抗体；および
ｅ．  単鎖抗体、
からなる群から選択される、請求項１６に記載の抗体。
【請求項１９】
以下：
ａ．配列番号２または配列番号５のアミノ酸配列を含むポリペプチド；および
ｂ．配列番号２または配列番号５のアミノ酸配列を含むポリペプチドの天然に存在する対立遺伝子改変体であって、ここで該ポリペプチドは、ストリンジェントな条件下で、配列番号１、配列番号３、配列番号４または配列番号６を含む核酸分子またはその相補体にハイブリダイズする核酸分子またはその相補体によりコードされる、天然に存在する対立遺伝子改変体、
からなる群から選択されるポリペプチドを産生する方法であって、
該方法は、前記核酸分子が発現される条件下で、請求項７に記載の宿主細胞を培養する工程を包含する、方法。
【請求項２０】
サンプル中の請求項１０に記載のポリペプチドの存在を検出するための方法であって、該方法は、以下の工程：
該サンプルを、請求項１０に記載のポリペプチドと選択的に結合する化合物と接触させる工程；および
該化合物が該サンプル中のポリペプチドと結合するか否かを決定する工程、
を包含する、方法。
【請求項２１】
前記ポリペプチドに結合する化合物が、抗体である、請求項２０に記載の方法。
【請求項２２】
請求項１０に記載のポリペプチドに選択的に結合する化合物および使用のための指示書を備える、キット。
【請求項２３】
サンプル中の請求項１に記載の核酸分子の存在を検出するための方法であって、該方法は、以下の工程：
該サンプルを、該核酸分子と選択的にハイブリダイズする核酸プローブまたはプライマーと接触させる工程；および
該核酸プローブまたはプライマーが、該サンプル中の核酸分子と結合するか否かを決定する工程、
を包含する、方法。
【請求項２４】
前記サンプルが、ｍＲＮＡ分子を含み、そして核酸プローブと接触される、請求項２３に記載の方法。
【請求項２５】
請求項１に記載の核酸分子に選択的にハイブリダイズする化合物、および使用のための指示書を備える、キット。
【請求項２６】
請求項１０に記載のポリペプチドに結合する化合物を同定するための方法であって、該方法は、以下の工程：
ポリペプチド、または請求項１２に記載のポリペプチドを発現する細胞を、試験化合物と接触させる工程；および
該ポリペプチドが、該試験化合物に結合するか否かを決定する工程、
を包含する、方法。
【請求項２７】
請求項２６に記載の方法であって、ここで、前記試験化合物の前記ポリペプチドに対する結合が、以下：
ａ．  試験化合物／ポリペプチド結合の直接的検出による結合の検出；
ｂ．  競合結合アッセイを使用する結合の検出；および
ｃ．６９５８３媒介シグナル伝達または８５９２４媒介シグナル伝達についてのアッセイを使用する結合の検出、
からなる群から選択される方法により検出される、方法。
【請求項２８】
請求項１０に記載のポリペプチドの活性を調節するための方法であって、該方法は、請求項１０に記載のポリペプチドまたは請求項１０に記載のポリペプチドを発現する細胞を、該ポリペプチドの活性を調節するために十分な濃度で、該ポリペプチドに結合する化合物と接触させる工程を包含する、方法。
【請求項２９】
請求項１０に記載のポリペプチドの活性を調節する化合物を同定するための方法であって、該方法は、以下：
請求項１０に記載のポリペプチドを、試験化合物と接触させる工程；および
該ポリペプチドの活性に対する該試験化合物の効果を決定して、それにより該ポリペプチドの活性を調節する化合物を同定する、工程、
を包含する、方法。
【発明の詳細な説明】
【技術分野】
【０００１】
（関連出願の引用）
本出願は、米国特許仮出願番号６０／３３８，６９０（２００１年１０月２４日出願、その内容は、本明細書中に参考として援用される）の利益を主張する。
【背景技術】
【０００２】
（発明の背景）
タンパク質と密接に結合したホスフェートは、１９世紀後半から公知である。その後、タンパク質に対するホスフェートの種々の共有結合が見出されている。最も一般的なものには、セリン、スレオニン、およびチロシンに対するホスフェートのエステル化があり、少数が、リジン、アルギニン、ヒスチジン、アスパラギン酸、グルタミン酸およびシステインに結合される。リン酸化タンパク質の出現は、タンパク質上のアミノ酸残基をリン酸化し得る１つ以上のプロテインキナーゼの存在、およびまたタンパク質上のリン酸化アミノ酸残基を加水分解し得るプロテインホスファターゼの存在を示唆する。
【０００３】
プロテインキナーゼは、細胞増殖および分裂に関連する、生化学的変化および形態変化の調節において重要な役割を果たす（Ｄ’Ｕｒｓｏ，Ｇ．ら（１９９０）Ｓｃｉｅｎｃｅ  ２５０：７８６−７９１；Ｂｉｒｃｈｍｅｉｅｒ．Ｃ．ら（１９９３）Ｂｉｏｅｓｓａｙｓ  １５：１８５−１８９）。それらは、増殖因子レセプターおよびシグナル伝達物質として働き、細胞のトランスフォーメーションおよび悪性疾患に関連している（Ｈｕｎｔｅｒ，Ｔ．ら（１９９２）Ｃｅｌｌ  ７０：３７５−３８７；Ｐｏｓａｄａ，Ｊ．ら（１９９２）Ｍｏｌ．Ｂｉｏｌ．Ｃｅｌｌ  ３：５８３−５９２；Ｈｕｎｔｅｒ，Ｔ．ら（１９９４）Ｃｅｌｌ  ７９：５７３−５８２）。例えば、プロテインキナーゼは、増殖因子レセプターからのシグナル伝達（Ｓｔｕｒｇｉｌｌ，Ｔ．Ｗ．ら（１９８８）Ｎａｔｕｒｅ  ３４４：７１５−７１８；Ｇｏｍｅｚ，Ｎ．ら（１９９１）Ｎａｔｕｒｅ  ３５３：１７０−１７３）、細胞が有糸分裂状態に入ることの制御（Ｎｕｒｓｅ，Ｐ．（１９９０）Ｎａｔｕｒｅ  ３４４：５０３−５０８；Ｍａｌｌｅｒ，Ｊ．Ｌ．（１９９１）Ｃｕｒｒ．Ｏｐｉｎ．Ｃｅｌｌ  Ｂｉｏｌ．３：２６９−２７５）およびアクチンの束形成（ｂｕｎｄｌｉｎｇ）の調節（Ｈｕｓａｉｎ−Ｃｈｉｓｈｔｉ，Ａ．ら（１９８８）Ｎａｔｕｒｅ  ３３４：７１８−７２１）に関与することが示されている。プロテインキナーゼは、アミノ酸配列の類似性、またはセリン／スレオニンもしくはチロシン残基のいずれかに対する特異性のいずれかに基づいて、２つの大きな群に分けられ得る。少数の二重特異性キナーゼは、セリン／スレオニン特異的群に構造的に類似している。広い分類内では、キナーゼは、そのメンバーが、高い程度の触媒性ドメインアミノ酸配列同一性を共有し、類似の生化学的特性もまた有するファミリーにさらに下位分類され得る。大部分のプロテインキナーゼファミリーのメンバーはまた、それらの特定の細胞役割を反映するキナーゼドメイン以外に構造的特徴を共有する。これらとしては、キナーゼ活性または他のタンパク質との相互作用を制御する調節ドメインが挙げられる（Ｈａｎｋｓ，Ｓ．Ｋ．ら（１９８８）Ｓｃｉｅｎｃｅ  ２４１：４２−５２）。
【０００４】
細胞外シグナル調節キナーゼ／マイトジェン活性化プロテインキナーゼ（ＥＲＫ／ＭＡＰＫ）およびサイクリン指向性キナーゼ（Ｃｄｋ）は、セリン−スレオニンキナーゼの２つの大きなファミリーを代表する（Ｓｏｎｇｙａｎｇら（１９９６）Ｍｏｌ．Ｃｅｌｌ．Ｂｉｏｌ．１６：６４８６−６４９３を参照のこと）。両方の型のキナーゼが、細胞外刺激に応答して、細胞増殖、細胞分裂、および細胞分化において機能する。ＥＲＫ／ＭＡＰＫファミリーメンバーは、細胞内シグナル伝達経路に関与する重要なものである。上流活性化因子およびＥＲＫ／ＭＡＰＫ成分は、成長因子もしくはホルモンとの細胞の接触後に、または細胞ストレッサー（例えば、熱、紫外光および炎症性サイトカイン）に応答して、リン酸化される。これらのキナーゼは、上流キナーゼにより形質膜から細胞質まで中継されたメッセージを、核に輸送し、ここでこれらは、転写因子をリン酸化し、そして遺伝子転写調節を行う（Ｋａｒｉｎら、（１９９５）Ｃｕｒｒ．Ｂｉｏｌ．５：７４７−７５７）。ＥＲＫ／ＭＡＰＫファミリーの基質としては、ｃ−ｆｏｓ、ｃ−ｊｕｎ、ＡＰＦ２、およびＥＴＳのファミリーメンバーであるＥｌｋ１、Ｓａｐ１ａ、およびｃ−Ｅｔｓ−１が挙げられる（Ｂｒｏｔｔら（１９９８）Ｐｒｏｃ．Ｎａｔｌ．Ａｃａｄ．Ｓｃｉ．ＵＳＡ９５：９６３−９６８に引用される）。
【０００５】
セリン／スレオニンキナーゼのＥＲＫ／ＭＡＰＫファミリーのメンバーを使用するシグナル伝達経路は、真核生物間で広く保存されている。これらの経路の多様性は、細胞増殖からアポトーシスにいたる広範な一連の応答を開始することによる多様な細胞外刺激に、この細胞が応答することを可能にする。ＥＲＫ／ＭＡＰＫ経路は、３層のコアシグナル伝達モジュールから構成され、ここでＥＲＫ／ＭＡＰＫは、ＭＡＰＫ／ＥＲＫキナーゼ（ＭＥＫ）により調節され、次いでＭＥＫが、ＭＡＰＫキナーゼキナーゼ（ＭＡＰＫＫＫ）により調節される。哺乳動物ストレス活性化ＥＲＫ／ＭＡＰＫ経路は、多数の重要な生理学的機能（細胞成長および細胞増殖、炎症性応答、ならびにアポトーシスを含む）に関与してきた。例えば、腫瘍プロモーターであるマイトジェン成長因子または形質転換によるＥＲＫ１、２シグナル伝達経路の活性化は、線維芽細胞におけるデコリン遺伝子発現を抑制し、これが次いで、正常細胞および悪性細胞の増殖および遊走を促進し得る（Ｌａｉｎｅら、（２０００）Ｂｉｏｃｈｅｍ．Ｊ．３４９：１９−２５）。
【０００６】
Ｃｄｋは、細胞周期の連続した段階間の移行を調節する。これらの分子の活性は、リン酸化事象により、そしてサイクリンとの結合により制御される。Ｃｄｋ活性は、阻害性低分子の結合によりネガティブに調節される（Ｄｙｎｌａｃｈｔ（１９９７）Ｎａｔｕｒｅ３８９：１４８−１５２）。Ｃｄｋ標的としては、種々の転写活性化因子（例えば、ｐ１１０Ｒｂ、ｐ１０７）、および転写因子（例えば、ｐ５３、Ｅ２ＦおよびＲＮＡポリメラーゼＩＩ）、ならびに種々の細胞骨格タンパク質および細胞質シグナル伝達タンパク質が挙げられる（Ｂｒｏｔｔら（１９９８）Ｐｒｏｃ．Ｎａｔｌ．Ａｃａｄ．Ｓｃｉ．ＵＳＡ９５：９６３−９６８に引用される）。
【０００７】
プロテインキナーゼは、細胞成長、特に細胞の増殖、分化およびアポトーシスに関するシグナルの伝達において重要な役割を果たす。従って、新規なプロテインキナーゼポリヌクレオチドおよびタプロテインキナーゼンパク質は、細胞の増殖、分化および／または発達を調節するために有用である。
【発明の開示】
【課題を解決するための手段】
【０００８】
（発明の要旨）
本発明は、２つの新規なプロテインキナーゼファミリーメンバー（本明細書中で「６９５８３」および「８５９２４」と呼ばれる）の発見に一部基づく。６９５８３をコードするｃＤＮＡのヌクレオチド配列は、配列番号１に示され、そして６９５８３ポリペプチドのアミノ酸配列は、配列番号２に示される。さらに、６９５８３のコード領域のヌクレオチド配列は、配列番号３に示される。８５９２４をコードするｃＤＮＡのヌクレオチド配列は、配列番号４に示され、そして８５９２４ポリペプチドのアミノ酸配列は、配列番号５に示される。さらに、８５９２４のコード領域のヌクレオチド配列は、配列番号６に示される。
【０００９】
従って、１つの局面において、本発明は、６９５８３タンパク質もしくは８５９２４タンパク質または６９５８３ポリペプチドもしくは８５９２４ポリペプチド（例えば、この６９５８３タンパク質または８５９２４タンパク質の生物学的に活性な部分）をコードする核酸分子を特徴とする。好ましい実施形態において、単離された核酸分子は、配列番号２または配列番号５のアミノ酸配列を有するポリペプチドをコードする。他の実施形態において、本発明は、単離された６９５８３核酸分子または８５９２４核酸分子を提供し、これらの核酸分子は、配列番号１、配列番号３、配列番号４または配列番号６において示されるヌクレオチド配列を有する。なお他の実施形態において、本発明は、配列番号１、配列番号３、配列番号４または配列番号６に示されるヌクレオチド配列に対して実質的に同一な核酸分子（例えば、天然に存在する対立遺伝子改変体）を提供する。他の実施形態において、本発明は、本明細書中に記載されるストリンジェントなハイブリダイゼーション条件下で、配列番号１、配列番号３、配列番号４または配列番号６のヌクレオチド配列を含む核酸分子にハイブリダイズする核酸分子を提供し、ここでこの核酸は、全長６９５８３タンパク質もしくは８５９２４タンパク質またはその活性フラグメントをコードする。
【００１０】
関連する局面において、本発明は、本明細書中に記載される６９５８３核酸分子または８５９２４核酸分子を含む核酸構築物をさらに提供する。特定の実施形態において、本発明の核酸分子は、ネイティブの調節配列または異種調節配列に作動可能に連結される。本発明の６９５８３核酸分子または８５９２４核酸分子を含むベクターおよび宿主細胞（例えば、ポリペプチドの産生に適切なベクターおよび宿主細胞）もまた含まれる。
【００１１】
別の関連した局面において、本発明は、６９５８３コード核酸または８５９２４コード核酸の検出のためのプライマーまたはハイブリダイゼーションプローブとして適切な核酸フラグメントを提供する。
【００１２】
なお別の関連局面において、６９５８３コード核酸分子または８５９２４コード核酸分子に対してアンチセンスである単離された核酸分子が提供される。
【００１３】
別の局面において、本発明は、６９５８３ポリペプチドまたは８５９２４ポリペプチド、およびその生物学的に活性なフラグメントまたは抗原性フラグメントを特徴とし、これらは、例えば、プロテインキナーゼ関連障害または他の６９５８３関連障害もしくは８５９２４関連障害の処置および診断に適用可能なアッセイにおける試薬または標的として有用である。別の実施形態において、本発明は、６９５８３活性または８５９２４活性を有する６９５８３タンパク質および８５９２４タンパク質を提供する。好ましいポリペプチドは、少なくとも１つのプロテインキナーゼドメインを含む６９５８３タンパク質および８５９２４タンパク質であり、そして好ましくは、６９５８３活性または８５９２４活性（例えば、本明細書中に記載されるような６９５８３活性または８５９２４活性）を有する。
【００１４】
他の実施形態において、本発明は、６９５８３ポリペプチドおよび８５９２４ポリペプチドを提供し、例えば、以下のアミノ酸配列を有する６９５８３ポリペプチドまたは８５９２４ポリペプチドである：配列番号２または配列番号５に示されるアミノ酸配列；配列番号２または配列番号５に示されるアミノ酸配列と実質的に同一なアミノ酸配列；または本明細書中に記載されるようなストリンジェントなハイブリダイゼーション条件下で、配列番号１、配列番号３、配列番号４または配列番号６のヌクレオチド配列を含む核酸分子にハイブリダイズするヌクレオチド配列を有する核酸分子によりコードされるアミノ酸配列（ここで、この核酸は、全長６９５８３タンパク質もしくは全長８５９２４タンパク質またはその活性なフラグメントをコードする）。
【００１５】
関連局面において、本発明は、本明細書中に記載される６９５８３核酸分子および８５９２４核酸分子を含む核酸構築物をさらに提供する。
【００１６】
関連局面において、本発明は、融合タンパク質を形成するための、６９５８３ポリペプチドおよび８５９２４ポリペプチドまたは非６９５８３ポリペプチドおよび非８５９２４ポリペプチドに作動可能に連結されたフラグメントを提供する。
【００１７】
別の局面において、本発明は、抗体およびその抗原結合フラグメントを特徴とし、これは、６９５８３ポリペプチドまたは８５９２４ポリペプチドと反応するか、より好ましくは、特異的もしくは選択的に６９５８３ポリペプチドまたは８５９２４ポリペプチドと結合する。
【００１８】
別の局面では、本発明は、６９５８３または８５９２４のポリペプチドまたは核酸の発現または活性を調節する化合物についてスクリーニングする方法を提供する。
【００１９】
なお別の局面では、本発明は、例えば、本明細書中で記載されるスクリーニングにおいて同定される化合物を用いて、６９５８３または８５９２４のポリペプチドまたは核酸の発現または活性を調節するためのプロセスを提供する。特定の実施形態では、この方法は、６９５８３または８５９２４のポリペプチドまたは核酸の異常な活性または発現に関連する状態（例えば、プロテインキナーゼの異常かまたは欠損した機能または発現に関与する状態または障害）の処置を包含する。このような障害の例としては、以下が挙げられるがこれらに限定されない：呼吸器障害、細胞増殖性障害および／もしくは細胞分化障害、肺の障害、卵巣の障害、腎臓の障害、膵臓の障害、骨格筋障害、結腸障害、胸部障害、脳障害、視床下部の障害、下垂体の障害、前立腺障害、骨代謝に関連した障害、免疫（例えば、炎症）障害、心臓血管障害（内皮細胞障害を包含する）、肝臓障害、ウイルス疾患、疼痛または代謝障害。
【００２０】
本発明はまた、疾患の診断を含め、生物学的サンプル中の６９５８３または８５９２４のポリペプチドまたは核酸分子の活性またはそれらの存在もしくは不在を決定するためのアッセイを提供する。
【００２１】
さらなる局面では、本発明は、疾患の診断を含め、６９５８３または８５９２４のポリペプチドまたは核酸分子における遺伝的改変の存在または不在を決定するためのアッセイを提供する。
【００２２】
別の局面では、本発明は、複数のアドレスを有する二次元アレイを特徴とし、この複数のアドレスの各々は、互いに複数のアドレスから位置が識別され得、そして複数のアドレスの各々は、独特の捕捉プローブ（例えば、核酸配列またはペプチド配列）を有する。
複数のアドレスのうちの少なくとも１つは、６９５８３分子または８５９２４分子を認識する捕捉プローブを有する。１つの実施形態では、この捕捉プローブは、核酸（例えば、６９５８３核酸配列または８５９２４核酸配列に相補的なプローブ）である。別の実施形態では、この捕捉プローブは、ポリペプチド（例えば、６９５８３ポリペプチドまたは８５９２４ポリペプチドに特異的な抗体）である。また特徴とするのは、サンプルを上記のアレイと接触させ、そしてこのアレイに対するこのサンプルの結合を検出することによって、このサンプルを分析する方法である。
【００２３】
本発明の他の特徴および利点は、以下の詳細な説明および特許請求の範囲から明らかである。
【００２４】
（発明の詳細な説明）
（ヒト６９５８３）
ヒト６９５８３配列（配列番号１）は、非翻訳領域を含めて約５５４９ヌクレオチド長であり、終結コドンを含め、約３１１１ヌクレオチド（配列番号１のヌクレオチド１〜３１１１；配列番号３のヌクレオチド１〜３１１１）の推定メチオニン開始コード配列を含む。このコード配列は、１０３６アミノ酸のタンパク質（配列番号２）をコードする。
【００２５】
ヒト６９５８３は、以下の領域または他の構造的特徴を含む（ＰＦＡＭ識別名、ＰＳという接頭語およびＰＦという接頭語のドメイン同定番号に関する一般的情報については、Ｓｏｎｎｈａｍｍｅｒら（１９９７）Ｐｒｏｔｅｉｎ  ２８：４０５−４２０を参照のこと）：
配列番号２のアミノ酸残基約４１〜１００に位置する、Ｓｒｃ相同性３ドメイン（本明細書中でＳＨ３ドメインという）（ＰＦＡＭ登録番号ＰＦ０００１８；配列番号７）；配列番号２のアミノ酸残基約１２４〜３９８に位置するプロテインキナーゼドメイン（ＰＦＡＭ登録番号ＰＦ０００６９；配列番号８）；配列番号２のアミノ酸約５８〜約６０、約１６７〜約１６９、約２８４〜約２８６、約２９９〜約３０１、約５６４〜約５６６、約７７０〜約７７２、約８０８〜約８１０、約８４５〜約８４７、約８８２〜約８８４、約９３２〜約９３４、約９４９〜約９５１および約１０２２〜約１０２４に位置する、１２個のプロテインキナーゼＣリン酸化部位（Ｐｒｏｓｉｔｅ  ＰＳ００００５）；配列番号２のアミノ酸約７５〜約７８、約３６８〜約３７１、約３９９〜約４０２、約４１６〜約４１９、約４４１〜約４４４、約４５５〜約４５８、約５６０〜約５６３、約６４３〜約６４６、約６８８〜約６９１、約７８３〜約７８６、約８４５〜約８４８、約８９３〜約８９６、約９５２〜約９５５、約９９８〜約１００１および約１０２６〜約１０２９に位置する、１５個のカゼインキナーゼＩＩリン酸化部位（Ｐｒｏｓｉｔｅ  ＰＳ００００６）；配列番号２のアミノ酸約５３３〜約５３６、約７１６〜約７１９および約９３４〜９３７に位置する、３個のｃＡＭＰ／ｃＧＭＰ依存性プロテインキナーゼリン酸化部位（Ｐｒｏｓｉｔｅ  ＰＳ００００４）；配列番号２のアミノ酸約２８２〜約２８５、約５３８〜約５４１および約５６５〜約５６８に位置する、３個のＮ−グルコシル化部位（Ｐｒｏｓｉｔｅ  ＰＳ００００１）；配列番号２のアミノ酸約５〜１０、約１８〜約２３、約３３〜約３８、約４１〜約４６、約９０〜約９５、約１４５〜約１５０、約２０５〜約２１０、約３４９〜約３５４、約３５５〜約３６０、約４０３〜約４０８および約７８４〜約７８９に位置する、１１個のＮ−ミリストイル化部位（Ｐｒｏｓｉｔｅ  ＰＳ００００８）；配列番号２のアミノ酸約３２３〜約３３０および約７１６〜約７２４に位置する、２個のチロシンキナーゼリン酸化部位（Ｐｒｏｓｉｔｅ  ＰＳ００００７）；配列番号２のアミノ酸約１３０〜約１５１に位置する、１個のプロテインキナーゼＡＴＰ−結合領域シグネチャー（ｓｉｇｎａｔｕｒｅ）（Ｐｒｏｓｉｔｅ  ＰＳ００１０７）、ならびに配列番号２のアミノ酸約２５９〜約２７１に位置する、１つのセリン／トレオニンプロテインキナーゼ活性部位シグネチャー（ＰＳ００１０８）。
【００２６】
（ヒト８５９２４）
ヒト８５９２４配列（配列番号４）は、非翻訳領域を含め、約７８２５ヌクレオチド長であり、終結コドンを含め、約６５８２ヌクレオチド（配列番号４のヌクレオチド６７〜６６４８；配列番号６のヌクレオチド１〜６５８２）の推定メチオニン開始コード配列を含む。このコード配列は、２１９３アミノ酸タンパク質（配列番号５）をコードする。
【００２７】
ヒト８５９２４は、以下の領域または他の構造的特徴を含む（ＰＦＡＭ識別名、ＰＳという接頭語およびＰＦという接頭語のドメイン同定番号に関する一般的情報については、Ｓｏｎｎｈａｍｍｅｒら（１９９７）Ｐｒｏｔｅｉｎ  ２８：４０５−４２０を参照のこと）：
配列番号５のアミノ酸残基約１８１〜４３９に位置する、プロテインキナーゼドメイン（ＰＦＡＭ登録番号ＰＦ０００６９：配列番号９）；配列番号５のアミノ酸約６７〜約６９、約１３６〜約１３８、約１５４〜約１５６、約１９１〜約１９３、約２５０〜約２５２、約２６８〜約２７０、約３２３〜約３２５、約３３３〜約３３５、約５１７〜約５１９、約１０７９〜約１０８１、約１１０８〜約１１１０、約１１４９〜約１１５１、約１２４２〜約１２４４、約１２８８〜約１２９０、約１３９８〜約１４００、約１４８２〜約１４８４、約１５４７〜約１５４９、約１５８２〜約１５８４、約１６２２〜約１６２４、約１６６１〜約１６６３、約１６９７〜約１６９９、約１８３２〜約１８３４、約１８７６〜約１８７８、約１８８２〜約１８８４、約１９１３〜約１９１５、約１９３７〜約１９３９、約１９４８〜約１９５０、約１９８０〜約１９８２、約１９８４〜約１９８６、約１９８８〜約１９９０、約２０１８〜約２０２０、約２０６６〜約２０６８、約２０８５〜約２０８７および約２１４８〜約２１５０に位置する、３４個のプロテインキナーゼＣリン酸化部位（Ｐｒｏｓｉｔｅ  ＰＳ００００５）；配列番号５のアミノ酸約３１〜約３４、約３５〜約３８、約１５４〜約１５７、約１７４〜約１７７、約２０３〜約２０６、約２１８〜約２２１、約４９２〜約４９５、約５１７〜約５２０、約６００〜約６０３、約６２５〜約６２８、約１０７９〜約１０８２、約１１１３〜約１１１６、約１１７９〜約１１８２、約１１９９〜約１２０２、約１２２１〜約１２２４、約１２８８〜約１２９１、約１３３９〜約１３４２、約１３６２〜約１３６５、約１３９８〜約１４０１、約１４６３〜約１４６６、約１４６７〜約１４７０、約１４８５〜約１４８８、約１５０８〜約１５１１、約１５７７〜約１５８０、約１６２２〜約１６２５、約１６３２〜約１６３５、約１６８５〜約１６８８、約１７１３〜約１７１６、約１７２８〜約１７３１、約１７４２〜約１７４５、約１８１５〜約１８１８、約１８１９〜約１８２２、約１８３２〜約１８３５および約２０５３〜２０５６に位置する、３４個のカゼインキナーゼＩＩリン酸化部位（Ｐｒｏｓｉｔｅ  ＰＳ００００６）；配列番号５の約アミノ酸２１５〜２１８、３３５〜３３８、３９３〜３９６、４５６〜４５９、１１０６〜１１０９、１７７１〜１７７４、１８７９〜１８８２および２０５０〜２０５３に位置する、８個のｃＡＭＰ／ｃＧＭＰ依存性プロテインキナーゼリン酸化部位（Ｐｒｏｓｉｔｅ  ＰＳ００００４）；配列番号５のアミノ酸約１８１７〜約１８２０および約２０４５〜約２０４８に位置する、２個のＮ−グルコシル化部位（Ｐｒｏｓｉｔｅ  ＰＳ００００１）；配列番号５のアミノ酸約６〜約１１、約４２〜約４７、約１４３〜約１４８、約１９０〜約１９５、約２６７〜約２７２、約３９８〜約４０３、約６０５〜約６１０、約７４６〜約７５１、約８００〜約８０５、約１０６４〜約１０６９、約１０７４〜約１０７９、約１０８９〜約１０９４、約１２０４〜約１２０９、約１２１８〜約１２２３、約１３３２〜約１３３７、約１３５５〜約１３６０、約１３８６〜約１３９１、約１５３３〜約１５３８、約１５７３〜約１５���８、約１６２６〜約１６３１、約１６４２〜約１６４７、約１７６３〜約１７６８、約１９６６〜約１９７１、約２１３２〜約２１３７、約２１４４〜約２１４９および約２１７５〜約２１８０に位置する、２６個のＮ−ミリストイル化部位（Ｐｒｏｓｉｔｅ  ＰＳ００００８）；配列番号５のアミノ酸約４２２〜約４２８および約１８４９〜約１８５６に位置する、２個のチロシンキナーゼリン酸化部位（Ｐｒｏｓｉｔｅ  ＰＳ００００７）；配列番号５のアミノ酸約６０４〜約６０７に位置する、１個のグリコサミノグリカン結合部位（Ｐｒｏｓｉｔｅ  ＰＳ００００２）、配列番号５のアミノ酸約２５２〜２５５、約４５４〜約４５７、約１２４２〜約１２４５および約１８７６〜約１８７９に位置する、５個のアミド化部位（Ｐｒｏｓｉｔｅ  ＰＳ００００９）、配列番号５のアミノ酸約１５２３〜約１５２５に位置する、１個のＲＧＤ細胞結合配列（Ｐｒｏｓｉｔｅ  ＰＳ０００１６）、配列番号５のアミノ酸約７７４〜約７９５に位置する、１個のロイシンジッパーパターン（Ｐｒｏｓｉｔｅ  ＰＳ０００２９）、ならびに配列番号５のアミノ酸約３０５〜約３１７に位置する、１個のセリン／トレオニンプロテインキナーゼ活性部位シグネチャー（ＰＳ００１０８）。
【００２８】
【表１】
2005508168.tif 000002
【００２９】
【表２】
2005508168.tif 000003
６９５８３タンパク質および８５９２４タンパク質は、プロテインキナーゼファミリーのメンバーで共通した顕著な数の構造特徴を含む。用語「ファミリー」は、本発明のタンパク質および核酸分子を言及する場合、共通の構造ドメインまたはモチーフを有しかつ本明細書中で定義される充分なアミノ酸配列相同性またはヌクレオチド配列相同性を有する、２以上のタンパク質または核酸分子を意味する。このようなファミリーのメンバーは、天然に存在しても天然に存在しなくてもよく、同種由来でも異なる種由来でもいずれでもよい。例えば、ファミリーは、ヒト起源の第１タンパク質ならびにヒト起源の他の別個のタンパク質を含み得るか、あるいは、非ヒト起源のホモログ（例えば、ラットタンパク質またはマウスタンパク質）を含み得る。ファミリーのメンバーはまた、共通の機能的特徴を有し得る。
【００３０】
本明細書中で用いられる場合、用語「プロテインキナーゼ」とは、それ自体のリン酸化状態または別の分子（例えば、タンパク質またはポリペプチド）のリン酸化状態を調節し得る、タンパク質またはポリペプチドを包含する。プロテインキナーゼは、セリン／トレオニン残基、チロシン残基、またはセリン／トレオニン残基およびチロシン残基の両方（例えば、二重特異性キナーゼ）についての特異性（すなわち、リン酸化する特異性）を有し得る。
【００３１】
真核生物プロテインキナーゼは、相同なタンパク質の大きなファミリーを構成する。これらは全て、それらのキナーゼドメインの存在によって関連し、そしてそれらの基質特異性に従って、セリン／トレオニンプロテインキナーゼおよび／またはチロシンプロテインキナーゼにさらに細分類され得る。両方の種類のプロテインキナーゼは、同様の触媒ドメインを有するが、プロテインキナーゼがセリン／トレオニン残基またはチロシン残基をリン酸化するか否かを決定するのを助け得る特定のシグネチャー部位が同定されている。６９５８３および８５９２４のプロテインキナーゼドメインは、セリン／トレオニンならびにチロシンに特異的なこのようなシグネチャー配列を含み、それにより、６９５８３ポリペプチドおよび８５９２４ポリペプチドが、セリン残基、トレオニン残基および／またはチロシン残基をリン酸化し得る（すなわち、これらは、二重特異性キナーゼであるようである）ことを示唆する。
【００３２】
プロテインキナーゼファミリーのメンバーのタンパク質は、保存された触媒領域によって特徴付けられる。この触媒領域は、さらに１１個の保存された主なサブドメインに細分されている。このようなサブドメインは、活性部位の構成要素であることによって、または活性部位の作製に間接的に寄与することによって、プロテインキナーゼの触媒機能に関与し得る。１１個のサブドメインの各々において、高度に保存された残基もまた同定されている。これらの多くは、ＡＴＰ結合およびリン酸転移に直接的に関与する。プロテインキナーゼファミリーのメンバーのタンパク質は、代表的に、サブドメインＩにおいてグリシンリッチ領域を含む。このプロテインキナーゼファミリーのメンバー中に存在する、最もよく特徴付けられた保存された残基は、サブドメインＩＩに通常位置するリジン残基である（Ｈａｎｋｓら（１９８８）Ｓｃｉｅｎｃｅ  ２４１：４２−５２）。このリジン残基は、ＡＴＰ結合に関与することが示されている。８５９２４のプロテインキナーゼドメインは、リジン残基をそのサブドメインＩに有し、これは、そのサブドメインＩＩにおいて欠けている触媒性リジンの代わりをする。この特徴は、ＷＮＫ１プロテインキナーゼがメンバーである、新規なクラスのセリン／トレオニンプロテインキナーゼに８５９２４が属することを示す（Ｘｕら（２０００）Ｊｏｕｒｎａｌ  ｏｆ  Ｂｉｏｌｏｇｉｃａｌ  Ｃｈｅｍｉｓｔｒｙ  ２７５：１６７９５−１６８０１）。プロテインキナーゼファミリーのメンバーのタンパク質は、触媒ドメインの中心コア内（通常、サブドメインＶＩ内）に位置する保存されたアスパラギン酸残基を通常有し、このアスパラギン酸残基は、セリン／トレオニンキナーゼサブファミリーのタンパク質の触媒活性に重要である。
【００３３】
６９５８３ポリペプチドまたは８５９２４ポリペプチドは、「プロテインキナーゼドメイン」または「プロテインキナーゼドメイン」と相同な領域を含み得る。６９５８３ポリペプチドは、「ＳＨ３ドメイン」または「ＳＨ３ドメイン」と相同な領域をさらに含み得る。
【００３４】
本明細書中で用いられる場合、用語「プロテインキナーゼドメイン」は、約２５０〜約２７５アミノ酸残基長でかつプロテインキナーゼドメイン（ＨＭＭ）に対するその配列の整列についての少なくとも２００のビットスコアを有するアミノ酸配列を包含する。好ましくは、プロテインキナーゼドメインは、ＡＴＰを結合することによってリン酸化を媒介する。好ましくは、プロテインキナーゼドメインは、少なくとも約２００〜約３２５アミノ酸、より好ましくは約２２５〜約３００アミノ酸残基、または約２５０〜約２７５アミノ酸を含み、そしてこのプロテインキナーゼドメイン（ＨＭＭ）に対するこの配列の整列について少なくとも１００、１２５、１５０、１７５、２００以上のビットスコアを有する。このプロテインキナーゼドメインのコンセンサス配列（ＨＭＭ）には、ＰＦＡＭ登録番号ＰＦ０００６９が割り当てられている（Ｓｏｎｎｈａｍｍｅｒら（１９９７）Ｐｒｏｔｅｉｎ  ２８：４０５−４２０、配列番号８および配列番号９）。ヒト６９５８３のプロテインキナーゼドメイン（配列番号２のアミノ酸１２４〜３９８）と隠れマルコフモデルから誘導されたＰｆａｍプロテインキナーゼドメインコンセンサスアミノ酸配列との整列は、３０２．９のビットスコアを生じた。ヒト８５９２４のプロテインキナーゼドメイン（配列番号５のアミノ酸１８１〜４３９）と、隠れマルコフモデルから誘導されたＰｆａｍプロテインキナーゼドメインコンセンサスアミノ酸配列との整列は、２０６．５のビットスコアを生じた。
【００３５】
６９５８３ポリペプチドおよび８５９２４ポリペプチドは、プロテインキナーゼドメインを含む。プロテインキナーゼファミリーのメンバーは、約２５０〜３００アミノ酸残基から構成されるこのドメイン（「触媒」ドメインともいわれる）によって関連している。６９５８３ポリペプチドのプロテインキナーゼドメインは、配列番号２の約アミノ酸残基１３０〜１５１のグリシンリッチ領域を含み、この領域は、配列番号２のアミノ酸残基約１５１に位置する保存されたリジンと隣接する。この保存されたリジンは、プロテインキナーゼＡＴＰ結合領域のシグネチャーの一部である。この保存されたシグネチャーのパターンは以下の通りである：［ＬＩＶ］−Ｇ−｛Ｐ｝−Ｇ−｛Ｐ｝−［ＦＹＷＭＧＳＴＮＨ］−［ＳＧＡ］−｛ＰＷ｝−［ＬＩＶＣＡＴ］−｛ＰＤ｝−ｘ−［ＧＳＴＡＣＬＩＶＭＦＹ］−ｘ（５，１８）−［ＬＩＶＭＦＹＷＣＳＴＡＲ］−［ＡＩＶＰ］−［ＬＩＶＭＦＡＧＣＫＲ］−Ｋ（ここで、「Ｋ」は、活性部位残基である）（配列番号１０）。６９５８３ポリペプチドおよび８５９２４ポリペプチドはまた、それぞれ、チロシン残基を配列番号２のアミノ酸約３３０、ならびに配列番号５のアミノ酸約４２８および約１８５６に含む。このチロシンは、チロシンキナーゼリン酸化部位のシグネチャーの一部である。この保存されたシグネチャーパターンは、以下の通りである：［ＲＫ］−ｘ（２）−［ＤＥ］−ｘ（３）−Ｙまたは［ＲＫ］−ｘ（３）−［ＤＥ］−ｘ（２）−Ｙ（ここで、「Ｙ」は、リン酸化部位である）（配列番号１１および配列番号１２）。６９５８３ポリペプチドおよび８５９２４ポリペプチドはまた、それぞれ、配列番号２のアミノ酸約２６３および配列番号５のアミノ酸約３０９に保存されたアスパラギン酸を含む。このアスパラギン酸は、最もセリン／トレオニン特異的キナーゼに特異的である、セリン／トレオニンプロテインキナーゼ活性部位のシグネチャーの一部である。この保存されたシグネチャーのパターンは、以下の通りである：［ＬＩＶＭＦＹＣ］−ｘ−［ＨＹ］−ｘ−Ｄ−［ＬＩＶＭＦＹ］−Ｋ−ｘ（２）−Ｎ−［ＬＩＶＭＦＹＣＴ］（３）（ここで、「Ｄ」は活性部位の残基である）（配列番号１３）。
【００３６】
上記の保存されたシグネチャー配列、および本明細書中に記載される他のモチーフまたはシグネチャー配列では、アミノ酸についての標準的ＩＵＰＡＣの１文字コードが用いられる。このパターンにおける各エレメントは、ダッシュ（−）によって隔てられる；角括弧（［］）は、その位置で受け入れられる特定の残基を示す；ｘは、任意の残基がその位置で受け入れられることを示す；中括弧（｛｝）は、特定の残基がその位置で受け入れらないことを示す；そして丸括弧（（））内の数字は、伴うアミノ酸によって表される残基の数字を示す。
【００３７】
好ましい実施形態では、６９５８３または８５９２４のポリペプチドまたはタンパク質は、「プロテインキナーゼドメイン」、または少なくとも約２００〜約３２５、より好ましくは、約２２５〜約３００もしくは約２５０〜約２７５のアミノ酸残基を含みかつ「プロテインキナーゼドメイン」（例えば、ヒト６９５８３またはヒト８５９２４のプロテインキナーゼドメイン（例えば、配列番号２の残基１２４〜３９８および配列番号５の残基１８１〜４３９）と少なくとも約６０％、７０％、８０％、９０％、９５％、９９％、もしくは１００％の相同性を有する領域を有する。
【００３８】
６９５８３タンパク質配列または８５９２４タンパク質配列における「プロテインキナーゼ」ドメインの存在を同定し、そして目的のポリペプチドまたはタンパク質が特定のプロファイルを有することを決定するために、このタンパク質のアミノ酸配列は、デフォールトパラメーターを用いて、ＨＭＭのＰｆａｍデータベース（例えば、Ｐｆａｍデータベース、２．１版）に対して検索され得る。例えば、ｈｍｍｓｆプログラム（これは、検索プログラムのＨＭＭＥＲパッケージの一部として入手可能である）は、ＭＩＬＰＡＴ００６３についてのファミリー特異的デフォールトプログラムであり、スコア１５が、ヒットを決定するためのデフォールト閾値スコアである。あるいは、ヒットを決定するための閾値スコアは、（例えば、８ビットまで）下げられ得る。Ｐｆａｍデータベースの説明は、Ｓｏｎｈａｍｍｅｒら（１９９７）Ｐｒｏｔｅｉｎｓ  ２８：４０５−４２０に見出され得、そしてＨＭＭの詳細な説明は、例えば、Ｇｒｉｂｓｋｏｖら（１９９０）Ｍｅｔｈ．Ｅｎｚｙｍｏｌ．１８３：１４６−１５９；Ｇｒｉｂｓｋｏｖら（１９８７）Ｐｒｏｃ．Ｎａｔｌ．Ａｃａｄ．Ｓｃｉ．ＵＳＡ  ８４：４３５５−４３５８；Ｋｒｏｇｈら（１９９４）Ｊ．Ｍｏｌ．Ｂｉｏｌ．２３５：１５０１−１５３１；およびＳｔｕｌｔｚら（１９９３）Ｐｒｏｔｅｉｎ  Ｓｃｉ．２：３０５−３１４に見出され得る。これらの内容は、本明細書中に参考として援用される。検索を、ＨＭＭデータベースに対して行い、ヒト６９５８３およびヒト８５９２４のアミノ酸配列において、それぞれ、配列番号２の残基約１２４〜約３９８および配列番号５の残基約１８１〜約４３９に「プロテインキナーゼ」ドメインが同定された。
【００３９】
本明細書において使用される場合、用語「ＳＨ３ドメイン」としては、長さにおいて約５９アミノ酸残基であり、そして、少なくとも、５７．４である、ＳＨ３ドメイン（ＨＭＭ）とのアミノ酸配列のアライメントに関するビットスコア（ｂｉｔ  ｓｃｏｒｅ）を有する、アミノ酸配列が挙げられる。好ましくは、ＳＨ３ドメインは、細胞骨格の組織化に関連するシグナル伝達に関与する。好ましくは、ＳＨ３ドメインは、少なくとも、約３０個〜８０個のアミノ酸を含み、より好ましくは、約４０個〜７０個のアミノ酸残基、または約５０個〜６０個のアミノ酸残基を含み、そして、少なくとも、２０個、３０個、４０個、５０個、５７個またはそれより大きい、プロテインキナーゼドメイン（ＨＭＭ）に対するこの配列のアライメントに関するビットスコアを有する。ＳＨ３ドメインのコンセンサス配列（ＨＭＭ）は、ＰＦＡＭ  登録番号ＰＦ０００１８（Ｓｏｎｎｈａｍｍｅｒら（１９９７）Ｐｒｏｔｅｉｎ  ２８：４０５〜４２０；配列番号７）が割り当てられている。隠れマルコフモデルから導き出された、Ｐｆａｍ  ＳＨ３ドメインコンセンサスアミノ酸配列を有するヒト６９５８３のＳＨ３ドメイン（配列番号２のアミノ酸４１〜１００）のアライメントは、５７．４というビットスコアを与えた。
【００４０】
好ましい実施形態において、６９５８３のポリペプチドまたはタンパク質は、「ＳＨ３ドメイン」、または、少なくとも、約３０〜８０のアミノ酸残基、より好ましくは約４０〜７０のアミノ酸残基または５０〜６０のアミノ酸残基を含みかつ、「ＳＨ３ドメイン」（例えば、ヒト６９５８３のＳＨ３ドメイン（例えば、配列番号２の残基の４１〜１００））と、少なくとも、約６０％、７０％、８０％、９０％、９５％、９９％または１００％の相同性を有している領域を有している。
【００４１】
６９５８３タンパク質配列における「ＳＨ３」の存在を同定するため、そして、目的のポリペプチドまたはタンパク質が特定のプロファイルを有していることを決定するために、このタンパク質のアミノ酸配列は、デフォルトパラメーターを使用して、ＨＭＭのＰｆａｍデータベース（例えば、Ｐｆａｍデータベース，リリース２．１）に対して検索され得る。例えば、ｈｍｍｓｆプログラム（これは、サーチプログラムＨＭＭＥＲのパッケージの一部分として利用可能である）が、ＨＩＬＰＡＲＴ００６３にとってのファミリー特異的なデフォルトプログラムであり、１５というスコアが、ヒットを決定するためのデフォルトの閾値スコアである。あるいは、ヒットを決定するための閾値スコアは、低く（例えば、８ビットまで）設定され得る。Ｐｆａｍデータベースについての記載は、Ｓｏｎｈａｍｍｅｒら（１９９７）Ｐｒｏｔｅｉｎｓ  ２８：４０５−４２０において見出され、そして、ＨＭＭの詳細な説明は、例えば、Ｇｒｉｂｓｋｏｖら（１９９０）Ｍｅｔｈ．Ｅｎｚｙｍｏｌ．１８３：１４６−１５９；Ｇｒｉｂｓｋｏｖら（１９８７）Ｐｒｏｃ．Ｎａｔｌ．Ａｃａｄ．Ｓｃｉ．ＵＳＡ  ８４：４３５５−４３５８；Ｋｒｏｇｈら（１９９４）Ｊ．Ｍｏｌ．Ｂｉｏｌ．２３５：１５０１−１５３１；およびＳｔｕｌｔｚら（１９９３）Ｐｒｏｔｅｉｎ  Ｓｃｉ．２：３０５−３１４（これらの内容は、本明細書において、参考として援用される）において見出され得る。ＨＭＭデータベースに対するサーチが実施され、配列番号２の残基の４１〜１００のあたりにヒト６９５８３のアミノ酸配列における「ＳＨ３」ドメインが同定がされた。
【００４２】
ヒト６９５８３タンパク質は、コイルドコイル構造（ｃｏｉｌｅｄ  ｃｏｉｌ  ｓｔｒｕｃｔｕｒｅ）をさらに含み得る。コイルドコイル構造は、タンパク質のオリゴマー化を担う超らせんヘリックス状ドメインである。このコイルドコイル構造には特徴的なヘプタッドリピート（ｈ−ｘ−ｘ−ｈ−ｘ−ｘ−ｘ）ｎが存在しており、ここで、ｈは、疎水性残基を表現する（ＢｅｃｋおよびＢｒｏｄｓｋｙ（１９９８）Ｊ．Ｓｔｒｕｃｔ．Ｂｉｏｌ．１２２：１７−２９）。コイルドコイル構造は、広範な種類のタンパク質（細胞骨格タンパク質、核タンパク質、筋肉タンパク質、細胞表面タンパク質、細胞外タンパク質、血漿タンパク質、細菌性タンパク質およびウイルス性タンパク質を含む）において見出され、そして６９５８３ポリペプチドにおいて、配列番号２のアミノ酸の４１８〜４８９あたりに見出され得る。
【００４３】
８５９２４プロテインキナーゼは、ロイシンジッパーモチーフ、またはロイシンジッパーモチーフ（Ｐｒｏｓｉｔｅ  ＰＳ０００２９）と相同性である領域をさらに含む。ロイシンジッパーは、代表的には、８個のへリックスターンの距離に亘って、７アミノ酸ごとに配置された、少なくとも、２個、３個、４個、５個、好ましくは、６個のロイシン残基の反復を含む。ロイシンのこれらの周期的な並びを含むセグメントは、１つのαへリックスから延びたロイシン側鎖が第２のポリペプチドの類似のαへリックスからのロイシン側鎖と相互作用するαへリックスコンフォメーションにおいて存在し、これによって二量体化を促進するようである。このロイシンジッパーパターンは、多くの調節タンパク質（例えば、ＣＣＡＴＴ−ｂｏｘおよびエンハンサー結合タンパク質（Ｃ／ＥＢＰ）、ｃＡＭＰ応答エレメント（ＣＲＥ）結合タンパク質（ＣＲＥＢ，ＣＲＥ−ＢＰ１、ＡＴＦ）、ｊｕｎ／ＡＰｌファミリー転写因子、Ｃ−ｍｙｃ癌遺伝子、Ｌ−ｍｙｃ癌遺伝子およびＮ−ｍｙｃ癌遺伝子ならびにオクタマー結合転写因子２（Ｏｃｔ−２／ＯＴＦ−２））において存在する。これらの相互作用は、タンパク質複合体の活性（例えば、遺伝子調節配列に対する結合およびその後の転写開始複合体の形成を介する核酸の転写活性化）にとって、しばしば、必要とされる。したがって、ロイシンジッパーは、インビボでのタンパク質−タンパク質相互作用、特に、マルチサブユニット転写因子（ホモダイマー、ヘテロダイマーなど）間の相互作用を媒介する。８５９２４プロテインキナーゼにおけるロイシンジッパーは、配列番号５のアミノ酸残基７７４〜７９５において見出され得る。
【００４４】
この８５９２４タンパク質は、少なくとも、１つの予測されたＲＧＤ細胞結合配列を有する。本明細書において使用される場合に、用語「ＲＧＤ細胞結合配列」は、細胞外マトリックスおよび細胞内輸送タンパク質において見出されるアミノ酸残基Ａｒｇ−Ｇｌｙ−Ａｓｐからなる細胞接着配列をいう（Ｒｕｏｓｌａｈｔｉ，Ｅ．（１９９６）Ａｎｎｕ．Ｒｅｖ．Ｃｅｌｌ  Ｄｅｖ．Ｂｉｏｌ．１２：６９７−７１５において概説される）。タンパク質におけるＲＧＤ配列は、タンパク質−タンパク質相互作用を介して細胞接着を媒介し得るか、または細胞または小胞内のタンパク質間の相互作用を媒介し得る。ヒト８５９２４のＲＧＤ細胞接着配列は、配列番号５のアミノ酸１５２３〜１５２５あたりに見出され得る。
【００４５】
６９５８３ファミリーメンバーは、少なくとも、１つのプロテインキナーゼドメイン；および少なくとも、１つのＳＨ３ドメインを含み得る。さらに、６９５８３ファミリーメンバーは、少なくとも、１個、２個、３個、４個、５個、６個、７個、８個、９個、１０個、１１個、好ましくは、１２個の、プロテインキナーゼＣリン酸化部位（Ｐｒｏｓｉｔｅ  ＰＳ００００５）；少なくとも、１個、２個、３個、４個、５個、６個、７個、８個、９個、１０個、１１個、１２個、１３個、１４個、好ましくは、１５個のカゼインキナーゼＩＩリン酸化部位（Ｐｒｏｓｉｔｅ  ＰＳ００００６）；少なくとも、１個、２個、好ましくは、３個のＮ−グリコシル化部位（Ｐｒｏｓｉｔｅ  ＰＳ００００１）；少なくとも、１個、２個、好ましくは、３個のｃＡＭＰ／ｃＧＭＰプロテインキナーゼリン酸化部位（Ｐｒｏｓｉｔｅ  ＰＳ００００４）；少なくとも、１個、好ましくは、２個のチロシンキナーゼリン酸化部位（Ｐｒｏｓｉｔｅ  ＰＳ００００７）；ならびに少なくとも、１個、２個、３個、４個、５個、６個、７個、８個、９個、１０個、好ましくは、１１個のＮ−ミリストイル化部位（Ｐｒｏｓｉｔｅ  ＰＳ００００８）を含み得る。
【００４６】
８５９２４ファミリーメンバーは、少なくとも、１つのプロテインキナーゼドメインを含み得る。さらに、８５９２４ファミリーメンバーは、少なくとも、１個、２個、３個、４個、５個、６個、７個、８個、９個、１０個、１１個、１２個、１３個、１４個、１５個、１６個、１７個、１８個、１９個、２０個、２１個、２２個、２３個、２４個、２５個、２６個、２７個、２８個、２９個、３０個、３１個、３２個、３３個、好ましくは３４個のプロテインキナーゼＣリン酸化部位（Ｐｒｏｓｉｔｅ  ＰＳ００００５）；少なくとも、１個、２個、３個、４個、５個、６個、７個、８個、９個、１０個、１１個、１２個、１３個、１４個、１５個、１６個、１７個、１８個、１９個、２０個、２１個、２２個、２３個、２４個、２５個、２６個、２７個、２８個、２９個、３０個、３１個、３２個、３３個、好ましくは３４個のカゼインキナーゼＩＩリン酸化部位（Ｐｒｏｓｉｔｅ  ＰＳ００００６）；少なくとも、１個、好ましくは２個のＮ−グリコシル化部位（Ｐｒｏｓｉｔｅ  ＰＳ００００１）；少なくとも、１個、２個、３個、４個、５個、６個、７個、好ましくは８個のｃＡＭＰ／ｃＧＭＰプロテインキナーゼリン酸化部位（Ｐｒｏｓｉｔｅ  ＰＳ００００４）；少なくとも、１個のグリコサミノグリカン結合部位（Ｐｒｏｓｉｔｅ  ＰＳ００００２）；少なくとも、１個、２個、３個、好ましくは４個のアミド化部位（Ｐｒｏｓｉｔｅ  ＰＳ００００９）；少なくとも、１個、好ましくは２個のチロシンキナーゼリン酸化部位（Ｐｒｏｓｉｔｅ  ＰＳ００００７）；ならびに、少なくとも、１個、２個、３個、４個、５個、６個、７個、８個、９個、１０個、１１個、１２個、１３個、１４個、１５個、１６個、１７個、１８個、１９個、２０個、２１個、２２個、２３個、２４個、２５個、好ましくは２６個のＮ−ミリストイル化部位（Ｐｒｏｓｉｔｅ  ＰＳ００００８）を含み得る。
【００４７】
本発明の６９５８３または８５９２４のポリペプチドは、６９５８３媒介活性または８５９２４媒介活性を調節し得ので、これらは、以下のように、プロテインキナーゼ関連疾患または他の６９５８３関連障害もしくは８５９２４関連障害に対する新規の診断剤および治療剤を開発するのに有用であり得る。
【００４８】
本明細書において使用される場合に、インビボまたはインビトロで決定したときに、「６９５８３または８５９２４の活性」、「６９５８３または８５９２４の生物学的活性」、あるいは、「６９５８３または８５９２４の機能活性」とは、例えば、６９５８３応答性細胞または８５９２４応答性細胞あるいは６９５８３基質または８５９２４基質（例えば、タンパク質基質）に対して６９５８３または８５９２４のタンパク質分子、ポリペプチド分子、または核酸分子によって及ぼされる活性をいう。１つの実施形態において、６９５８３または８５９２４の活性は、直接的な活性（例えば、６９５８３標的分子または８５９２４標的分子との結合）である。「標的分子」または「結合パートナー」とは、６９５８３または８５９２４のタンパク質が、本質として、結合または相互作用する分子である。例示的な実施形態において、６９５８３または８５９２４は、プロテインキナーゼであり、従って、その本質として、ＡＴＰ分子に結合するか、または相互作用する。
【００４９】
６９５８３活性または８５９２４活性はまた、間接的な活性（例えば、６９５８３または８５９２４のレセプターとの６９５８３または８５９２４のタンパク質の相互作用によって媒介される細胞シグナル伝達活性）であり得る。既知の機能の分子に対する、上述の配列の構造および類似性に基づいて、本発明の６９５８３分子または８５９２４分子は、プロテインキナーゼファミリーメンバーと類似の生物学的活性を有し得る。例えば、本発明の６９５８３または８５９２４のタンパク質は、以下の活性のうちの１つ以上を有し得る：１）細胞レセプター（例えば、細胞増殖因子レセプター）からのシグナル伝達を調節する能力；２）細胞（例えば、前駆細胞）の、有糸分裂への導入の調節をする能力；３）細胞分化を調節する能力；４）細胞死を調節する能力；５）細胞骨格機能（例えば、アクチンバンドリング）を調節する能力；６）分子（例えば、ヌクレオチド（例えば、アデノシントリホスフェート））に結合する能力；７）基質分子（例えば、セリン残基、スレオニン残基、および／またはトリプシン残基）をリン酸化する能力；ならびに８）（例えば、セリン／スレオニン残基またはチロシン残基において）リン酸化のための基質として作用する能力。したがって、本発明の分子は、治療薬、またはプロテインキナーゼ障害についての治療薬を開発することにおける薬物標的として使用され得る。本明細書において使用される場合に、「プロテインキナーゼ障害」は、その病因が、異常であるかまたは欠損しているプロテインキナーゼ機能またはその発現によって引起されるか、関するかまたは関与する疾患または障害である。
【００５０】
本発明の６９５８３または８５９２４の分子は、これらの分子が発現する組織内での細胞の活性を調節し得る。例えば、６９５８３  ｍＲＮＡは、肺腫瘍、卵巣腫瘍、結腸腫瘍、胸部腫瘍、腎臓、および膵臓において発現し得る。したがって、本発明の６９５８３分子は、肺、卵巣、腎臓、膵臓、結腸、胸部の障害に対する、治療剤または診断剤として作用し得る。さらに、８５９２４  ｍＲＮＡは、膵臓、骨格筋、大脳皮質、視床下部、下垂体、前立腺腫瘍、肺腫瘍、およびうっ血性心不全のサンプルにおいて、発現される。したがって、本発明の８５９２４分子は、膵臓、骨格筋、脳、視床下部、下垂体、前立腺、肺および心臓の障害に対する治療剤または診断剤として作用し得る。
【００５１】
肺の障害の例としては、以下が挙げられるがこれらに限定されない：先天性異常；無気肺；血管起源の疾患（例えば、肺性うっ血および水腫（これは、血流力学の肺性水腫および微小血管損傷による水腫）、成人呼吸系疾患症候群（びまん性肺胞損傷）、肺性塞栓症、出血、および梗塞、および肺性高血圧および血管硬化症；慢性閉塞性肺疾患（例えば、気腫、慢性気管支炎、気管支喘息、および気管支拡張症）；散在性間隙性（浸潤型、拘束型）疾患（例えば、じん肺症、サルコイドーシス、特発性肺性線維症、落屑性間隙性肺炎、過敏性肺炎、肺性好酸球増加（好酸球増加を伴った肺性増殖）、閉塞性（Ｂｒｏｎｃｈｉｏｌｉｔｉｓ  ｏｂｌｉｔｅｒａｎｓ−ｏｒｇａｎｉｚｉｎｇ）肺炎、散在性肺性出血性症候群（グッドパスチャー症候群、特発性肺性ヘモジデリン沈着および他の出血性症候群を含む）、コラーゲン血管障害における肺性浸潤（ｉｎｖｏｌｖｅｍｅｎｔ）、および肺性肺胞蛋白症）；治療（例えば、薬物誘導性肺疾患、放射線誘導性肺疾患および肺移植）の合併症；腫瘍（例えば、気管支原性癌（新生物随伴症候群、気管支肺胞癌腫、神経内分泌腫瘍（例えば、気管支カルチノイド、多種細胞（ｍｉｓｃｅｌｌａｎｅｏｕｓ）腫瘍および転移性腫瘍を含む））；胸膜の病理状態（炎症性胸水、非炎症性胸水、気胸症および胸膜腫瘍（孤立性線維性腫瘍（胸膜線維腫）および悪性中皮腫を含む）を含む）。
【００５２】
本発明の６９５８３または８５９２４の核酸およびタンパク質は、種々の卵巣の障害の処置および／または診断のために使用され得る。卵巣に関連する障害としては、例えば、以下が挙げられる：多嚢胞性卵巣疾患、スタイン−リーヴェンサール症候群、腹膜偽性粘液腫および間質性卵胞莢膜増殖症；卵巣腫瘍（例えば、体腔上皮細胞の腫瘍、漿液性腫瘍、粘液性腫瘍、類内膜（ｅｎｄｏｍｅｔｅｒｉｏｄ）腫瘍、明細胞腺癌腫、嚢胞腺腫（ｃｙｓｔａｄｅｎｏｆｉｂｒｏｍａ）、ブレンナー腫、表面上皮腫瘍；生殖細胞腫瘍（例えば、成熟（良性）奇形腫、単真皮（ｍｏｎｏｄｅｒｍａｌ）奇形腫、未成熟悪性奇形腫、未分化胚細胞腫、内胚葉洞腫瘍、絨毛癌；性索口（ｓｅｘ  ｃｏｒｄ−ｓｔｏｍａｌ）腫瘍（例えば、顆粒層膜細胞腫瘍、莢膜細胞腫−線維腫、雄性芽細胞腫（ａｎｄｒｏｂｌａｓｔｏｍａ）、ヒル細胞（ｈｉｌｌ  ｃｅｌｌ）腫瘍および性腺芽腫）；ならびに転移性腫瘍（例えば、Ｋｒｕｋｅｎｂｅｒｇ腫瘍）。
【００５３】
本発明の６９５８３または８５９２４の核酸およびタンパク質は、種々の腎臓障害の処置しおよび／または診断を行うのに使用され得る。腎臓に関連する障害としては、以下が挙げられるがこれらに限定されない：先天性異常（腎臓嚢胞病（嚢胞性腎臓形成異常症、常染色体優性（成体）多発性嚢胞腎疾患、常染色体劣性（小児）多発性嚢胞腎疾患、および腎髄質嚢胞病（髄質海綿腎および腎症尿毒性髄質嚢胞病の合併症（ｎｅｐｈｒｏｎｏｐｈｔｈｉｓｉｓ−ｕｒｅｍｉｃ  ｍｅｄｕｌｌａｒｙ  ｃｙｓｔｉｃ  ｄｉｓｅａｓｅ  ｃｏｍｐｌｅｘ）が挙げられるがこれらに限定されない）、後天性（透析関連）嚢胞病（例えば、単純嚢胞）が挙げられるがこれらに限定されない）が挙げられるがこれらに限定されない）；糸球体損傷の病理を含む糸球体疾患（インサイチュ免疫複合体沈着（抗ＧＢＭ腎炎、Ｈｅｙｍａｎｎ腎炎、および移植抗原に対する抗体が挙げられるがこれらに限定されない）、循環免疫複合体腎炎、糸球体細胞に対する抗体、糸球体腎炎（ｇｌｏｍｅｒｕｌｏｎｅｐｈｒｉｔｉｓ）における細胞媒介性免疫、代替の補体経路の活性化、上皮細胞損傷、および糸球体嚢損傷のメディエータ（細胞メディエータおよび可溶性メディエータを含む）に関連する病理、急性糸球体腎炎（例えば、急性増殖性（連鎖球菌後、感染後）糸球体腎炎（溶連菌後糸球体腎炎および非溶連菌性急性糸球体腎炎が挙げられるがこれらに限定されない）、急速進行性（半月形）糸球体腎炎、ネフローゼ症候群、膜性糸球体腎炎（膜性腎症）、最小変化疾患（ｍｉｎｉｍａｌ  ｃｈａｎｇｅ  ｄｉｓｅａｓｅ）（リポイドネフローゼ）、巣状分節状糸球体硬化症、膜性増殖性糸球体腎炎，ＩｇＡ腎症（バージャー病），巣状増殖性糸球体腎炎および壊死性糸球体腎炎（巣状糸球体腎炎）、遺伝性腎炎（アルポート症候群および薄膜疾患（良性家族性血尿）が挙げられるがこれらに限定されない）、慢性糸球体腎炎、全身性疾患に関連する糸球体外傷（全身性エリテマトーデス、ヘーノホ−シェーンライン紫斑病、細菌性心内膜炎、糖尿病性糸球体硬化症、アミロイドーシス、線維性およびイムノタクノイド（ｉｍｍｕｎｏｔａｃｔｏｉｄ）糸球体腎炎が挙げられるがこれらに限定されない））、および他の全身性疾患が挙げられるがこれらに限定されない）；細管および間隙に影響を及ぼす疾患（急性細管壊死および尿細管間質性腎炎（腎盂腎炎および尿路感染症が挙げられるがこれらに限定されない）、急性腎盂腎炎、慢性腎盂腎炎および逆流性腎症、ならびに薬物および毒素によって誘導される尿細管間質性腎炎（急性薬物誘導化間質性腎炎、鎮痛性乱用腎症、非ステロイド性抗炎症薬に関連する腎症、および他の尿細管間質性疾患（尿酸腎症、高カルシウム血症および腎石灰症が挙げられるがこれらに限定されない））、および多発性骨髄腫が挙げられるがこれらに限定されない）；血管の疾患（良性腎硬化症、悪性高血圧症および加速性（ａｃｃｅｌｅｒａｔｅｄ）腎硬化症、腎動脈狭窄症、および血栓性細小（微小）血管症（古典的（胎児）溶血性尿毒症症候群、成人溶血性尿毒症症候群／血栓性血小板減少性紫斑病、特発性ＨＵＳ／ＴＴＰが挙げられるがこれらに限定されない）、および他の血管障害（アテローム性動脈硬化症の虚血性腎疾患、アテローム塞栓症腎疾患、鎌状赤血球症腎症、びまん性皮質性壊死、および腎梗塞が挙げられるがこれらに限定されない）が挙げられる）；尿路閉塞症（閉塞性尿路疾患）；尿石症（腎石、結石）；ならびに腎臓の腫瘍（良性腫瘍（例えば、腎乳頭腺腫、腎臓線維腫または過誤腫（腎髄質性（ｒｅｎｏｍｅｄｕｌｌａｒｙ）間細胞腫）、血管筋脂肪腫、および膨大細胞腫）、および悪性腫瘍（腎細胞癌（副腎腫、腎臓腺癌）を含む）が挙げられるがこれらに限定されない（これは、腎盤の尿路上皮癌を含む））。
【００５４】
本発明の６９５８３または８５９２４の核酸およびタンパク質は、種々の膵臓障害を処置および／または診断するために使用され得る。膵臓の障害または疾患としては、以下の障害が挙げられる：先天性異常のような外分泌膵臓（異所性膵臓が挙げられるがこれらの限定されない）；膵臓炎（急性膵臓炎が挙げられるがこれに限定されない）；嚢腫（偽性嚢胞が挙げられるがこれらに限定されない）；腫瘍（膵臓の嚢胞性腫瘍および癌腫が挙げられるがこれらに限定されない）；および内分泌性の膵臓の障害（例えば、真性糖尿病）；島細胞腫瘍（インスリノーマ、ガストリン産生腫瘍、および他のまれな島細胞腫瘍が挙げられるがこれらに限定されない）。
【００５５】
本発明の６９５８３および８５９２４の核酸およびタンパク質は、種々の結腸障害を処置および／または診断するために使用され得る。この結腸に関する障害としては、以下が挙げられるが、これらの限定されない：先天性異常（例えば、閉鎖症および狭窄症），メッケル憩室、先天性神経節細胞欠損性巨大結腸−ヒルシュスプルング病；腸炎（例えば、下痢および赤痢）、感染性腸炎（ウイルス性胃腸炎、細菌性腸炎、壊死性腸炎、抗生物質関連大腸炎（偽膜性腸炎）、ならびに膠原性大腸炎およびリンパ性大腸炎を含む）、多種細胞性腸管障害（寄生虫および原生動物を含む）、後天性免疫不全症候群、移植、薬物誘導性腸管損傷、放射性腸炎、好中球減少性大腸炎（盲腸炎）、および転換性（ｄｉｖｅｒｓｉｏｎ）大腸炎）；特発性炎症性腸管疾患（例えば、クローン病および潰瘍性大腸炎）；結腸の腫瘍（例えば、非腫瘍性ポリープ、腺種、家族性症候群、結腸直腸性発癌、結腸直腸性癌腫、およびカルチノイド腫瘍。
【００５６】
本発明の６９５８３および８５９２４の核酸およびタンパク質は、種々の胸部障害の処置および／または診断のために使用され得る。この胸部の障害としては、以下が挙げられるがこれらに限定されない：発達障害；炎症（急性乳房炎、末梢導管（ｐｅｒｉｄｕｃｔａｌ）乳房炎，末梢導管乳房炎（再発性乳輪膿瘍、乳管の落屑性化生）、乳腺拡張症、脂肪壊死、肉芽腫性乳房炎，ならびにシリコーン胸部移植物に関連する病理状態が挙げられるがこれらに限定されない）；線維性嚢胞；増殖性胸部疾患（上皮性過形成、硬化性腺疾患，および小管性（ｓｍａｌｌ  ｄｕｃｔ）乳頭腫が挙げられるがこれらに限定されない）；腫瘍（間質腫瘍（例えば、線維腺腫、葉状腫瘍、および肉腫）ならびに上皮性腫瘍（例えば大管性（ｌａｒｇｅ  ｄｕｃｔ）乳頭腫）が挙げられるがこれらに限定されない）；胸部の癌腫瘍（これは、以下を含む：インサイチュ（非浸潤性）癌腫（これは、インサイチュ管性癌腫（パジェット病を含む）およびインサイチュ小葉癌を含む）、ならびに浸潤性（ｉｎｖａｓｉｖｅ）（浸潤型（ｉｎｆｉｌｔｒａｔｉｎｇ））癌腫（浸潤性管性癌腫、特定の型に限定されない、浸潤性小葉癌、髄様癌、膠様（粘液性）癌、管状腺癌ならびに浸潤乳頭状癌が挙げられるがこれらに限定されない）、ならびに多種細胞性悪性新生物）。男性胸部における障害としては、女性化乳房および癌腫が挙げられるがこれらに限定されない。
【００５７】
本発明の６９５８３および８５９２４の核酸およびタンパク質は、例えば、以下のような種々の骨格筋の障害の処置および／または診断のために使用され得る：筋ジストロフィ（例えば、デュシェーヌジストロフィ、ベッカー筋ジストロフィ、エメリー−ドライフス筋ジストロフィ、肢帯筋ジストロフィ、顔面肩甲上腕筋ジストロフィ、筋緊張性ジストロフィ、眼咽頭筋ジストロフィ，遠位筋ジストロフィ、および先天性筋ジストロフィ）、運動ニューロン性疾患（例えば、筋萎縮性側索硬化症、乳児期進行性脊髄性筋萎縮症、中期脊髄性筋ジストロフィ、脊髄延髄性筋ジストロフィ、および成人脊髄性筋ジストロフィ）、筋疾患（例えば、炎症性筋障害（例えば、皮膚筋炎および多発性筋炎）、先天性筋緊張症、先天性パラミオトニア、中心コア病、ネマリンミオパシー、筋細管ミオパシー、および周期性四肢麻痺）、ならびに筋肉の代謝性疾患（例えば、ホスホリラーゼ欠損、酸性マルターゼ欠損、ホスホフルクトキナーゼ欠損、脱分枝酵素欠損症、ミトコンドリアミオパシー、カルニチン欠損症、カルニチンパルミチルトランスフェラーゼ欠損症、ホスホグリセレートキナーゼ欠損症、ホスホグリセレートムターゼ欠損症、ラクテートデヒドロキナーゼ欠損症、およびミオアデニル酸デアミナーゼ欠損症）。骨格筋肉に関連する障害としては、横紋筋肉腫のような腫瘍がさらに挙げられる。
【００５８】
本発明の６９５８３核酸および８５９２４核酸ならびに６９５８３タンパク質および８５９２４タンパク質は、種々の脳障害を処置および／または診断するために使用され得る。脳に影響を与える障害としては、以下が挙げられるがこれらに限定されない：ニューロンに影響を与える障害、およびグリア（例えば、星状細胞、稀突起神経膠細胞、上衣細胞、および小グリア）に影響を与える障害；脳浮腫、上昇した頭蓋内圧およびヘルニア形成、ならびに水頭症；奇形および発生性疾患（例えば、神経管欠損、前脳奇形、後部窩奇形（ｐｏｓｔｅｒｉｏｒ  ｆｏｓｓａ  ａｎｏｍａｌｙ）、ならびに脊髄空洞症および水脊髄症）；周産期脳傷害；脳血管疾患（例えば、低酸素に関連した脳血管疾患、虚血に関連した脳血管疾患、および梗塞に関連した脳血管疾患）（低血圧、低灌流、および低流動状態（全脳虚血および局所脳虚血）を含む）、局所血液供給の閉塞による梗塞、頭蓋内出血（脳内（実質内）出血、くも膜下出血および破裂性漿果状動脈瘤を含む）、ならびに血管奇形、高血圧性脳血管疾患（裂孔梗塞、細隙出血、および高血圧性脳障害を含む）；感染（例えば、急性髄膜炎（急性化膿性（細菌性）髄膜炎および急性無菌性（ウイルス性）髄膜炎を含む）、急性限局性化膿性感染（脳膿瘍、硬膜下蓄膿、および硬膜外膿瘍を含む）、慢性細菌性髄膜脳炎（結核およびマイコバクテリア症（ｍｙｃｏｂａｃｔｅｒｉｏｓｅｓ）を含む）、神経梅毒、および神経ボレリア症（ライム病）、ウイルス性髄膜脳炎（節足動物媒介性（Ａｒｂｏ）ウイルス脳炎を含む）、単純疱疹ウイルス１型、単純疱疹ウイルス２型、水痘−帯状疱疹（Ｖａｒｉｃａｌｌａ−ｚｏｓｔｅｒ）ウイルス（帯状疱疹）、サイトメガロウイルス、ポリオ、狂犬病、およびヒト免疫不全ウイルス１（ＨＩＶ−１髄膜脳炎（亜急性脳炎）、空胞ミエロパシー、ＡＩＤＳ関連ミオパシー、末梢神経障害および小児におけるＡＩＤＳを含む）、進行性多病巣性白質脳障害、亜急性硬化性汎脳炎、真菌性髄膜脳炎、神経系の他の感染性疾患；伝染性海綿状脳障害（プリオン病）；脱髄疾患（多発性硬化症、異型多発性硬化症、急性播種性脳脊髄炎および急性壊死性出血性脳脊髄炎および脱髄についての他の疾患を含む）；変性性疾患（例えば、大脳皮質に影響する変性性疾患（アルツハイマー病およびピック病を含む）、大脳基底核および脳幹の変性性疾患（パーキンソン症候群、特発性パーキンソン病（振せん麻痺（ｐａｒａｌｙｓｉｓ  ａｇｉｔａｎｓ））、進行性核上性麻痺、皮質基底部変性（ｃｏｒｔｉｃｏｂａｓａｌ  ｄｅｇｅｎｒａｔｉｏｎ）、多発性全身性萎縮（線条体黒質変性（ｓｔｒｉａｔｏｎｉｇｒａｌ  ｄｅｇｅｎｒａｔｉｏｎ）、シャイ−ドレーガー症候群、およびオリーブ橋小脳萎縮を含む）、ならびにハンティングトン病を含む）；脊髄小脳変性（脊髄小脳性運動失調（フリートライヒ運動失調、および毛細血管拡張性運動失調（ａｔａｘｉａ−ｔｅｌａｎｇｌｅｃｔａｓｉａ）を含む）を含む）、運動ニューロンに影響する変性性疾患（筋萎縮性側索硬化症（運動ニューロン疾患）、延髄脊髄萎縮（ケネディ症候群）、および棘筋萎縮を含む）；先天性代謝異常（例えば、白質萎縮（クラッベ病、異染性白質萎縮、副腎脳白質ジストロ��ィー、ペリツェーウス−メルツバッヒャー病、およびキャナヴァン病を含む）、ミトコンドリア脳ミオパシー（ｍｉｔｏｃｈｏｎｄｒｉａｌ  ｅｎｃｅｐｈａｌｏｍｙｏｐａｔｈｙ）（リー病および他のミトコンドリア脳ミオパシーを含む）；毒性代謝疾患および後天性代謝疾患（ビタミン欠損（例えば、チアミン（ビタミンＢ１）欠損およびビタミンＢ１２欠損）、代謝障害の神経学的後遺症（低血糖、高血糖、および肝性脳障害を含む）、毒性障害（一酸化炭素、メタノール、エタノール、および放射線（複合型メトトレキサートおよび放射線誘発性傷害を含む）を含む）を含む）；腫瘍（例えば、神経膠腫（星状細胞腫（線維性（びまん性）星状細胞腫および多形性神経膠芽細胞腫（ｇｌｉｏｂｌａｓｔｏｍａ  ｍｕｌｔｉｆｏｒｍｅ）、毛嚢腫性（ｐｉｌｏｃｙｔｉｃ）星状細胞腫、多形性黄色星状膠細胞腫を含む）、ならびに脳幹神経膠腫、乏突起神経膠腫、ならびに上衣細胞腫および関連の室傍大量病変（ｐａｒａｖｅｎｔｒｉｃｕｌａｒ  ｍａｓｓ  ｌｅｓｉｏｎ）を含む）、ニューロン腫瘍、未分化型新生物（髄芽細胞腫を含む）、他の実質腫瘍（原発性脳リンパ腫（ｐｒｉｍａｒｙ  ｂｒａｉｎ  ｌｙｍｐｈｏｍａ）、生殖細胞腫瘍、および松果体実質腫瘍を含む）、髄膜腫、転移性腫瘍、新生物随伴症候群、末梢神経鞘腫瘍（神経鞘腫、神経線維腫、および悪性末梢神経鞘腫瘍（悪性神経鞘腫）を含む）、ならびに神経皮膚症候群（母斑症（ｐｈａｋｏｍａｔｏｓｅｓ））（神経線維腫症（ｎｅｕｒｏｆｉｂｒｏｍｏｔｏｓｉｓ）（１型神経線維腫症（ＮＦ１）および２型神経線維腫症（ＮＦ２）を含む）、結節硬化症、およびフォン・ヒッペル−リンダウ症候群を含む）。
【００５９】
本発明の６９５８３核酸および８５９２４核酸ならびに６９５８３タンパク質および８５９２４タンパク質は、種々の視床下部障害を処置および／または診断するために使用され得る。視床下部機能不全は、疾患が両側性である場合にのみ生じる。視床下部の領域における腫瘍（例えば、頭蓋咽頭腫、視神経の神経膠腫、蝶形稜髄膜腫（ｓｐｈｅｎｏｉｄ  ｒｉｄｇｅ  ｍｅｎｉｎｇｉｏｍａｓ）、胚細胞腫、鞍結節髄膜腫、過誤腫、上衣腫、奇形腫）は、しばしばゆっくりと増殖し、そして症状が現れる前に大きなサイズに達成し得る。大きな腫瘍は、前頭葉および側頭葉の機能に影響し得る。視床下部は、食物の摂取および摂食行動、温度調節、睡眠サイクル、記憶および行動、渇き（ｔｈｉｒｓｔ）および自律神経系機能を担う。従って、視床下部障害としては、体重の障害（例えば、食欲不振、肥満および／または過食症）、摂食障害（例えば、神経性食欲不振および／または神経性大食症、高血糖症および／または低血糖症）、温度調節障害（例えば、低体温症、変温症（ｐｏｉｋｉｌｏｔｈｅｒｍｉａ））、睡眠障害（例えば、不眠、高傾眠症（ｈｙｐｅｒｓｏｍｎｏｌｅｎｃｅｒ）、昏睡）、記憶および行動障害（例えば、記憶喪失、痴呆）、常染色体神経系疾患（例えば、低血圧、徐脈、心電図異常、心筋の壊死、間脳性てんかん）、悪液質、ＡＩＤＳ関連るいそう、および癌関連るいそうが挙げられる。
【００６０】
本発明の６９５８３核酸および８５９２４核酸ならびに６９５８３タンパク質および８５９２４タンパク質は、種々の下垂体障害を処置および／または診断するために使用され得る。下垂体は、以下のようなホルモンを分泌する：甲状腺刺激ホルモン（ＴＳＨ）、卵胞刺激ホルモン（ＦＳＨ）、副腎皮質ホルモン（ＡＣＴＨ）など。これは、他の多くの内分泌腺（甲状腺、卵巣、副腎など）の活性を制御する。下垂体関連障害としては、下垂体が制御する内分泌腺の障害に加えて、とりわけ下垂体腺腫（視野の欠損を生じ得る）、動眼神経の麻痺または急性出血性梗塞、偶発腫、プロラクチノーマ、先端巨大症、クッシング症候群、頭蓋咽頭腫、トルコ鞍空虚症候群、性機能低下不全症、下垂体機能低下症、および下垂体炎が挙げられる。
【００６１】
本発明の６９５８３核酸および８５９２４核酸ならびに６９５８３タンパク質および８５９２４タンパク質は、種々の前立腺障害を処置および／または診断するために使用され得る。本明細書中で使用される場合、「前立腺障害」は、例えば、男性の性的機能不全および／または泌尿症状によって特徴付けられる男性の骨盤領域に生じる異常な状態をいう。この障害は、いくつかの前立腺の共通疾患（前立腺炎、良性前立腺肥大および癌（例えば、前立腺の腺癌または癌腫）を含む）のような尿生殖器炎症（例えば、平滑筋細胞の炎症）の形態で認められ得る。
【００６２】
本発明の６９５８３核酸および８５９２４核酸ならびに６９５８３タンパク質および８５９２４タンパク質は、種々の心血管障害を処置および／または診断するために使用され得る。本明細書中で用いられる場合、心臓に影響を与える障害、すなわち、「心血管疾患」または「心血管障害」は、心血管系（例えば、心臓、血管、および／または血液）に影響を与える、疾患または障害を包含する。心血管障害は、動脈圧力における不均等、心臓の機能不全、または（例えば、血栓による）血管の閉塞によって引き起こされ得る。心血管障害としては、例えば、以下のような障害が挙げられるがこれらに限定されない：動脈硬化症、アテローム性動脈硬化症、心肥大、虚血再灌流障害、再狭窄、動脈炎症、血管壁再形成、心室再形成、迅速心室ペーシング、冠状微小塞栓症、頻脈、徐脈、圧力過剰負荷、大動脈屈曲、冠状動脈結紮、脈管心臓病、弁の疾患（カルシウム沈着によって引き起こされる弁の変性、リウマチ性心疾患、心内膜炎、または人工弁の合併症が挙げられるがこれらに限定されない）；心房性細動、長ＱＴ症候群（ｌｏｎｇ−ＱＴ  ｓｙｎｄｒｏｍｅ）、うっ血性心不全、洞房結節機能不全（ｓｉｎｕｓ  ｎｏｄｅ  ｄｙｓｆｕｎｃｔｉｏｎ）、アンギナ、心不全、高血圧、心房性細動、心房粗動、心膜疾患（心内膜液浸出および心膜炎が挙げられるがこれらに限定されない）；心筋症（例えば、拡張型心筋症または特発性心筋症）、心筋梗塞、冠状動脈疾患、冠状動脈痙攣、虚血性疾患、不整脈、突然の心臓死、および心血管発達障害（例えば、動静脈先天異常、動静脈瘻、レーノー症候群、神経性胸郭出口症候群、カウザルギー／反射性交感神経性ジストロフィー、血管腫、動脈瘤、海綿状様血管腫、大動脈弁狭窄、心房中隔欠損症、房室管、大動脈の縮窄、エブスタイン奇形、左心室発育不全症候群、大動脈弓の中断、僧帽弁逸脱、動脈管、開存性卵円孔、部分肺静脈還流異常（ｐａｒｔｉａｌ  ａｎｏｍａｌｏｕｓ  ｐｕｌｍｏｎａｒｙ  ｖｅｎｏｕｓ  ｒｅｔｕｒｎ）、心室中隔欠損を伴う肺動脈弁閉鎖、心室中隔欠損を伴わない肺動脈弁閉鎖、胎児循環の存続、肺動脈弁狭窄、単心室、総肺静脈還流異常、大血管転位、三尖弁閉鎖、総動脈幹、心室中隔欠損）。心血管疾患または心血管障害はまた、内皮細胞障害を包含し得る。
【００６３】
喘息は、起動の炎症性疾患である。喘息および気管支肺の異形成を有する患者における気道応答性亢進および過剰な平滑筋重量は共存する。キナーゼ経路（すなわち、リンパ球のプロテインキナーゼＣ）はまた、炎症メディエーター（これは、おそらく喘息性応答を開始しかつ永続化する）の生成を導き得る。リンパ球の活性化の間、プロテインキナーゼの役割が強調されている。気管支喘息における末梢血リンパ球のキナーゼ活性の変化は、酵素分子の調節機構での変化が原因であり得る。
【００６４】
より詳細には、マイトジェン活性化プロテインキナーゼ（ＭＡＰキナーゼ）セリン／スレオニンキナーゼスーパーファミリーは、活性化される際、細胞分裂刺激後に細胞質から核へ移行し、そして転写を始める。刺激の代わりにセリン／スレオニンキナーゼを介するマイトジェンシグナル伝達は、平滑筋増殖を刺激し、これは、気管支収縮剤誘導性の機能狭小化を増加させ得る。Ｈｅｒｓｈｅｎｓｏｎ  ＭＢら、（１９９７）Ｃａｎ  Ｊ  Ｐｈｙｓｉｏｌ  Ｐｈａｒｍａｃｏｌ  ７５（７）：８９８−９１０。
【００６５】
プロテインキナーゼ関連活性は、ケモカインによって和らげられる。ケモカインは、炎症の重要なメディエーターである。動物研究は、プロテインキナーゼに関するケモカイン作用の阻害が炎症の低下を生じることを示唆する。プロテインキナーゼ経路におけるケモカインの潜在的役割を示す種々の疾患としては、以下が挙げられる：成人呼吸窮迫症候群、アロテーム性動脈硬化症、炎症性腸疾患、および固形の臓器移植。（Ｓｈａｍｅｓ  ＢＤら、（２０００）Ｓｈｏｃｋ  Ｊｕ１；１４（１）：１−７）。プロテインキナーゼファミリーメンバーは、Ｔ細胞、Ｂ細胞および肥満細胞において見出され、そしてそれらはまた、アレルギー性気道疾患（ＡＡＤ）のマウスモデルにおいて調節される。
【００６６】
従って、本発明の６９５８３核酸または８５９２４核酸および６９５８３タンパク質または８５９２４タンパク質は、種々の免疫（例えば、炎症（例えば、呼吸炎症））障害を処置および／または診断するために使用され得る。免疫障害または免疫疾患の例としては、自己免疫疾患（例えば、真性糖尿病、関節炎（慢性関節リウマチ、若年性関節リウマチ、変形性関節症、乾癬性関節炎を含む）、多発性硬化症、脳脊髄炎、重症筋無力症、全身性エリテマトーデス、自己免疫甲状腺炎、皮膚炎（アトピー性皮膚炎および湿疹性皮膚炎）、乾癬、シェーグレン症候群、炎症性腸疾患（例えば、クローン病および潰瘍性大腸炎）、アフタ性潰瘍、虹彩炎、結膜炎、角結膜炎、喘息、アレルギー性喘息、慢性閉塞性肺疾患、皮膚エリテマトーデス、強皮症、膣炎、直腸炎、薬疹、らい逆転反応、らい性結節性紅斑、自己免疫ブドウ膜炎、アレルギー性脳脊髄炎、急性壊死性出血性脳障害、特発性両側性進行性感音聴覚障害、再生不良性貧血、赤芽球ろう、特発性血小板減少、多発性軟骨炎、ヴェーゲナー肉芽腫症、慢性活動性肝炎、スティーヴンズ−ジョンソン症候群、特発性スプルー、扁平苔癬、グレーブス病、サルコイドーシス、原発性胆汁性肝硬変、後部ブドウ膜炎、および間質性肺線維症が挙げられる）、宿主対移植片病、移植症例、およびアレルギー（例えば、アトピー性アレルギー）が挙げられるが、これらに限定されない。
【００６７】
プロテインキナーゼはまた、悪性形質転換および腫瘍または浸潤に関連するプロセスにおいて重要な役割を果たし得る。これは、プロテインキナーゼを抗癌治療にとっての適切な潜在的な標的とする。ヒト肺癌腫ＬＴＥＰａ−２細胞におけるプロテインキナーゼ活性の遮断は、細胞増殖速度、軟寒天でのコロニー形成効率、ヌードマウスでの腫瘍形成、およびこれらの腫瘍細胞の腫瘍性特性を顕著に阻害する（Ｗａｎｇ  ＸＹら、（１９９９）Ｅｘｐ  Ｃｅｌｌ  Ｒｅｓ  Ｊｕｌ  １０；２５０（１）：２５３−６３）。従って、本発明の６９５８３核酸または８５９２４核酸および６９５８３タンパク質または８５９２４タンパク質は、細胞性増殖障害および／または分化障害を処置するために使用され得る。
【００６８】
細胞増殖性障害および／または細胞分化障害の例としては、癌（例えば、癌腫、肉腫、転移性障害または造血新生物障害（例えば、白血病））が挙げられる。転移性腫瘍は、多くの原発性腫瘍型から生じ得る（前立腺、結腸、肺、胸部および肝臓の起源の原発性腫瘍型を含むがこれらに限定されない）。
【００６９】
本明細書中で用いられる場合、用語「癌」（用語「過剰増殖性」および「新生物性」とも交換可能に用いられる）とは、自律増殖する能力を有する（すなわち、迅速に増殖する細胞増殖によって特徴付けられる、異常な状況または状態の）細胞をいう。癌性疾患状態は、病的（すなわち、疾患状態を特徴付けるかまたは構成する；例えば、悪性腫瘍増殖）と分類され得るか、または非病的（すなわち、正常状態からは逸脱しているが、疾患状態とは関連していない；例えば、創傷修復に関連した細胞増殖）と分類され得る。この用語は、組織病理学的型または侵襲性の段階にかかわらず、全ての型の癌性増殖または発癌プロセス、転移性組織または悪性形質転換細胞、悪性形質転換組織もしくは悪性形質転換器官を包含することが意味される。用語「癌」は、種々の器官系の悪性疾患（例えば、肺、胸部、甲状腺、リンパ管、胃腸管、および尿生殖管に罹患する悪性疾患）、ならびに腺癌（これは、大部分の結腸癌、腎細胞癌、前立腺癌および／または精巣腫瘍のような悪性疾患を包含する）、肺の非小細胞癌、小腸癌および食道癌を包含する。用語「癌腫」は、当該分野で認識されており、そして上皮組織または内分泌組織の悪性疾患（呼吸器系癌腫、胃腸系癌腫、泌尿生殖器系癌腫、精巣癌腫、胸部癌腫、前立腺癌腫、内分泌系癌腫、および黒色腫を包含する）をいう。例示的な癌腫としては、子宮頸部、肺、前立腺、胸部、頭部および頸部、結腸ならびに卵巣の組織から形成される癌腫が挙げられる。用語「癌腫」はまた、癌肉腫を包含し、例えば、これは、癌性でかつ肉腫性の組織から構成される悪性腫瘍を包含する。「腺癌」とは、腺組織に由来する癌腫、または腫瘍細胞が認識可能な腺構造を形成する癌腫をいう。用語「肉腫」は、当該分野で認識されており、間葉誘導物である悪性腫瘍をいう。
【００７０】
本発明の６９５８３分子または８５９２４分子を用いて、種々の増殖性障害をモニタリング、処置および／または診断し得る。このような障害としては、造血新生物障害が挙げられる。本明細書中で用いられる場合、用語「造血新生物障害」としては、（例えば、骨髄系統、リンパ系統もしくは赤血球系統またはそれらの前駆細胞から生じる）造血起源の過形成細胞／新生物細胞を含む疾患が挙げられる。好ましくは、この疾患は、ほとんど分化していない急性白血病（例えば、赤芽球性白血病および急性巨核芽球性白血病）から生じる。さらなる例示的な骨髄障害としては、急性前骨髄球白血病（ＡＰＭＬ）、急性骨髄性白血病（ＡＭＬ）および慢性骨髄性白血病（ＣＭＬ）（Ｖａｉｃｋｕｓ（１９９１）Ｃｒｉｔ  Ｒｅｖ．ｉｎ  Ｏｎｃｏｌ．／Ｈｅｍｏｔｏｌ．１１：２６７−９７において概説される）が挙げられるがこれらに限定されない；リンパ性悪性疾患としては、急性リンパ芽球性白血病（ＡＬＬ）（これは、Ｂ系統ＡＬＬおよびＴ系統ＡＬＬを包含する）、慢性リンパ性白血病（ＣＬＬ）、前リンパ球性白血病（ＰＬＬ）、毛様細胞性白血病（ＨＬＬ）およびヴァルデンストレームマクログロブリン血症（ＷＭ）が挙げられるがこれらに限定されない。さらなる形態の悪性リンパ腫としては、非ホジキンリンパ腫およびその変種、末梢Ｔ細胞リンパ腫、成人Ｔ細胞白血病／リンパ腫（ＡＴＬ）、皮膚Ｔ細胞リンパ腫（ＣＴＣＬ）、大型顆粒リンパ球白血病（ＬＧＦ）、ホジキン病およびリード−スターンバーグ疾患が挙げられるがこれらに限定されない。
【００７１】
６９５８３タンパク質または８５９２４タンパク質、そのフラグメント、および誘導体、ならびにその配列番号２または配列番号５における配列の他の改変体は、総称して、「本発明のポリペプチドまたはタンパク質」あるいは「６９５８３ポリペプチドまたは８５９２４ポリペプチドあるいは６９５８３タンパク質または８５９２４タンパク質」という。このようなポリペプチドまたはタンパク質をコードする核酸分子は、総称して、「本発明の核酸」または「６９５８３核酸または８５９２４核酸」という。
【００７２】
本明細書中で使用する場合、用語「核酸分子」は、ＤＮＡ分子（例えば、ｃＤＮＡまたはゲノムＤＮＡ）、およびＲＮＡ分子（例えば、ｍＲＮＡ）、ならびに例えば、ヌクレオチドアナログの使用によって生成される、ＤＮＡまたはＲＮＡのアナログを含む。核酸分子は、一本鎖または二本鎖であり得るが、好ましくは、二本鎖ＤＮＡである。
【００７３】
用語「単離された核酸分子または精製された核酸分子」は、核酸の天然の供給源に存在する他の核酸分子から分離された核酸分子を含む。例えば、ゲノムＤＮＡに関して、用語「単離された」は、そのゲノムＤＮＡが天然で結合している染色体から分離された核酸分子を含む。好ましくは、「単離された」核酸は、その核酸が由来する生物のゲノムＤＮＡにおいて、その核酸に天然で隣接する配列（すなわち、この核酸の５’末端および／または３’末端に位置する配列）を含まない。例えば、種々の実施形態において、単離された核酸分子は、その核酸が由来する細胞のゲノムＤＮＡにおいて、天然でその核酸分子に隣接する、約５ｋｂ、４ｋｂ、３ｋｂ、２ｋｂ、１ｋｂ、０．５ｋｂ、または０．１ｋｂ未満の５’側および／または３’側のヌクレオチド配列を含み得る。さらに、「単離された」核酸分子（例えば、ｃＤＮＡ分子）は、実質的に、他の細胞物質、または、組換え技術により生成される場合、培養培地を含まないか、あるいは、化学合成される場合、化学前駆体または他の化学物質を実質的に含まない。
【００７４】
本明細書中で使用される場合、用語「低ストリンジェンシー、中程度のストリンジェンシー、高ストリンジェンシー、または非常に高いストリンジェンシーの条件下でハイブリダイズする」とは、ハイブリダイゼーションおよび洗浄のための条件を説明する。ハイブリダイゼーション反応を実施するための手引きは、Ｃｕｒｒｅｎｔ  Ｐｒｏｔｏｃｏｌｓ  ｉｎ  Ｍｏｌｅｃｕｌａｒ  Ｂｉｏｌｏｇｙ（１９８９）Ｊｏｈｎ  Ｗｉｌｅｙ  ＆  Ｓｏｎｓ，Ｎ．Ｙ．，６．３．１−６．３．６（これは、本明細書中で参考として援用される）において見出され得る。水性および非水性の方法は、その参考文献に記載され、そしてそのいずれかが使用され得る。本明細書中で言及される特定のハイブリダイゼーション条件は、以下の通りである：１）約４５℃で６×塩化ナトリウム／クエン酸ナトリウム（ＳＳＣ）中での低ストリンジェンシーのハイブリダイゼーション条件、その後の少なくとも５０℃で０．２×ＳＳＣ、０．１％ＳＤＳ中での２回の洗浄（洗浄温度は、低ストリンジェンシーの条件について５５℃まで上昇され得る）；２）約４５℃で６×ＳＳＣ中での中程度にストリンジェンシーのハイブリダイゼーション条件、その後の６０℃で０．２×ＳＳＣ、０．１％ＳＤＳ中での１回以上の洗浄；３）約４５℃で６×ＳＳＣ中での高ストリンジェンシーのハイブリダイゼーション条件、その後の６５℃で０．２×ＳＳＣ、０．１％ＳＤＳ中での１回以上の洗浄；そして好ましくは、４）非常に高ストリンジェンシーのハイブリダイゼーション条件は、６５℃で０．５Ｍリン酸ナトリウム、７％ＳＤＳ、その後の６５℃で０．２×ＳＳＣ、１％ＳＤＳ中での１回以上の洗浄である。非常に高ストリンジェンシー条件（４）が、好ましい条件であり、そして他にそうでないことが示されない限り、使用されるべき条件である。
【００７５】
本明細書中で使用される場合、「天然に存在する」核酸分子は、天然で生じる（例えば、天然のタンパク質をコードする）ヌクレオチド配列を有するＲＮＡ分子またはＤＮＡ分子をいう。
【００７６】
本明細書中で使用される場合、用語「遺伝子」および「組換え遺伝子」は、６９５８３タンパク質または８５９２４タンパク質、好ましくは、哺乳動物６９５８３タンパク質または８５９２４タンパク質をコードするオープンリーディングフレームを含む核酸分子をいい、そして非コード調節配列およびイントロンをさらに含み得る。
【００７７】
「単離された」または「精製された」ポリペプチドまたはタンパク質は、そのタンパク質が由来する細胞または組織供給源由来の細胞物質または他の混入タンパク質を実質的に含まないか、あるいは化学合成された場合に化学前駆体または他の化学物質を実質的に含まない。１つの実施形態において、語「実質的に含まない」は、６９５８３タンパク質または８５９２４タンパク質の調製物が、約３０％、２０％、１０％、およびより好ましくは、５％未満（乾燥重量）の、非６９５８３タンパク質または非８５９２４タンパク質（本明細書中で「混入タンパク質」とも呼ばれる）または化学前駆体もしくは非６９５８３化学物質または非８５９２４化学物質を有することを意味する。６９５８３タンパク質または８５９２４タンパク質またはその生物学的に活性な部分が組換え産生される場合、それはまた、好ましくは、培養培地を実質的に含まない（すなわち、培養培地は、タンパク質調節物の容量の約２０％未満、より好ましくは約１０％未満、そして最も好ましくは約５％未満を占める）。本発明は、乾燥重量で、少なくとも０．０１、０．１、１．０、および１０ｍｇの単離または精製された調製物を含む。
【００７８】
「非必須」アミノ酸残基は、生物学的活性を喪失することも、またより好ましくは実質的に変更することもなく、６９５８３または８５９２４の野生型配列（例えば、配列番号１、３、４または６の配列）から変更され得る残基であり、一方、「必須」アミノ酸残基は、そのような変化を生じる。例えば、本発明のポリペプチドにおいて保存されたアミノ酸残基（例えば、プロテインキナーゼドメインまたはＳＨ３ドメイン中に存在するアミノ酸残基）は、変更に対して特に影響を受けにくいことが予想される。
【００７９】
「保存的アミノ酸置換」は、アミノ酸残基が類似の側鎖を有するアミノ酸残基で置換されるアミノ酸置換である。類似の側鎖を有するアミノ酸残基のファミリーは、当該分野で規定されている。これらのファミリーとしては、塩基性側鎖を有するアミノ酸（例えば、リジン、アルギニン、ヒスチジン）、酸性側鎖を有するアミノ酸（例えば、アスパラギン酸、グルタミン酸）、非荷電極性側鎖を有するアミノ酸（例えば、グリシン、アスパラギン、グルタミン、セリン、スレオニン、チロシン、システイン）、非極性側鎖を有するアミノ酸（例えば、アラニン、バリン、ロイシン、イソロイシン、プロリン、フェニルアラニン、メチオニン、トリプトファン）、β分枝側鎖を有するアミノ酸（例えば、スレオニン、バリン、イソロイシン）、および芳香族側鎖を有するアミノ酸（例えば、チロシン、フェニルアラニン、トリプトファン、ヒスチジン）が挙げられる。従って、６９５８３タンパク質または８５９２４タンパク質中の予測される非必須アミノ酸残基は、好ましくは、同一側鎖ファミリー由来の別のアミノ酸残基で置換される。あるいは、別の実施形態において、変異は、６９５８３または８５９２４のコード配列の全てまたは一部に沿って無作為に導入され得（例えば、飽和変異誘発によって）、そして得られる変異体は、活性を保持する変異体を同定するために、６９５８３または８５９２４の生物学的活性についてスクリーニングされ得る。配列番号１、配列番号３、配列番号４または配列番号６の変異誘発の後、コードされるタンパク質は、組換え発現され得、そしてタンパク質の活性が、決定され得る。
【００８０】
本明細書中で使用される場合、６９５８３タンパク質または８５９２４タンパク質の「生物学的に活性な部分」は、６９５８３分子または８５９２４分子と非６９５８３分子または非８５９２４分子との間の相互作用に関与する、６９５８３タンパク質または８５９２４タンパク質のフラグメントを包含する。６９５８３タンパク質または８５９２４タンパク質の生物学的に活性な部分としては、全長６９５８３タンパク質または全長８５９２４タンパク質より少ないアミノ酸を含みかつ６９５８３タンパク質または８５９２４タンパク質の少なくとも１つの活性を示す、６９５８３タンパク質または８５９２４タンパク質のアミノ酸配列に十分に相同であるかまたはそれに由来するアミノ酸配列（例えば、配列番号２または配列番号５に示されるアミノ酸配列）を含むペプチドが挙げられる。代表的には、生物学的に活性な部分は、６９５８３タンパク質または８５９２４タンパク質の少なくとも１つの活性（例えば、ＡＴＰ結合、ならびに細胞増殖および細胞分裂に関連する生化学的変化および形態学的変化の調節）を有するドメインまたはモチーフを含む。６９５８３タンパク質または８５９２４タンパク質の生物学的に活性な部分は、例えば、１０アミノ酸長、２５アミノ酸長、５０アミノ酸長、１００アミノ酸長、２００アミノ酸長以上であるポリペプチドであり得る。６９５８３タンパク質または８５９２４タンパク質の生物学的に活性な部分は、６９５８３媒介性活性または８５９２４媒介性活性（例えば、ＡＴＰ結合、ならびに細胞増殖および細胞分裂に関連する生化学的変化および形態学的変化の調節）を調節する薬剤を開発するための標的として使用され得る。
【００８１】
配列間の相同性または配列同一性（用語「相同性」および「同一性」は、本明細書中で交換可能に使用される）の計算は、以下のように実施される。
【００８２】
２つのアミノ酸配列、または２つの核酸配列の同一性パーセントを決定するために、これらの配列は、最適な比較目的で整列される（例えば、ギャップが、最適な整列のために、第１および第２のアミノ酸配列または核酸配列の一方または両方に導入され得、そして非相同配列は、比較目的で無視され得る）。好ましい実施形態において、比較目的で整列される参照配列の長さは、参照配列の少なくとも３０％、好ましくは少なくとも４０％、より好ましくは少なくとも５０％、さらにより好ましくは６０％、およびさらにより好ましくは少なくとも７０％、８０％、９０％、１００％の長さである（例えば、１０３７アミノ酸残基を有する、配列番号２の６９５８３アミノ酸配列に第２の配列を整列する場合、少なくとも３１１アミノ酸残基、好ましくは少なくとも４１５アミノ酸残基、より好ましくは少なくとも５１８アミノ酸残基、なおより好ましくは少なくとも６２２アミノ酸残基、そしてさらにより好ましくは少なくとも７２５アミノ酸残基、８３０アミノ酸残基または９３３アミノ酸残基が整列される；２１９４アミノ酸残基を有する、配列番号５の８５９２４アミノ酸配列に第２の配列を整列する場合、少なくとも６５８アミノ酸残基、好ましくは少なくとも８７８アミノ酸残基、より好ましくは少なくとも１０９７アミノ酸残基、なおより好ましくは少なくとも１３１６アミノ酸残基、そしてさらにより好ましくは少なくとも１５３６アミノ酸残基、１７５５アミノ酸残基、または１９７５アミノ酸残基が整列される）。次いで、対応するアミノ酸位置またはヌクレオチド位置のアミノ酸残基またはヌクレオチドが、比較される。第１の配列における位置が、第２の配列の対応する位置と同じアミノ酸残基またはヌクレオチドで占められる場合、これらの分子は、その位置で同一である（本明細書中で使用される場合、アミノ酸または核酸の「同一性」は、アミノ酸または核酸の「相同性」と等しい）。２つの配列間の同一性パーセントは、それらの配列により共有される同一の位置の数の関数である（２つの配列の最適なアラインメントのために導入される必要のある、ギャップの数および各ギャップの長さが考慮される）。
【００８３】
配列の比較および２つの配列間の同一性パーセントの決定は、数学的アルゴリズムを用いて達成され得る。好ましい実施形態において、２つのアミノ酸配列間の同一性パーセントは、ＧＣＧソフトウェアパッケージにおいてＧＡＰプログラムに組み込まれたＮｅｅｄｌｅｍａｎおよびＷｕｎｓｃｈ（（１９７０）Ｊ．Ｍｏｌ．Ｂｉｏｌ．４８：４４４−４５３）のアルゴリズムを用い、Ｂｌｏｓｓｕｍ  ６２マトリクスまたはＰＡＭ２５０マトリクスのいずれか、ならびにギャップウェイト１６、１４、１２、１０、８、６、または４およびレンクスウェイト（ｌｅｎｇｔｈ  ｗｅｉｇｈｔ）１、２、３、４、５、または６を用いて決定される。さらに別の好ましい実施形態において、２つのヌクレオチド配列間の同一性パーセントは、ＧＣＧソフトウェアパッケージのＧＡＰプログラムを用い、ＮＷＳｇａｐｄｎａ．ＣＭＰマトリクスならびにギャップウェイト４０、５０、６０、７０、または８０およびレンクスウェイト１、２、３、４、５、または６を用いて決定される。特に好ましいパラメータセット（および分子が本発明の配列同一性または配列相同性の限界内にあるか否かを決定するためにどのパラメータが適用されるべきかについて実施者の気持ちが決まっていない場合に使用されるべきパラメータセット）は、Ｂｌｏｓｓｕｍ  ６２スコアリングマトリクス（ギャップペナルティー１２、ギャップエクステンドペナルティー４、およびフレームシフトギャップペナルティー５）である。
【００８４】
２つのアミノ酸配列間またはヌクレオチド配列間の同一性パーセントは、ＡＬＩＧＮプログラム（バージョン２．０）に組み込まれたＭｅｙｅｒｓおよびＭｉｌｌｅｒ（（１９８９）ＣＡＢＩＯＳ、４：１１−１７）のアルゴリズムを用い、ＰＡＭ１２０ウェイトレジデューテーブル（ｗｅｉｇｈｔ  ｒｅｄｉｄｕｅ  ｔａｂｌｅ）、ギャップレンクスペナルティー１２、およびギャップペナルティー４を用いて決定され得る。
【００８５】
本明細書中に記載される核酸配列およびタンパク質配列は、「問い合わせ配列」として使用され、公開されたデーターベースに対して（例えば、他のファミリーメンバーまたは関連配列を同定するために）サーチが実施され得る。このようなサーチは、Ａｌｔｓｃｈｕｌら（１９９０）Ｊ．Ｍｏｌ．Ｂｉｏｌ．２１５：４０３−１０のＮＢＬＡＳＴプログラムおよびＸＢＬＡＳＴプログラム（バージョン２．０）を用いて実施され得る。ＢＬＡＳＴヌクレオチドサーチは、ＮＢＬＡＳＴプログラム、スコア＝１００、ワードレンクス＝１２を用いて実施され得、本発明の６９５８３核酸分子または８５９２４核酸分子に対して相同なヌクレオチド配列が獲得される。ＢＬＡＳＴタンパク質サーチは、ＸＢＬＡＳＴプログラム、スコア＝５０、ワードレンクス＝３を用いて実施され得、本発明の６９５８３タンパク質分子または８５９２４タンパク質分子に対して相同なアミノ酸配列が獲得される。比較目的でギャップアラインメント（ｇａｐｐｅｄ  ａｌｉｇｎｍｅｎｔ）を獲得するために、Ｇａｐｐｅｄ  ＢＬＡＳＴが、Ａｌｔｓｃｈｕｌら（１９９７）Ｎｕｃｌｅｉｃ  Ａｃｉｄｓ  Ｒｅｓ．２５：３３８９−３４０２に記載のように使用され得る。ＢＬＡＳＴプログラムおよびＧａｐｐｅｄ  ＢＬＡＳＴプログラムを使用する場合、それぞれのプログラム（例えば、ＸＢＬＡＳＴおよびＮＢＬＡＳＴ）のデフォルトパラメータが使用され得る。
【００８６】
本発明の特定の６９５８３ポリペプチドまたは８５９２４ポリペプチドは、配列番号２または配列番号５のアミノ酸配列と実質的に同一のアミノ酸配列を有する。アミノ酸配列の文脈で、用語「実質的に同一」は、第１および第２のアミノ酸配列が、共通の構造的ドメインおよび／または共通の機能的活性を有し得るに十分な数または最小限の数の、ｉ）第２のアミノ酸配列における整列されたアミノ酸残基と同一であるかまたはｉｉ）その保存的置換であるアミノ酸残基を含む第１のアミノ酸をいうように本明細書中で使用される。例えば、配列番号２または配列番号５に対して少なくとも約６０％、または６５％の同一性、おそらく、７５％の同一性、よりおそらくは８５％、９０％、９１％、９２％、９３％、９４％、９５％、９６％、９７％、９８％、または９９％の同一性を有する共通の構造的ドメインを含むアミノ酸配列は、実質的に同一であると言及される。
【００８７】
ヌクレオチド配列の文脈において、用語「実質的に同一」は、第１および第２のヌクレオチド配列が、共通の機能的活性を有するポリペプチドをコードするか、または共通の構造的ポリペプチドドメインもしくは共通の機能的ポリペプチド活性をコードするに十分な数または最小限の数の、第２の核酸配列における整列されたヌクレオチドと同一のヌクレオチドを含む第１の核酸配列をいうよう本明細書中で使用される。例えば、配列番号１、配列番号３、配列番号４または配列番号６に対して少なくとも約６０％、または６５％の同一性、おそらく、７５％の同一性、よりおそらくは８５％、９０％、９１％、９２％、９３％、９４％、９５％、９６％、９７％、９８％、または９９％の同一性を有するヌクレオチド配列は、実質的に同一であると言及される。
【００８８】
「誤発現または異常な発現」は、本明細書中で使用される場合、ＲＮＡまたはタンパク質のレベルでの遺伝子発現の非野生型パターンをいう。これらとしては、以下：非野生型レベルでの発現（すなわち、過剰発現または過少発現）；遺伝子が発現される時点または段階の点で野生型と異なる発現パターン（例えば、所定の発達期または段階での増加または減少した発現（野生型と比較した場合））；所定の細胞型または組織型において減少した発現（野生型と比較した場合）の点で野生型と異なる発現パターン；発現されるポリペプチドのスプライシングサイズ、アミノ酸配列、翻訳後修飾、または生物学的活性の点で野生型と異なる発現パターン；遺伝子の発現に対する環境的刺激または細胞外刺激の効果の点で野生型と異なる発現パターン（例えば、刺激の強度における増加または減少の存在下で増加または減少した発現パターン（野生型と比較した場合））、が挙げられる。
【００８９】
「被験体」は、本明細書中で使用される場合、哺乳動物（例えば、ヒト）、または実験モデルもしくは動物モデルもしくは疾患モデルを指し得る。この被験体はまた、非ヒト動物（例えば、ウマ、ウシ、ヤギ、または他の家畜動物）であり得る。
【００９０】
「細胞の精製調製物」は、本明細書中で使用される場合、植物細胞もしくは動物細胞の場合は細胞のインビボ調製物を指し、インタクトな植物全体も動物全体も指さない。培養細胞または微生物細胞の場合、それは、被験体細胞の少なくとも１０％そしてより好ましくは５０％の調製物からなる。
【００９１】
本発明の種々の局面は、以下でさらに詳細に記載される。
【００９２】
（単離された核酸分子）
１つの局面において、本発明は、本明細書中に記載される６９５８３ポリペプチドまたは８５９２４ポリペプチド（例えば、全長６９５８３タンパク質または８５９２４タンパク質またはそのフラグメント（例えば、６９５８３タンパク質または８５９２４タンパク質の生物学的に活性な部分））をコードする単離または精製された核酸分子を提供する。ハイブリダイゼーションプローブとして使用するのに適した核酸フラグメント（これらは、例えば、本発明のポリペプチドをコードする核酸分子を同定するために使用され得る）、６９５８３  ｍＲＮＡまたは８５９２４  ｍＲＮＡ、およびプライマー（例えば、核酸分子の増幅または変異のためのＰＣＲプライマー）として使用するのに適したフラグメントもまた含まれる。
【００９３】
１つの実施形態において、本発明の単離された核酸分子は、配列番号１および配列番号４に示されるヌクレオチド配列、またはこれらのヌクレオチド配列の任意の一部を含む。１つの実施形態において、これらの核酸分子は、ヒト６９５８３タンパク質または８５９２４タンパク質をコードする配列（すなわち、配列番号３に示されるような、配列番号１の「コード領域」、配列番号６に示されるような、配列番号４の「コード領域」）、ならびに５’非翻訳配列（配列番号４のヌクレオチド１〜６６）および３’非翻訳配列（配列番号１のヌクレオチド３１１１１〜５５４９および配列番号４のヌクレオチド６６４８〜７８２５）を含む。あるいは、これらの核酸分子は、配列番号１のコード領域（例えば、配列番号３）および配列番号４のコード領域（配列番号６）をのみを含み得、そして例えば、通常対象配列に付随する隣接配列を含まない。別の実施形態において、核酸分子は、配列番号２のアミノ酸約４１〜１００、配列番号２のアミノ酸約１２４〜３９８または配列番号５のアミノ酸約１８１〜４３９のタンパク質フラグメントに対応する配列をコードする。
【００９４】
別の実施形態において、本発明の単離された核酸分子は、配列番号１、配列番号３、配列番号４もしくは配列番号６に示されるヌクレオチド配列の相補鎖またはこれらのヌクレオチド配列の任意の一部分である、核酸分子を含む。他の実施形態において、本発明の核酸分子は、配列番号１、配列番号３、配列番号４または配列番号６に示されるヌクレオチド配列に十分相補的であり、その結果、配列番号１、配列番号３、配列番号４または配列番号６に示されるヌクレオチド配列にハイブリダイズし得、それによって、安定な二重鎖を形成する。
【００９５】
１つの実施形態において、本発明の単離された核酸分子は、配列番号１、配列番号３、配列番号４または配列番号６に示されるヌクレオチド配列の全長に対して、少なくとも約６０％、６５％、７０％、７５％、８０％、８５％、９０％、９１％、９２％、９３％、９４％、９５％、９６％、９７％、９８％、９９％、もしくはそれ以上相同なヌクレオチド配列、またはその一部（好ましくは、これらのヌクレオチド配列のいずれかの、同一の長さのもの）を含む。
【００９６】
（６９５８３または８５９２４の核酸フラグメント）
本発明の核酸分子は、配列番号１、配列番号３、配列番号４または配列番号６の核酸配列の一部のみを含み得る。例えば、このような核酸分子は、プローブもしくはプライマーとして使用され得るフラグメントまたは６９５８３タンパク質または８５９２４タンパク質の一部をコードするフラグメント（例えば、６９５８３タンパク質または８５９２４タンパク質の免疫原性部分または生物学的に活性な部分）を含み得る。フラグメントは、ヒト６９５８３または８５９２４のプロテインキナーゼドメインまたはＳＨ３ドメインをコードする配列番号１および配列番号４のヌクレオチドを含み得る。６９５８３遺伝子または８５９２４遺伝子のクローニングから決定されるヌクレオチド配列により、他の６９５８３または８５９２４のファミリーメンバーまたはそれらのフラグメント、ならびに他の種由来の６９５８３または８５９２４のホモログまたはそれらのフラグメントを同定および／またはクローニングするのに使用するために設計されたプローブおよびプライマーが作製され得る。
【００９７】
別の実施形態において、核酸は、コード領域の一部または全てを含みかつ５’非コード領域非コード領域または３’ 非コード領域のいずれか（または両方）に延びる、ヌクレオチド配列を含む。他の実施形態は、本明細書中に記載されるアミノ酸フラグメントをコードするヌクレオチド配列を含むフラグメントを含む。核酸フラグメントは、本明細書中に記載される特定のドメインもしくは部位またはそれらのフラグメント（特に、少なくとも１００アミノ酸長のそれらのフラグメント）をコードし得る。フラグメントはまた、上記の特定のアミノ酸配列に対応する核酸配列またはそれらのフラグメントを含む。核酸フラグメントは、本発明以前に開示されたかもしれないフラグメントを包含すると解釈されるべきでない。
【００９８】
核酸フラグメントは、本明細書中に記載されるドメイン、領域、または機能的部位に対応する配列を含み得る。核酸フラグメントはまた、本明細書中に記載される１つ以上のドメイン、領域、または機能的部位を含み得る。従って、例えば、６９５８３核酸フラグメントまたは８５９２４核酸フラグメントは、本明細書中に記載されるような、プロテインキナーゼドメインまたはＳＨ３ドメインに対応する配列を含み得る。
【００９９】
６９５８３プローブまたは８５９２４プローブおよび６９５８３プライマーまたは８５９２４プライマーが提供される。代表的に、プローブ／プライマーは、単離または精製されたオリゴヌクレオチドである。このオリゴヌクレオチドは、代表的に、ストリンジェントな条件下で、配列番号１、配列番号３、配列番号４もしくは配列番号６のセンス配列もしくはアンチセンス配列、または配列番号１、配列番号３、配列番号４もしくは配列番号６の天然に存在する対立遺伝子改変体もしくは変異体のうちの、少なくとも約７個、１２個、または１５個、好ましくは約２０個または２５個、より好ましくは約３０個、３５個、４０個、４５個、５０個、５５個、６０個、６５個、または７５個連続するヌクレオチドとハイブリダイズするヌクレオチド配列の領域を含む。
【０１００】
好ましい実施形態において、その核酸は、長さが少なくとも５塩基対もしくは１０塩基対であり、かつ２００塩基対未満、より好ましくは１００塩基対未満、もしくは５０塩基対未満である、プローブである。その核酸は、本明細書中に開示される配列と同一であるか、または１塩基または５塩基未満もしくは１０塩基未満異なるべきである。この比較のために整列が必要な場合、それらの配列は、最大相同性のために整列されるべきである。欠失もしくは挿入から生じる「ループアウト配列」またはミスマッチは、差異と見なされる。
【０１０１】
プローブまたはプライマーは、以下をコードする核酸のセンス鎖またはアンチセンス鎖に由来し得る：
配列番号２のアミノ酸残基約１２４〜３９８または配列番号５のアミノ酸残基約１８１〜４３９のプロテインキナーゼドメイン；あるいは配列番号２のアミノ酸残基約４１〜１００のＳＨ３ドメイン。
【０１０２】
別の実施形態において、６９５８３配列または８５９２４配列の選択された領域（例えば、本明細書中に記載されるドメイン、領域、部位、または他の配列）を増幅するために使用され得るプライマーのセット（例えば、ＰＣＲにおいて使用するのに適切なプライマー）が、提供される。そのプライマーは、長さが少なくとも５塩基対、１０塩基対、もしくは５０塩基対であり、かつ１００塩基対未満もしくは２００塩基対未満であるべきである。そのプライマーは、本明細書中に開示される配列または天然に存在する改変体と、同一であるかまたは１塩基異なるべきである。例えば、以下の領域のうちのいずれかのすべてまたは一部を増幅するために適切なプライマーが、提供される：配列番号２のアミノ酸残基約１２４〜３９８または配列番号５のアミノ酸残基約１８１〜４３９のプロテインキナーゼドメイン；および配列番号２のアミノ酸残基約４１〜１００のＳＨ３ドメイン。
【０１０３】
核酸フラグメントは、本明細書中に記載されるポリペプチドのエピトープ保有領域をコードし得る。
【０１０４】
「６９５８３ポリペプチドまたは８５９２４ポリペプチドの生物学的に活性な部分」をコードする核酸フラグメントは、配列番号１、配列番号３、配列番号４または配列番号６のヌクレオチド配列の一部を単離すること（このヌクレオチド配列は、６９５８３または８５９２４の生物学的活性を有するポリペプチドをコードする（例えば、６９５８３タンパク質または８５９２４タンパク質の生物学的活性が、本明細書中に記載されている））、６９５８３タンパク質または８５９２４タンパク質のコード部分を（例えば、インビトロにおける組換え発現によって）発現すること、および６９５８３タンパク質または８５９２４タンパク質のコード部分の活性を評価することによって、調製され得る。例えば、６９５８３タンパク質または８５９２４の生物学的に活性な部分をコードする核酸フラグメントは、例えば、配列番号２のアミノ酸残基約１２４〜３９８または配列番号５のアミノ酸残基約１８１〜４３９のプロテインキナーゼドメイン；および配列番号２のアミノ酸残基約４１〜１００のＳＨ３ドメインを含む。６９５８３ポリペプチドまたは８５９２４ポリペプチドの生物学的に活性な活性部分をコードする核酸フラグメントは、３００ヌクレオチド以上の長さを超えるヌクレオチド配列を含み得る。
【０１０５】
好ましい実施形態において、核酸は、約３００ヌクレオチド長、４００ヌクレオチド長、５００ヌクレオチド長、６００ヌクレオチド長、７００ヌクレオチド長、８００ヌクレオチド長、９００ヌクレオチド長、１０００ヌクレオチド長、１１００ヌクレオチド長、１２００ヌクレオチド長、１３００ヌクレオチド長、１４００ヌクレオチド長、１５００ヌクレオチド長、１６００ヌクレオチド長、１７００ヌクレオチド長、１８００ヌクレオチド長、１９００ヌクレオチド長、２０００ヌクレオチド長、２１００ヌクレオチド長、２２００ヌクレオチド長、２３００ヌクレオチド長、２４００ヌクレオチド長、２５００ヌクレオチド長、２６００ヌクレオチド長、２７００ヌクレオチド長、２８００ヌクレオチド長、２９００ヌクレオチド長、３０００ヌクレオチド長、３１００ヌクレオチド長、３２００ヌクレオチド長、３３００ヌクレオチド長、３４００ヌクレオチド長、３５００ヌクレオチド長、３６００ヌクレオチド長、３７００ヌクレオチド長、３８００ヌクレオチド長、３９００ヌクレオチド長、４０００ヌクレオチド長、４１００ヌクレオチド長、４１２０ヌクレオチド長、４１４０ヌクレオチド長、４１６０ヌクレオチド長、４１８０ヌクレオチド長、４２００ヌクレオチド長、４３００ヌクレオチド長、４４００ヌクレオチド長、４５００ヌクレオチド長、４６００ヌクレオチド長、４７００ヌクレオチド長、４８００ヌクレオチド長、４９００ヌクレオチド長、５０００ヌクレオチド長、５１００ヌクレオチド長、５２００ヌクレオチド長、５３００ヌクレオチド長、５３２０ヌクレオチド長、５３４０ヌクレオチド長、５３６０ヌクレオチド長、５３８０ヌクレオチド長、５４００ヌクレオチド長、５５００ヌクレオチド長、５６００ヌクレオチド長、５７００ヌクレオチド長、５８００ヌクレオチド長、５９００ヌクレオチド長、６０００ヌクレオチド長、６１００ヌクレオチド長、６２００ヌクレオチド長、６３００ヌクレオチド長、６４００ヌクレオチド長、６５００ヌクレオチド長、６６００ヌクレオチド長、６７００ヌクレオチド長、６８００ヌクレオチド長、６９００ヌクレオチド長、７０００ヌクレオチド長、７１００ヌクレオチド長、７２００ヌクレオチド長以上でありかつ配列番号１、配列番号３、配列番号４または配列番号６の核酸分子に、ストリンジェントな条件下でハイブリダイズする、ヌクレオチド配列を含む。
【０１０６】
（６９５８３または８５９２４の核酸改変体）
本発明は、さらに、配列番号１、配列番号３、配列番号４または配列番号６に示されるヌクレオチド配列と異なる核酸分子を含む。このような差異は、遺伝的コードの縮重に起因し得、そして本明細書中に開示されるヌクレオチド配列によってコードされるようなタンパク質と同一の６９５８３タンパク質または８５９２４タンパク質をコードする核酸を生じる。別の実施形態において、本発明の単離された核酸分子は、配列番号２または配列番号５に示されるアミノ酸残基が少なくとも１個であるが、５個未満、１０個未満、２０個未満、５０個未満、または１００個未満異なる、アミノ酸配列を有するタンパク質をコードするヌクレオチド配列を有する。アライメントが、この比較に必要とされる場合、これらの配列は、最大の相同性について整列されるべきである。欠失もしくは挿入からの「ループ」アウト配列、またはミスマッチは、差異とみなされる。
【０１０７】
本発明者らの核酸は、特定の発現系に対して、好ましいコドンまたは好ましくないコドンを有するように選択され得る。例えば、核酸は、少なくとも一つのコドン、好ましくは、コドンの少なくとも１０％、または２０％が、Ｅ．ｃｏｌｉ細胞、酵母細胞、ヒト細胞、昆虫細胞、またはＣＨＯ細胞中での発現に対して最適化される配列のように変更された、核酸であり得る。
【０１０８】
核酸改変体は、天然に存在し得、例えば、対立遺伝子改変体（同一の遺伝子座）、ホモログ（異なる遺伝子座）、およびオルソログ（異なる生物）であり得るか、または天然に存在し得ない。天然に存在しない改変体は、ポリヌクレオチド、細胞、または生物に適用される技術を含む、変異誘発技術により作製され得る。この改変体は、ヌクレオチドの置換、欠失、逆位および挿入を含み得る。改変体は、コード領域および非コード領域のいずれかまたは両方において生じ得る。これらの改変体は、保存的アミノ酸置換基および非保存的アミノ酸置換基（コードされた産物と比較した場合）の両方を生成し得る。
【０１０９】
好ましい実施形態において、核酸は、例えば、以下が、配列番号１、配列番号３、配列番号４または配列番号６の核酸と異なる：少なくとも１個のヌクレオチドだが、１０個未満、２０個未満、３０個未満、または４０個未満のヌクレオチド；目的の核酸の少なくとも１個のヌクレオチドだが、１％未満、５％未満、１０％未満または２０％未満のヌクレオチド。この分析の必要性がある場合、この配列は、最大相同性でアライメントされるべきである。欠失、もしくは挿入、またはミスマッチ由来の「ループ」アウト配列は、異なるとみなされる。
【０１１０】
オルソログ、ホモログ、および対立遺伝子改変体は、当該分野で公知の方法を使用して同定され得る。これらの改変体は、配列番号２もしくは配列番号５に示されるヌクレオチド配列またはこれらの配列のフラグメントに対して、５０％、少なくとも約５５％、代表的に、少なくとも約７０〜７５％、より代表的に、少なくとも約８０〜８５％、そして最も代表的に、少なくとも約９０〜９５％以上同一である、ポリペプチドをコードするヌクレオチド配列を含む。このような核酸分子は、配列番号２もしくは配列番号５に示されるヌクレオチド配列またはそれらの配列のフラグメントに対して、ストリンジェントな条件下でハイブリダイズし得るとして、容易に同定され得る。本発明の６９５８３  ｃＤＮＡまたは８５９２４  ｃＤＮＡのオルソログ、ホモログ、および対立遺伝子改変体に対応する核酸分子は、６９５８３遺伝子または８５９２４遺伝子と同一の染色体または遺伝子座にマッピングすることによって、さらに単離され得る。
【０１１１】
好ましい改変体としては、細胞増殖および細胞分裂に関連する生化学的変化および形態学的変化の調節と相関する改変体が挙げられる。
【０１１２】
６９５８３または８５９２４（例えば、ヒト６９５８３または８５９２４）の対立遺伝子改変体は、機能的タンパク質および非機能的タンパク質の両方を含む。機能的対立遺伝子改変体は、ＡＴＰを結合する能力を維持する、集団内の６９５８３タンパク質または８５９２４タンパク質の天然に存在するアミノ酸配列改変体である。機能的対立遺伝子改変体は、代表的に、配列番号２もしくは配列番号５の１つ以上のアミノ酸の保存的置換のみを含むか、またはタンパク質の非必須領域における非必須残基の置換、欠失もしくは挿入を含む。非機能的対立遺伝子改変体は、ＡＴＰを結合する能力を有さない、集団内の６９５８３または８５９２４（例えば、ヒト６９５８３または８５９２４）のタンパク質の天然に存在するアミノ酸配列改変体である。非機能的対立遺伝子改変体は、代表的には、配列番号２もしくは配列番号５のアミノ酸配列の非保存的置換、欠失もしくは挿入、または未成熟切断、あるいはこのタンパク質の必須残基または必須領域における置換、挿入もしくは欠失を含む。
【０１１３】
さらに、他の６９５８３または８５９２４ファミリーメンバーをコードする核酸分子（従って、配列番号１、配列番号３、配列番号４または配列番号６の６９５８３配列または８５９２４配列と異なるヌクレオチド配列を有する核酸分子）は、本発明の範囲内であることが意図される。
【０１１４】
（アンチセンス核酸分子、リボザイムおよび改変された６９５８３核酸分子または８５９２４核酸分子）
別の局面において、本発明は、６９５８３または８５９２４に対してアンチセンスである単離された核酸分子を特徴とする。「アンチセンス」核酸は、例えば、二本鎖ｃＤＮＡ分子のコード鎖に対して相補的であるか、またはｍＲＮＡ配列に対して相補的である、タンパク質をコードする「センス」核酸に対して相補的である、ヌクレオチド配列を含み得る。このアンチセンス核酸は、全６９５８３コード鎖もしくは全８５９２４コード鎖、またはその一部のみ（例えば、配列番号３に対応するヒトヒト６９５８３のコード領域または配列番号６に対応するヒト８５９２４のコード領域）に対して相補的であり得る。別の実施形態において、アンチセンス核酸分子は、６９５８３または８５９２４をコードするヌクレオチド配列のコード鎖の「非コード領域」（例えば、５’非翻訳領域および３’非翻訳領域）に対してアンチセンスである。
【０１１５】
６９５８３  ｍＲＮＡまたは８５９２４  ｍＲＮＡの全コード領域に対して相補的であるように、アンチセンス核酸が、設計され得るが、より好ましくは、このアンチセンス核酸は、６９５８３  ｍＲＮＡまたは８５９２４  ｍＲＮＡのコード領域または非コード領域の一部のみに対してアンチセンスであるオリゴヌクレオチドである。例えば、アンチセンスオリゴヌクレオチドは、６９５８３  ｍＲＮＡまたは８５９２４  ｍＲＮＡの翻訳開始部位を取り囲む領域（例えば、目的の標的遺伝子ヌクレオチド配列の−１０と＋１０との間の領域）に対して相補的であり得る。アンチセンスオリゴヌクレオチドは、例えば、約７、１０、１５、２０、２５、３０、３５、４０、４５、５０、５５、６０、６５、７０、７５、８０以上のヌクレオチド長であり得る。
【０１１６】
本発明のアンチセンス核酸は、当該分野で公知の手順を使用する化学合成および酵素学的ライゲーション反応を使用して、構築され得る。例えば、アンチセンス核酸（例えば、アンチセンスオリゴヌクレオチド）は、天然に存在するヌクレオチド、または分子の生物学的安定性を増加させるかもしくはアンチセンス核酸とセンス核酸との間に形成された二重鎖の物理学的安定性を増加させるように設計された多様に改変されたヌクレオチドを使用して、化学的に合成され得る（例えば、ホスホロチオエート誘導体およびアクリジン置換ヌクレオチドが、使用され得る）。アンチセンス核酸はまた、核酸がアンチセンス配向でサブクローニングされた発現ベクターを生物学的に使用して産生され得る（すなわち、挿入された核酸から転写されたＲＮＡは、以下の節でさらに記載されている、目的の標的核酸に対してアンチセンス配向のＲＮＡである）。
【０１１７】
本発明のアンチセンス核酸分子は、代表的に、（例えば、組織部位での直接的な注入によって）被験体に投与されるか、またはこれらのアンチセンス核酸分子が、６９５８３タンパク質または８５９２４タンパク質をコードする細胞性ｍＲＮＡおよび／またはゲノムＤＮＡとハイブリダイズするか、またはこれらに結合し、それによって例えば、転写および／または翻訳を阻害することによって、タンパク質の発現を阻害するように、インサイチュで産生される。あるいは、アンチセンス核酸分子が改変されて、選択された細胞を標的化し、次いで、全身に投与され得る。全身投与に関して、例えば、細胞表面レセプターまたは抗原に結合するペプチドまたは抗体に、アンチセンス核酸分子を連結することによって、このアンチセンス分子は、選択された細胞表面上で発現されたレセプターまたは抗原に特異的にかまたは選択的に結合するように改変され得る。このアンチセンス核酸分子はまた、本明細書中で記載されるベクターを使用して、細胞に送達され得る。アンチセンス分子の十分な細胞内濃度を達成するために、アンチセンス核酸分子が、強力なｐｏｌ  ＩＩプロモーターまたはｐｏｌ  ＩＩＩプロモーターの制御下に置かれるベクター構築物が、好ましい。
【０１１８】
なお別の実施形態において、本発明のアンチセンス核酸分子は、α−アノマー核酸分子である。α−アノマー核酸分子は、相補的ＲＮＡと特異的な二本鎖ハイブリッドを形成する。ここでは、通常のβ−ユニットとは対照的に、これらの鎖は互いに対して平行に走る（Ｇａｕｌｔｉｅｒら（１９８７）Ｎｕｃｌｅｉｃ  Ａｃｉｄｓ．Ｒｅｓ．１５：６６２５−６６４１）。アンチセンス核酸分子はまた、２’−ｏ−メチルリボヌクレオチド（Ｉｎｏｕｅら（１９８７）Ｎｕｃｌｅｉｃ  Ａｃｉｄｓ  Ｒｅｓ．１５：６１３１−６１４８）またはキメラＲＮＡ−ＤＮＡアナログ（Ｉｎｏｕｅら（１９８７）ＦＥＢＳ  Ｌｅｔｔ．２１５：３２７−３３０）を含み得る。
【０１１９】
なお別の実施形態において、本発明のアンチセンス核酸は、リボザイムである。６９５８３コード核酸または８５９２４コード核酸に対して特異性を有するリボザイムは、本明細書中に開示される６９５８３  ｃＤＮＡまたは８５９２４  ｃＤＮＡのヌクレオチド配列（すなわち、配列番号１、配列番号３、配列番号４または配列番号６）に対して相補的な１以上の配列、ならびにｍＲＮＡの切断を担う公知の触媒配列を有する配列を含み得る（米国特許第５，０９３，２４６号またはＨａｓｅｌｈｏｆｆおよびＧｅｒｌａｃｈ（１９８８）Ｎａｔｕｒｅ  ３３４：５８５−５９１を参照のこと）。例えば、Ｔｅｔｒａｈｙｍｅｎａ  Ｌ−１９  ＩＶＳ  ＲＮＡの誘導体は、活性部位のヌクレオチド配列が６９５８３コードｍＲＮＡまたは８５９２４コードｍＲＮＡ中の切断されるべきヌクレオチド配列に対して相補的であるように構築され得る。例えば、Ｃｅｃｈら、米国特許第４，９８７，０７１号；およびＣｅｃｈら、米国特許第５，１１６，７４２号を参照のこと。あるいは、６９５８３  ｍＲＮＡまたは８５９２４  ｍＲＮＡを使用して、ＲＮＡ分子のプールから特定のリボヌクレアーゼ活性を有する触媒性ＲＮＡを選択し得る。例えば、ＢａｒｔｅｌおよびＳｚｏｓｔａｋ（１９９３）Ｓｃｉｅｎｃｅ  ２６１：１４１１−１４１８を参照のこと。
【０１２０】
６９５８３遺伝子発現または８５９２４遺伝子発現は、標的細胞中で６９５８３遺伝子または８５９２４遺伝子の転写を阻害する三重ヘリックス構造を形成するために、６９５８３または８５９２４の調節領域（例えば、６９５８３または８５９２４のプロモーターおよび／またはエンハンサー）に相補的なヌクレオチド配列を標的することによって阻害され得る。一般に、Ｈｅｌｅｎｅ（１９９１）Ａｎｔｉｃａｎｃｅｒ  Ｄｒｕｇ  Ｄｅｓ．６：５６９−８４；Ｈｅｌｅｎｅ（１９９２）Ａｎｎ．Ｎ．Ｙ．Ａｃａｄ．Ｓｃｉ．６６０：２７−３６；およびＭａｈｅｒ（１９９２）Ｂｉｏａｓｓａｙｓ  １４：８０７−１５を参照のこと。三重ヘリックスの形成のために標的化され得る潜在的な配列は、いわゆる「スイッチバック」核酸分子を作製することによって増加され得る。スイッチバック分子は、５’−３’、３’−５’の交互の様式で合成され、その結果、これらは、二重鎖の一方の鎖と最初に対合し、次いで他方の鎖と対合して、プリンまたはピリミジンのいずれかのかなり大きなストレッチが、二重鎖の一方の鎖上に存在することの必要性を排除する。
【０１２１】
本発明はまた、検出可能に標識されたオリゴヌクレオチドプライマー分子およびプローブ分子を提供する。代表的に、このような標識は、化学発光、蛍光、放射活性、または比色である。
【０１２２】
６９５８３核酸分子または８５９２４核酸分子を、塩基部分、糖部分またはホスフェート骨格において改変し、例えば、分子の安定性、ハイブリダイゼーション、または溶解度を改善し得る。例えば、核酸分子のデオキシリボースホルフェート骨格は、ペプチド核酸を生成するために改変され得る（Ｈｙｒｕｐら（１９９６）Ｂｉｏｏｒｇａｎｉｃ  ＆  Ｍｅｄｉｃｉｎａｌ  Ｃｈｅｍｉｓｔｒｙ  ４：５−２３を参照のこと）。本明細書中で使用される場合、用語「ペプチド核酸」または「ＰＮＡ」は、デオキシリボースホスフェート骨格が偽ペプチド骨格により置換され、そして４つの天然の核酸塩基（ｎｕｃｌｅｏｂａｓｅ）のみが保持されている核酸模倣物（例えば、ＤＮＡ模倣物）をいう。ＰＮＡの中性の骨格は、低イオン強度の条件下で、ＤＮＡおよびＲＮＡに対する特異的ハイブリダイゼーションを可能にし得る。ＰＮＡオリゴマーの合成は、Ｈｙｒｕｐら（１９９６）前出、およびＰｅｒｒｙ−Ｏ’Ｋｅｅｆｅら（１９９６）、Ｐｒｏｃ．Ｎａｔｌ．Ａｃａｄ．Ｓｃｉ．９３：１４６７０−６７５に記載のような、標準的固相ペプチド合成プロトコルを使用して実施され得る。
【０１２３】
６９５８３核酸分子または８５９２４核酸分子のＰＮＡは、治療適用および診断適用において使用され得る。例えば、ＰＮＡは、遺伝子発現の配列特異的調節（例えば、転写もしくは翻訳の停止を誘導すること、または複製を阻害することによる）のためのアンチセンス剤またはアンチジーン（ａｎｔｉｇｅｎｅ）剤として使用され得る。６９５８３核酸分子または８５９２４核酸分子のＰＮＡはまた、（例えば、ＰＮＡ特異的ＰＣＲクランピング（ＰＮＡ−ｄｉｒｅｃｔｅｄ  ＰＣＲ  ｃｌａｍｐｉｎｇ）による）遺伝子内の一塩基対変異の分析において、他の酵素（例えば、Ｓ１ヌクレアーゼ）と組み合わせて使用される場合の「人工制限酵素」として（Ｈｙｒｕｐら（１９９６）、前出）；あるいはＤＮＡ配列決定またはハイブリダイゼーションのプローブまたはプライマーとして（Ｈｙｒｕｐら（１９９６）、前出；Ｐｅｒｒｙ−Ｏ’Ｋｅｅｆｅら、前出）、使用され得る。
【０１２４】
他の実施形態では、オリゴヌクレオチドは、ペプチドのような他の付加基（例えば、インビボで宿主細胞レセプターを標的するため）、または細胞膜（例えば、Ｌｅｔｓｉｎｇｅｒら、（１９８９）Ｐｒｏｃ．Ｎａｔｌ．Ａｃａｄ．Ｓｃｉ．ＵＳＡ  ８６：６５５３−６５５６；Ｌｅｍａｉｔｒｅら（１９８７）Ｐｒｏｃ．Ｎａｔｌ．Ａｃａｄ．Ｓｃｉ．ＵＳＡ  ８４：６４８−６５２；ＰＣＴ公開番号ＷＯ８８／０９８１０を参照のこと）もしくは血液脳関門（例えば、ＰＣＴ公開番号ＷＯ８９／１０１３４を参照のこと）を通過する輸送を容易にする薬剤を含み得る。さらに、オリゴヌクレオチドは、ハイブリダイゼーションにより誘発される切断薬剤（例えば、Ｋｒｏｌら（１９８８）Ｂｉｏ−Ｔｅｃｈｎｉｑｕｅｓ  ６：９５８−９７６を参照のこと）、インターカレート剤（例えば、Ｚｏｎ（１９８８）Ｐｈａｒｍ．Ｒｅｓ．５：５３９−５４９を参照のこと）を用いて改変され得る。この目的のために、このオリゴヌクレオチドは、別の分子（例えば、ペプチド、ハイブリダイゼーション誘発架橋剤、輸送剤、またはハイブリダイゼーション誘発切断剤）に結合体化され得る。
【０１２５】
本発明はまた、本発明の６９５８３核酸または８５９２４核酸に対して相補的である少なくとも一つの領域を有する、分子ビーコンオリゴヌクレオチドプライマー分子およびプローブ分子を含み、２つの相補的な領域は、一方が蛍光団、そして一方がクエンチャーを有し、その結果、この分子ビーコンは、サンプル中で本発明の６９５８３核酸または８５９２４核酸の存在を定量するために有用である。分子ビーコン核酸は、例えば、Ｌｉｚａｒｄｉら、米国特許第５，８５４，０３３号；Ｎａｚａｒｅｎｋｏら、米国特許第５，８６６，３３６号、およびＬｉｖａｋら，米国特許第５，８７６，９３０号に記載されている。
【０１２６】
（単離された６９５８３ポリペプチドまたは８５９２４ポリペプチド）
別の局面において、本発明は、抗６９５８３抗体または抗８５９２４抗体を惹起するか、または試験する（またはより一般的には、この抗体に結合する）免疫原または抗原として使用するための、単離された６９５８３タンパク質もしくは８５９２４タンパク質、またはフラグメント（例えば、生物学的に活性な部分）を特徴とする。６９５８３タンパク質または８５９２４タンパク質は、標準的なタンパク質精製技術を使用して、細胞供給源または組織供給源から単離され得る。６９５８３タンパク質もしくは８５９２４タンパク質またはそれらのフラグメントを、組換えＤＮＡ技術によって産生するかまたは化学的に合成し得る。
【０１２７】
本発明のポリペプチドは、複数の遺伝子の存在の結果として、選択的転写事象、選択的ＲＮＡスプライシング事象、ならびに選択的翻訳事象および翻訳後事象を惹起するポリペプチドを含む。このポリペプチドは、これにより、ポリペプチドがネイティブ細胞中で発現される場合に存在するのと実質的に同一の翻訳後修飾を生じる系（例えば、培養細胞）中で発現され得るか、またはネイティブ細胞中で存在する、翻訳後修飾（例えば、グリコシル化または切断）の変更または欠損を生じる系において発現され得る。
【０１２８】
好ましい実施形態において、６９５８３ポリペプチドは、以下の特徴のうちの一つ以上を有する：１）ＡＴＰを結合する能力を有する；２）細胞増殖および細胞分裂に関連する生化学的変化および形態学的変化を調節する能力を有する；３）平滑筋の炎症を媒介する能力を有する；４）ぜん息性応答を媒介、開始または永続化する能力を有する；５）例えば、セリン残基、スレオニン残基および／またはチロシン残基にて、基質分子をリン酸化する能力を有する；６）リン酸化のための基質として作用する能力を有する；７）ある分子量（例えば、６９５８３ポリペプチド（例えば、配列番号２のポリペプチド）の翻訳後修飾も、アミノ酸組成も他の物理的特徴のいかなる寄与をも好ましくは無視した、推定分子量）を有する；８）配列番号２のポリペプチドと、少なくとも６０％、好ましくは、少なくとも７０％、より好ましくは、少なくとも８０％、９０％または９５％の全体的配列類似性を有する；９）少なくとも以下のヒト組織および細胞株において発現される（腎臓および膵臓においては高レベルで発現され、肺および卵巣腫瘍においては中程度のレベルで発現される）；１０）配列番号２のアミノ酸残基約１２４〜３９８と、好ましくは約７０％、８０％、９０％または９５％同一である、プロテインキナーゼドメインを有する；１１）配列番号２のアミノ酸残基約４１〜１００と、好ましくは約７０％、８０％、９０％または９５％同一である、ＳＨ３ドメインを有する；１２）プロテインキナーゼＡＴＰ結合領域シグネチャーを有する；１３）セリン／スレオニンプロテインキナーゼ活性部位シグネチャーを有する；ならびに、１４）コイルドコイルパターンを有する。
【０１２９】
好ましい実施形態において、８５９２４ポリペプチドは、以下の特徴のうちの一つ以上を有する：１）ＡＴＰを結合する能力を有する；２）細胞増殖および細胞分裂に関連する生化学的変化および形態学的変化を調節する能力を有する；３）平滑筋の炎症を媒介する能力を有する；４）ぜん息性応答を媒介、開始または永続化する能力を有する；５）例えば、セリン残基、スレオニン残基および／またはチロシン残基にて、基質分子をリン酸化する能力を有する；６）リン酸化のための基質として作用する能力を有する；７）ある分子量（例えば、８５９２４ポリペプチド（例えば、配列番号５のポリペプチド）の翻訳後修飾も、アミノ酸組成も他の物理的特徴のいかなる寄与をも好ましくは無視した、推定分子量）を有する；８）配列番号５のポリペプチドと、少なくとも６０％、好ましくは、少なくとも７０％、より好ましくは、少なくとも８０％、９０％または９５％の全体的配列類似性を有する；９）配列番号５のアミノ酸残基約１８１〜４３９と、好ましくは約７０％、８０％、９０％または９５％同一である、プロテインキナーゼドメインを有する；１０）セリン／スレオニンプロテインキナーゼ活性部位シグネチャーを有する；１１）ＲＧＤ細胞結合配列を有する；ならびに、１２）ロイシンジッパーパターンを有する。
【０１３０】
好ましい実施形態において、６９５８３タンパク質もしくは８５９２４タンパク質、またはそれらのフラグメントは、配列番号２または配列番号５の対応する配列と異なる。一つの実施形態において、少なくとも１個のアミノ酸残基異なるが、１５個未満、１０個未満または５個未満のアミノ酸残基だけ異なる。別の実施形態において、少なくとも１個の残基異なるが、２０％未満、１５％未満、１０％未満、または５％未満の残基の分だけ、配列番号２または配列番号５の対応する配列と異なる。（この比較が、アライメントを必要とする場合、これらの配列は、最大相同性についてアライメントされるべきである。欠失もしくは挿入、またはミスマッチ由来の「ループ」アウト配列は、差異とみなされる）。この差異は、好ましくは、非必須残基または保存的置換基における差異または変化である。好ましい実施形態において、この差異は、配列番号２の残基約１２４〜３９８もしくは配列番号５の残基約１８１〜４３９にてプロテインキナーゼドメイン内に存在せず、配列番号２の残基約４１〜１００にてＳＨ３ドメインメインにも存在しない。別の実施形態において、１つ以上の差異は、配列番号２の残基約１２４〜３９８もしくは配列番号５の残基約１８１〜４３９にてプロテインキナーゼドメイン内に存在するか、または配列番号２の残基約４１〜１００にてＳＨ３ドメインメインに存在する。
【０１３１】
他の実施形態は、アミノ酸配列中の一つ以上の変化（例えば、活性に関して必須ではないアミノ酸残基の変化）を含有するタンパク質を含む。このような６９５８３タンパク質もしくは８５９２４タンパク質は、配列番号２または配列番号５とは、アミノ酸配列において異なるが、なお生物学的活性を保持する。
【０１３２】
一つの実施形態において、このタンパク質は、配列番号２または配列番号５に対して、少なくとも約６０％、６５％、７０％、７５％、８０％、８５％、９０％、９５％、９８％以上の相同性のアミノ酸配列を含む。
【０１３３】
６９５８３タンパク質または６９５８３フラグメントにおいて、少なくとも１個のアミノ酸残基であるが、１５個未満、１０個未満または５個未満のアミノ酸残基だけ、アミノ酸の約４００〜１０００によって規定される領域において配列番号２の配列と異なるが、アミノ酸の約４１〜１００によって規定される領域またはアミノ酸の約１２４〜３９８によって規定される領域において、配列番号２と異ならない、６９５８３タンパク質または６９５８３フラグメントが、提供される。８５９２４タンパク質または８５９２４フラグメントにおいて、少なくとも１個のアミノ酸残基であるが、１５個未満、１０個未満または５個未満のアミノ酸残基だけ、アミノ酸の約１〜１７５もしくは４５０〜２１９０によって規定される領域において配列番号５の配列と異なるが、アミノ酸の約１８１〜４３９によって規定される領域において、配列番号５と異ならない、８５９２４タンパク質または８５９２４フラグメントが、提供される。（この比較が、アライメントを必要とする場合、これらの配列は、最大相同性についてアライメントされるべきである。欠失もしくは挿入、またはミスマッチ由来の「ループ」アウト配列が、差異とみなされる）。いくつかの実施形態において、この差異は、非必須残基にあるか、または保存的置換である一方で、この差異は、必須残基にあるか、または非保存的置換である。
【０１３４】
一つの実施形態において、６９５８３タンパク質または８５９２４タンパク質の生物学的に活性な部分は、プロテインキナーゼドメインおよび／またはＳＨ３ドメインを含む。さらに、他の生物学的に活性な部分（ここで、タンパク質の他の領域は、欠失される）は、組換え技術によって調製され得、そしてネイティブの６９５８３タンパク質または８５９２４タンパク質の機能的な活性の１以上について評価され得る。
【０１３５】
好ましい実施形態において、６９５８３タンパク質または８５９２４タンパク質は、配列番号２または配列番号５に示されるアミノ酸配列を有する。他の実施形態において、６９５８３タンパク質または８５９２４タンパク質は、配列番号２または配列番号５と十分に同一であるかまたは実質的に同一である。なお別の実施形態において、６９５８３タンパク質または８５９２４タンパク質は、上記の節で詳細に記載したように、配列番号２または配列番号５と十分に同一であるかまたは実質的に同一であり、かつ配列番号２または配列番号５のタンパク質の機能的な活性を保持する。
【０１３６】
（６９５８３または８５９２４のキメラタンパク質または融合タンパク質）
別の局面において、本発明は、６９５８３または８５９２４のキメラタンパク質または融合タンパク質を提供する。本明細書中で使用される場合、６９５８３または８５９２４の「キメラタンパク質」または「融合タンパク質」は、非６９５８３ポリペプチドまたは非８５９２４ポリペプチドに連結した６９５８３ポリペプチドまたは８５９２４ポリペプチドを含む。「非６９５８３ポリペプチドまたは非８５９２４ポリペプチド」は、６９５８３タンパク質または８５９２４タンパク質と実質的に相同的でないタンパク質（例えば、６９５８３タンパク質または８５９２４タンパク質と異なるタンパク質および同一の生物または異なる生物由来のタンパク質）に対応するアミノ酸配列を有するポリペプチドをいう。融合タンパク質の６９５８３ポリペプチドまたは８５９２４ポリペプチドは、６９５８３アミノ酸配列または８５９２４アミノ酸配列の全てまたは一部（例えば、本明細書中に記載のフラグメント）に対応し得る。好ましい実施形態において、６９５８３融合タンパク質または８５９２４融合タンパク質は、６９５８３タンパク質または８５９２４タンパク質の少なくとも１個（または２個）の生物学的に活性な部分を含む。非６９５８３ポリペプチドまたは非８５９２４ポリペプチドは、６９５８３ポリペプチドまたは８５９２４ポリペプチドのＮ末端またはＣ末端に融合され得る。
【０１３７】
この融合タンパク質は、リガンドに対して高度の親和性を有する部分を含み得る。例えば、この融合タンパク質は、６９５８３配列または８５９２４配列がＧＳＴ配列のＣ末端に対して融合される、ＧＳＴ−６９５８３融合タンパク質またはＧＳＴ−８５９２４融合タンパク質であり得る。このような融合タンパク質は、組換え６９５８３または組換え８５９２４の精製を容易にし得る。あるいは、この融合タンパク質は、そのＮ末端において、異種シグナル配列を含む６９５８３タンパク質または８５９２４タンパク質であり得る。特定の宿主細胞（例えば、哺乳動物の宿主細胞）において、６９５８３または８５９２４の発現および／または分泌は、異種シグナル配列の使用を介して増強され得る。
【０１３８】
融合タンパク質は、血清タンパク質（例えば、免疫グロブリン（例えば、ＩｇＧ、ＩｇＡまたはＩｇＥ）の一部、例えば、免疫グロブリンまたはヒト血清アルブミンのＦｃ領域ならびに／もしくはヒンジＣ１配列およびヒンジＣ２配列）の全てまたは一部を含み得る。
【０１３９】
本発明の６９５８３融合タンパク質または８５９２４融合タンパク質は、薬学的組成物に組み込まれ得、そしてインビボで被験体に投与され得る。６９５８３融合タンパク質または８５９２４融合タンパク質は、６９５８３基質または８５９２４基質のバイオアベイラビリティーに影響を与えるために使用され得る。６９５８３融合タンパク質または８５９２４融合タンパク質は、例えば、以下の（ｉ）、（ｉｉ）および（ｉｉｉ）によって生じる障害の処置のために治療学的に有用であり得る：（ｉ）６９５８３タンパク質または８５９２４タンパク質をコードする遺伝子の異常な改変または変異；（ｉｉ）６９５８３遺伝子または８５９２４遺伝子の誤調節；および（ｉｉｉ）６９５８３タンパク質または８５９２４タンパク質の異常な翻訳後修飾。
【０１４０】
さらに、本発明の６９５８３融合タンパク質または８５９２４融合タンパク質は、被験体において抗６９５８３抗体または抗８５９２４抗体を産生するための免疫原として、６９５８３リガンドまたは８５９２４リガンドを精製するため、および６９５８３または８５９２４と６９５８３基質または８５９２４基質との相互作用を阻害する分子を同定するためのスクリーニングアッセイにおいて使用され得る。
【０１４１】
融合部分（例えば、ＧＳＴポリペプチド）をすでにコードする発現ベクターが、市販されている。６９５８３または８５９２４をコードする核酸は、このような発現ベクター中にクローニングされ得、その結果、融合部分が６９５８３タンパク質または８５９２４タンパク質にインフレームで連結される。
【０１４２】
（６９５８３タンパク質または８５９２４タンパク質の改変体）
別の局面において、本発明はまた、６９５８３ポリペプチドまたは８５９２４ポリペプチドの改変体（例えば、アゴニスト（模倣物）またはアンタゴニストとして機能する）を特徴とする。６９５８３タンパク質または８５９２４タンパク質の改変体は、変異誘発（例えば、不連続な点変異）、配列の挿入もしくは欠失、あるいは６９５８３タンパク質または８５９２４タンパク質の短縮（ｔｒｕｎｃａｔｉｏｎ）によって作製され得る。６９５８３タンパク質または８５９２４タンパク質のアゴニストは、６９５８３タンパク質または８５９２４タンパク質の天然に存在する形態の生物学的活性と実質的に同一の活性またはサブセットを残存し得る。６９５８３タンパク質または８５９２４タンパク質のアンタゴニストは、例えば、６９５８３タンパク質または８５９２４タンパク質の６９５８３媒介活性または８５９２４媒介活性を競合的に調節することによって、６９５８３タンパク質または８５９２４タンパク質の天然に存在する形態の活性の１つ以上を阻害し得る。よって、特定の生物学的効果は、限定された機能の改変体を用いる処置によって誘導され得る。好ましくは、このタンパク質の天然に存在する形態の生物学的活性のサブセットを有する改変体を用いる被験体の処置は、６９５８３タンパク質または８５９２４タンパク質の天然に存在する形態での処置と比較して被験体においてわずかな副作用を有する。
【０１４３】
６９５８３タンパク質または８５９２４タンパク質の改変体は、６９５８３タンパク質または８５９２４タンパク質の変異体（例えば、短縮型変異体）のコンビナトリアルライブラリーをアゴニスト活性またはアンタゴニスト活性についてスクリーニングすることによって同定され得る。
【０１４４】
６９５８３タンパク質または８５９２４タンパク質をコードする配列のフラグメント（例えば、Ｎ末端フラグメント、Ｃ末端フラグメントまたは内部フラグメント）のライブラリーを使用して、６９５８３タンパク質または８５９２４タンパク質の改変体のスクリーニング、続く選択のための多彩なフラグメント集団を作製し得る。
【０１４５】
システイン残基が付加または欠失されている改変体、あるいはグリコシル化されている残基が付加または欠失されている改変体が、特に好ましい。
【０１４６】
点変異または短縮によって作製されたコンビナトリアルライブラリーの遺伝子産物をスクリーニングする方法、および選択された特性を有する遺伝子産物についてｃＤＮＡライブラリーをスクリーニングするための方法が、当該分野において公知である。ライブラリー中の機能的変異体の頻度を高める新たな技術である機能的集合変異誘発（ｒｅｃｕｒｓｉｖｅ  ｅｎｓｅｍｂｌｅ  ｍｕｔａｇｅｎｅｓｉｓ）（ＲＥＭ）をスクリーニングアッセイと組み合わせて使用して、６９５８３改変体または８５９２４改変体を同定し得る（ＡｒｋｉｎおよびＹｏｕｒｖａｎ（１９９２）Ｐｒｏｃ．Ｎａｔｌ．Ａｃａｄ．Ｓｃｉ．ＵＳＡ  ８９：７８１１−７８１５；Ｄｅｌｇｒａｖｅら（１９９３）Ｐｒｏｔｅｉｎ  Ｅｎｇｉｎｅｅｒｉｎｇ  ６：３２７−３３１）。
【０１４７】
多彩な６９５８３ライブラリーまたは８５９２４ライブラリーを分析するために、細胞ベースのアッセイが利用され得る。例えば、発現ベクターのライブラリーが、細胞株（例えば、通常、基質依存的様式で６９５８３または８５９２４に応答する細胞株）にトランスフェクトされ得る。次いで、トランスフェクトされた細胞は、６９５８３または８５９２４と接触させられ、そして６９５８３基質または８５９２４基質によるシグナル伝達に対する変異体発現の効果が、例えば、ＡＴＰの結合を測定することによって、検出され得る。次いで、プラスミドＤＮＡは、６９５８３基質または８５９２４基質によるシグナル伝達の阻害、または代わりに増強を記録する細胞から回収され得、そして個々のクローンがさらに特徴付けられ得る。
【０１４８】
別の局面において、本発明は、６９５８３ポリペプチドまたは８５９２４ポリペプチド（例えば、非野生型活性を有するペプチド、例えば、天然に存在する６９５８３ポリペプチドまたは８５９２４ポリペプチドのアンタゴニスト、アゴニストもしくはスーパーアゴニスト、例えば、天然に存在する６９５８３ポリペプチドまたは８５９２４ポリペプチド）を作製する方法を特徴とする。本方法は、以下の工程を包含する：６９５８３ポリペプチドまたは８５９２４ポリペプチドの配列を変更する工程（例えば、本明細書中に開示される非保存領域、ドメインまたは残基の１つ以上の残基の置換または欠失によって配列を変更する工程）；および所望の活性について変更されたポリペプチドを試験する工程。
【０１４９】
別の局面において、本発明は、天然に存在する６９５８３ポリペプチドまたは８５９２４ポリペプチドの生物学的活性を有する６９５８３ポリペプチドまたは８５９２４ポリペプチドのフラグメントまたはアナログを作製する方法を特徴とする。本方法は、以下の工程を包含する：例えば、１つ以上の残基の置換または欠失によって６９５８３ポリペプチドまたは８５９２４ポリペプチドの配列を変更する工程（例えば、本明細書中に記載される非保存領域の配列またはドメインもしくは残基を変更する工程）；および、所望の活性について変更されたポリペプチドを試験する工程。
【０１５０】
（抗６９５８３抗体または抗８５９２４抗体）
別の局面において、本発明は、抗６９５８３抗体または抗８５９２４抗体を提供する。本明細書中で使用される場合、用語「抗体」は、免疫グロブリン分子またはその免疫学的に活性な部分（すなわち、抗原結合部分）をいう。免疫グロブリン分子の免疫学的に活性な部分の例としては、ｓｃＦＶフラグメントおよびｄｃＦＶフラグメント、ＦａｂフラグメントおよびＦ（ａｂ’）２フラグメントが挙げられ、これらは、抗体を酵素（それぞれ、例えば、パパインまたはペプシン）で処理することにより生成され得る。
【０１５１】
抗体は、ポリクローナル抗体、モノクローナル抗体、組換え抗体（例えば、キメラ抗体またはヒト化抗体）、完全ヒト抗体、非ヒト抗体（例えば、マウス抗体）または、単鎖抗体であり得る。好ましい実施形態において、抗体はエフェクター機能を有し、そして補体を固定し得る。抗体は、毒素または画像化剤に結合され得る。
【０１５２】
全長６９５８３タンパク質もしくは全長８５９２４タンパク質、または６９５８３もしくは８５９２４の抗原性ペプチドフラグメントは、免疫原として使用され得るか、あるいは他の免疫原（例えば、細胞、膜調製物など）を用いて作製された抗６９５８３抗体または抗８５９２４抗体を同定するために使用され得る。６９５８３または８５９２４の抗原性ペプチドは、配列番号２または配列番号５に示されるアミノ酸配列のうち少なくとも８個のアミノ酸残基を含むべきであり、そして６９５８３または８５９２４のエピトープを含む。好ましくは、抗原性ペプチドは、少なくとも１０個のアミノ酸残基、より好ましくは少なくとも１５個のアミノ酸残基、なおより好ましくは少なくとも２０個のアミノ酸残基、そして最も好ましくは少なくとも３０個のアミノ酸残基を含む。
【０１５３】
配列番号２のアミノ酸約５０〜６１、約２２０〜２３１、約２９２〜３０２、約３８０〜３９０、約４１０〜４２２、約４３２〜４４５、約４５２〜４７０、約４９０〜５１１、約５３１〜５４５、約５６１〜５７１、約５８０〜５９１、約６０１〜６１１、約６４１〜６５１、約６５３〜６６１、約６７５〜６９１、約７５１〜７６１、約７６５〜７７５、約８８２〜９０１、および約１００２〜１０１２由来の残基を含む６９５８３のフラグメントは、６９５８３タンパク質の親水性領域（図１を参照のこと）に対する抗体を作製するために使用され得る（例えば、免疫原として使用されるかまたは抗体の特異性を特徴付けるために使用される）。同様に、配列番号２のアミノ酸約３２９〜３３７、約３４５〜３５５、約３９１〜４００、約７２３〜７３８、および約９０２〜９２０由来の残基を含む６９５８３のフラグメントは、６９５８３タンパク質の疎水性領域に対する抗体を作製するために使用され得る；配列番号２の残基約４１〜５０、約５１〜６０、約６１〜７０、約７１〜８０、約８１〜９０、または約９１〜１００を含む６９５８３のフラグメントは、６９５８３タンパク質のＳＨ３ドメインに対する抗体を作製するために使用され得る；配列番号２の残基約１２４〜１３５、１３６〜１４７、１４８〜１５９、１６０〜１７１、１７２〜１８３、１８４〜１９５、１９６〜２０７、２０８〜２１９、２２０〜２３１、２３２〜２４３、２４４〜２５５、２５６〜２６７、２６８〜２７９、２８０〜２９１、２９２〜３０３、３０４〜３１５、３１６〜３２７、３２８〜３３９、３４０〜３５１、３５２〜３６３、３６４〜３７５、３７６〜３８７、または約３８８〜３９８を含む６９５８３のフラグメントは、６９５８３タンパク質のプロテインキナーゼドメインに対する抗体を作製するために使用され得る。
【０１５４】
配列番号５のアミノ酸約１８〜３１、約１５１〜１７１、約２１１〜２３１、約４６５〜４８１、約５４０〜５５１、約５７０〜５８２、約８６１〜８７５、約１０５１〜１０６５、約１１０１〜１１２１、約１２００〜１２１８、約１２８０〜１３００、約１４１１〜１４２５、約１５９１〜１６０１、約１６２０〜１６４０、約１６６１〜１６７１、約１７４０〜１７５５、約１８１２〜１８４０、約１８８０〜１８９１、約１９１１〜１９２１、約１９７０〜１９９０、約２０４０〜２０５２、約２０８０〜２０９１、および約２１７０〜２１８０由来の残基を含む８５９２４のフラグメントは、８５９２４タンパク質の親水性領域（図２を参照のこと）に対する抗体を作製するために使用され得る（例えば、免疫原として使用されるかまたは抗体の特異性を特徴付けるために使用される）。同様に、配列番号５のアミノ酸約３６１〜３７１、約７２１〜７３２、約７６１〜７７１、約８２１〜８４１、約９７０〜９８２、約１３７５〜１３９０、約１４３１〜１４４５、および約２１２４〜２１３４由来の残基を含む８５９２４のフラグメントは、８５９２４タンパク質の疎水性領域に対する抗体を作製するために使用され得る；配列番号５の残基約１８１〜１９４、１９５〜２０７、２０８〜２２１、２２２〜２３４、２３５〜２４７、２４８〜２６０、２６１〜２７４、２７５〜２８７、２８８〜３０２、３０３〜３１５、３１６〜３２８、３２９〜３４１、３４２〜３５４、３５５〜３６８、３６９〜３８２、３８３〜３９６、３９７〜４１０、４１１〜４２４、または約４２５〜４３９を含む８５９２４のフラグメントは、８５９２４タンパク質のプロテインキナーゼドメインに対する抗体を作製するために使用され得る。
【０１５５】
これらの領域のいずれかまたは本明細書中に記載される他の領域もしくはドメインと反応性、または特異的もしくは選択的な抗体が提供される。
【０１５６】
抗原性ペプチドに含まれる好ましいエピトープは、タンパク質の表面上に位置する６９５８３または８５９２４の領域（例えば、親水性領域）、および高い抗原性を有する領域である。例えば、ヒト６９５８３タンパク質配列またはヒト８５９２４タンパク質配列のＥｍｉｎｉ表面確率解析を使用して、６９５８３タンパク質または８５９２４タンパク質の表面に局在化される確率の特に高い領域、従って、抗体産生を標的化するのに有用な表面残基を構築する可能性のある領域を示し得る。
【０１５７】
好ましい実施形態において、抗体は、本明細書中に記載される６９５８３タンパク質または８５９２４タンパク質上の任意のドメインまたは領域上のエピトープに結合する。
【０１５８】
さらに、キメラ抗体、ヒト化抗体および完全ヒトの抗体もまた、本発明の範囲内である。キメラ抗体、ヒト抗体、しかし最も好ましくは完全ヒト抗体は、繰り返し投与を含む適用（例えば、ヒト患者の治療的処置、およびいくつかの診断的適用）に望ましい。
【０１５９】
キメラモノクローナル抗体およびヒト化モノクローナル抗体（ヒト部分および非ヒト部分の両方を含む）は、標準的な組換えＤＮＡ技術を使用して作製され得る。このようなキメラモノクローナル抗体およびヒト化モノクローナル抗体は、例えば、以下に記載される方法を使用して、当該分野で公知の組換えＤＮＡ技術により産生され得る（Ｒｏｂｉｎｓｏｎら、国際特許出願ＰＣＴ／ＵＳ８６／０２２６９；Ａｋｉｒａら、欧州特許出願１８４，１８７；Ｔａｎｉｇｕｃｈｉ，欧州特許出願１７１，４９６；Ｍｏｒｒｉｓｏｎら、欧州特許出願１７３，４９４；Ｎｅｕｂｅｒｇｅｒら、ＰＣＴ国際公開ＷＯ８６／０１５３３；Ｃａｂｉｌｌｙら、米国特許第４，８１６，５６７号；Ｃａｂｉｌｌｙら、欧州特許出願１２５，０２３；Ｂｅｔｔｅｒら（１９８８）Ｓｃｉｅｎｃｅ  ２４０：１０４１−１０４３）；Ｌｉｕら（１９８７）Ｐｒｏｃ．Ｎａｔｌ．Ａｃａｄ．Ｓｃｉ．ＵＳＡ  ８４：３４３９−３４４３；Ｌｉｕら、（１９８７）Ｊ．Ｉｍｍｕｎｏｌ．１３９：３５２１−３５２６；Ｓｕｎら（１９８７）Ｐｒｏｃ．Ｎａｔｌ．Ａｃａｄ．Ｓｃｉ．ＵＳＡ  ８４：２１４−２１８；Ｎｉｓｈｉｍｕｒａら  （１９８７），Ｃａｎｃ．Ｒｅｓ．４７：９９９−１００５；Ｗｏｏｄら（１９８５）Ｎａｔｕｒｅ  ３１４：４４６−４４９；ならびにＳｈａｗら（１９８８），Ｊ．Ｎａｔｌ．Ｃａｎｃｅｒ  Ｉｎｓｔ．８０：１５５３−１５５９）。
【０１６０】
ヒト化抗体または相補性決定領域（ＣＤＲ）グラフト化抗体は、ドナーＣＤＲと置換された少なくとも１つまたは２つ（しかし、一般に３つ全て）のレシピエント（重鎖免疫グロブリン鎖および／または軽鎖免疫グロブリン鎖の）ＣＤＲを有する。抗体は、非ヒトＣＤＲの少なくとも一部と置換され得るか、またはＣＤＲの一部のみが、非ヒトＣＤＲで置換され得る。６９５８３もしくは８５９２４またはそのフラグメントに対するヒト化抗体の結合に必要とされる数のＣＤＲを置換することだけが必要である。好ましくは、ドナーは、げっ歯類抗体（例えば、ラット抗体またはマウス抗体）であり、そしてレシピエントは、ヒトフレームワークまたはヒトコンセンサスフレームワークである。代表的に、ＣＤＲを提供する免疫グロブリンは、「ドナー」と呼ばれ、そしてフレームワークを提供する免疫グロブリンは、「アクセプター」と呼ばれる。１つの実施形態において、ドナー免疫グロブリンは、非ヒト（例えば、げっ歯類）である。アクセプターフレームワークは、天然に存在する（例えば、ヒト）フレームワークまたはコンセンサスフレームワーク、あるいはこれらに約８５％以上、好ましくは、９０％、９５％、９９％以上同一である配列である。
【０１６１】
本明細書中で使用される場合、用語「コンセンサス配列」とは、あるファミリーの関連する配列において最も頻繁に生じるアミノ酸（またはヌクレオチド）から形成される配列をいう（例えば、Ｗｉｎｎａｋｅｒ，（１９８７）Ｆｒｏｍ  Ｇｅｎｅｓ  ｔｏ  Ｃｌｏｎｅｓ（Ｖｅｒｌａｇｓｇｅｓｅｌｌｓｃｈａｆｔ，Ｗｅｉｎｈｅｉｍ，Ｇｅｒｍａｎｙを参照のこと）。あるファミリーのタンパク質において、コンセンサス配列中の各位置が、そのファミリー中のその位置で最も頻繁に存在するアミノ酸によって占められる。２つのアミノ酸が同等に頻繁に生じる場合、いずれもコンセンサス配列中に含まれ得る。「コンセンサスフレームワーク」とは、コンセンサス免疫グロブリン配列中のフレームワーク領域をいう。
【０１６２】
抗体は、当該分野において公知の方法によってヒト化され得る。ヒト化抗体は、抗原結合に直接関与しないＦｖ可変領域の配列をヒトＦｖ可変領域からの等価な配列で置換することによって生成され得る。ヒト化抗体を生成するための一般的な方法は、Ｍｏｒｒｉｓｏｎ（１９８５）Ｓｃｉｅｎｃｅ  ２２９：１２０２−１２０７、Ｏｉら、（１９８６）ＢｉｏＴｅｃｈｎｉｑｕｅｓ  ４：２１４、ならびにＱｕｅｅｎら、米国特許第５，５８５，０８９号，同第５，６９３，７６１号および同第５，６９３，７６２号（これらの全ての内容が、本明細書中に参考として援用される）によって提供される。これらの方法は、重鎖または軽鎖のうちの少なくとも１つからの免疫グロブリンＦｖ可変領域の全てまたは一部をコードする核酸配列を単離する工程、操作する工程、および発現する工程を包含する。このような核酸の供給源は、当業者に周知であり、例えば、６９５８３ポリペプチドもしくは８５９２４ポリペプチドまたはそのフラグメントに対する抗体を産生するハイブリドーマより取得され得る。次いで、ヒト化抗体をコードする組換えＤＮＡまたはそのフラグメントは、適切な発現ベクター中にクローニングされ得る。
【０１６３】
ヒト化抗体またはＣＤＲ移植された抗体は、ＣＤＲ移植またはＣＤＲ置換によって産生され得、ここで、免疫グロブリン鎖のＣＤＲのうち１つ、２つまたは全てが置換され得る。例えば、米国特許第５，２２５，５３９号；Ｊｏｎｅｓら（１９８６）Ｎａｔｕｒｅ  ３２１：５５２−５２５；Ｖｅｒｈｏｅｙａｎら（１９８８）Ｓｃｉｅｎｃｅ  ２３９：１５３４；Ｂｅｉｄｌｅｒら（１９８８）Ｊ．Ｉｍｍｕｎｏｌ．１４１：４０５３−４０６０；Ｗｉｎｔｅｒ  米国特許第５，２２５，５３９号（これら全ての内容が本明細書中に参考として明らかに援用される）を参照のこと。Ｗｉｎｔｅｒは、本発明のヒト化抗体を調製するために使用され得るＣＤＲ移植方法を記載する（１９８７年３月２６日に出願されたＵＫ特許出願ＧＢ２１８８６３８Ａ；Ｗｉｎｔｅｒ  米国特許第５，２２５，５３９号（この内容は参考として明らかに援用される））。
【０１６４】
特定のアミノ酸が置換、欠失または付加されているヒト化抗体はまた、本発明の範囲内である。好ましいヒト化抗体は、例えば、抗原に対する結合を改善するようにフレームワーク領域にアミノ酸置換を有する。例えば、ヒト化抗体は、ドナーフレームワーク残基と同一のフレームワーク残基を有するか、またはレシピエントフレームワーク残基以外の別のアミノ酸と同一のフレームワーク残基を有する。このような抗体を生成するために、ヒト化免疫グロブリン鎖の選択された少数のアクセプターフレームワーク残基は、対応するドナーアミノ酸で置換され得る。好ましい置換の位置は、ＣＤＲに隣接するアミノ酸残基またはＣＤＲと相互作用し得るアミノ酸残基を含む（例えば、米国特許第５，５８５，０８９号を参照のこと）。ドナーからアミノ酸を選択するための基準は、米国特許第５，５８５，０８９号（例えば、米国特許第５，５８５，０８９号の１２〜１６欄、例えば、米国特許第５，５８５，０８９号の１２〜１６欄（これらの内容は、本明細書中に参考として援用される））に記載される。抗体をヒト化するための他の技術は、Ｐａｄｌａｎら、ＥＰ５１９５９６  Ａ１（１９９２年１２月２３日公開）に記載される。
【０１６５】
完全なヒト抗体が、ヒト患者の治療的処置のために特に所望される。そのような抗体は、内因性免疫グロブリンの重鎖遺伝子および軽鎖遺伝子を発現することができないが、ヒト重鎖遺伝子およびヒト軽鎖遺伝子を発現し得るトランスジェニックマウスを用いて産生され得る。例えば、ＬｏｎｂｅｒｇおよびＨｕｓｚａｒ（１９９５）Ｉｎｔ．Ｒｅｖ．Ｉｍｍｕｎｏｌ．１３；６５〜９３）；ならびに米国特許第５，６２５，１２６号；同第５，６３３，４２５号；同第５，５６９，８２５号；同第５，６６１，０１６号；および同第５，５４５，８０６号を参照のこと。さらに、Ａｂｇｅｎｉｘ，Ｉｎｃ．（Ｆｒｅｍｏｎｔ、ＣＡ）およびＭｅｄａｒｅｘ，Ｉｎｃ．（Ｐｒｉｎｃｅｔｏｎ，ＮＪ）のような会社が、上記の技術に類似する技術を用いて、選択された抗原に対するヒト抗体を提供するために携わり得る。
【０１６６】
選択されたエピトープを認識する完全ヒト抗体は、「誘導された選択（ｇｕｉｄｅｄ  ｓｅｌｅｃｔｉｏｎ）」として言及される技術を用いて作製され得る。このアプローチにおいて、選択された非ヒトモノクローナル抗体（例えば、マウス抗体）が、同じエピトープを認識する完全ヒト抗体の選択を誘導するために用いられる。この技術は、Ｊｅｓｐｅｒｓら、（１９９４）Ｂｉｏ／Ｔｅｃｈｎｏｌｏｇｙ  １２：８９９〜９０３に記載されている。
【０１６７】
抗６９５８３抗体または抗８５９２４抗体は、単鎖抗体であり得る。単鎖抗体（ｓｃＦＶ）は、例えば、Ｃｏｌｃｈｅｒら（１９９９）Ａｎｎ．ＮＹ  Ａｃａｄ．Ｓｃｉ．８８０：２６３〜８０；およびＲｅｉｔｅｒ（１９９６）Ｃｌｉｎ．Ｃａｎｃｅｒ  Ｒｅｓ．２：２４５〜５２に記載されるように操作され得る。単鎖抗体は、二量体化または多量体化されて、同じ標的６９５８３タンパク質または８５９２４タンパク質の異なるエピトープに対する特異性を有する多価抗体を作製し得る。
【０１６８】
好ましい実施形態において、抗体は、Ｆｃレセプターを結合する能力が低下しているか、または、Ｆｃレセプターを結合する能力を有さない。例えば、この抗体は、Ｆｃレセプターへの結合を補助しない、アイソタイプまたはサブタイプ、フラグメントまたは他の変異体である（例えば、それは、変異または欠失したＦｃレセプター結合領域を有する）。
【０１６９】
抗体（またはそのフラグメント）は、治療的部分（例えば、細胞毒素、治療薬または放射性イオン）に結合体化され得る。細胞毒素または細胞傷害性因子としては、細胞に対して有害な任意の因子が挙げられる。例としては、以下が挙げられる：タキソール、サイトカラシンＢ、グラミシジンＤ、臭化エチジウム、エメチン、マイトマイシン、エトポシド、テノポシド、ビンクリスチン、ビンブラスチン、コルチシン（ｃｏｌｃｈｉｃｉｎ）、ドキソルビシン、ダウノルビシン、ジヒドロキシアントラシンジオン、ミトザントロン、ミトラマイシン、アクチノマイシンＤ、１−デヒドロテストステロン、グルココルチコイド、プロカイン、テトラカイン、リドカイン、プロパノロール、プロマイシン、メイタンシノイド（例えば、メイタンシノール（米国特許第５，２０８，０２０号を参照のこと）、ＣＣ−１０６５（米国特許第５，４７５，０９２号、同第５，５８５，４９９号、同第５，８４６，５４５号を参照のこと））、およびそれらのアナログまたはホモログ。治療薬としては、以下が挙げられるが、これらに限定されない：代謝拮抗物質（例えば、メトトレキサート、６−メルカプトプリン、６−チオグアニン、シタラビン、５−フルオロウラシルデカルバジン）、アルキル化剤（例えば、メクロレタミン、チオエパクロランブシル、ＣＣ−１０６５、メルファラン、カルマスチン（ＢＳＮＵ）およびロムスチン（ＣＣＮＵ）、シクロホスファミド（ｃｙｃｌｏｔｈｏｓｐｈａｍｉｄｅ）、ブスルファン、ジブロモマンニトール、ストレプトゾトシン、マイトマイシンＣ、およびシス−ジクロロジアミンプラチナ（ＩＩ）（ＤＤＰ）シスプラチン）、アントラサイクリン（例えば、ダウノルビシン（以前のダウノマイシン）およびドキソルビシン）、抗生物質（例えば、ダクチノマイシン（以前のアクチノマイシン）、ブレオマイシン、ミトラマイシン、およびアントラマイシン（ＡＭＣ））、および抗有糸分裂薬（例えば、ビンクリスチン、ビンブブラスチン、タキソールおよびメイタンシノイド）。放射性イオンとしては、ヨウ素、イットリウム、およびプラセオジムが挙げられるが、これらに限定されない。
【０１７０】
本発明の結合体は、所定の生物学的応答を調節するために用いられ得、治療的部分は、古典的な化学療法剤に限定されるとは解釈されない。例えば、治療的部分とは、所望の生物学的活性を保有するタンパク質またはポリペプチドであり得る。そのようなタンパク質としては、例えば、毒素（例えば、アブリン、リシンＡ、シュードモナス外毒素、またはジフテリア毒素）；タンパク質（腫瘍壊死因子、α−インターフェロン、β−インターフェロン、神経発育因子、血小板由来増殖因子、組織プラスミノゲン賦活剤）；または（例えば、リンホカイン、インターロイキン−１（「ＩＬ−１」）、インターロイキン−２（「ＩＬ−２」）、インターロイキン−６（「ＩＬ−６」）、顆粒球マクロファージコロニー刺激因子（「ＧＭ−ＣＳＦ」）、顆粒球コロニー刺激因子（「Ｇ−ＣＳＦ」）、または他の増殖因子のような）生物学的応答調節因子が挙げられ得るが、これらに限定されない。
【０１７１】
あるいは、抗体は、二次抗体に結合体化されて、米国特許第４，６７６，９８０号においてＳｅｇａｌにより記される抗体異種結合体を形成し得る。
【０１７２】
抗６９５８３抗体または抗８５９２４抗体（例えば、モノクローナル抗体）を使用して、標準的技術（例えば、アフィニティクロマトグラフィーまたは免疫沈降）によって６９５８３または８５９２４を単離し得る。さらに、抗６９５８３抗体または抗８５９２４抗体を使用して、このタンパク質発現の量およびパターンを評価するために、（例えば、細胞溶解物または細胞上清において）６９５８３タンパク質または８５９２４タンパク質を検出し得る。抗６９５８３抗体または抗８５９２４抗体を診断的に使用して、臨床試験手順の一部として（例えば、所定の処置レジメンの効力を決定するために）組織中のタンパク質レベルをモニタリングし得る。検出は、抗体を検出可能な物質に結合すること（すなわち、物理的に連結すること）（すなわち、抗体標識）によって容易にされ得る。検出可能な物質の例としては、種々の酵素、補欠分子団、蛍光物質、発光物質、生物発光物質、および放射活性物質が挙げられる。適切な酵素の例としては、西洋ワサビペルオキシダーゼ、アルカリホスファターゼ、β−ガラクトシダーゼまたはアセチルコリンエステラーゼが挙げられ；適切な補欠分子団複合体の例としては、ストレプトアビジン／ビオチンおよびアビジン／ビオチンが挙げられ；適切な蛍光物質の例としては、ウンベリフェロン、フルオレセイン、フルオレセインイソチオシアネート、ローダミン、ジクロロトリアジニルアミンフルオロセイン、ダンシルクロリドまたはフィコエリトリンが挙げられ；発光物質の例としては、ルミノールが挙げられ；生物発光物質の例としては、ルシフェラーゼ、ルシフェリンおよびエクオリンが挙げられ；そして適切な放射活性物質の例としては、１２５Ｉ、１３１Ｉ、３５Ｓまたは３Ｈが挙げられる。
【０１７３】
好ましい実施形態において、抗体は、精製された６９５８３抗原または８５９２４抗原、あるいはそのフラグメント（例えば、本明細書中に記載されるフラグメント）、膜結合抗原、組織（例えば、粗組織調製物、全細胞、好ましくは、生きた細胞、溶解された細胞、または細胞画分）で免疫することによって作製され得る。
【０１７４】
ネイティブの６９５８３タンパク質または８５９２４タンパク質のみを結合するか、変性した非ネイティブの６９５８３タンパク質または８５９２４タンパク質もしくはそれ以外の非ネイティブの６９５８３タンパク質または８５９２４タンパク質のみを結合するか、あるいはそれらの両方を結合する抗体は、本発明の範囲内である。線状または立体配座エピトープを有する抗体は、本発明の範囲内である。立体配座エピトープは、しばしば、ネイティブ６９５８３タンパク質または８５９２４タンパク質に結合するが、変性６９５８３タンパク質または８５９２４タンパク質に結合しない抗体を同定することによって同定され得る。
【０１７５】
（組換え発現ベクター、宿主細胞および遺伝子操作された細胞）
別の局面において、本発明は、本明細書中に記載されるポリペプチドをコードする核酸を含むベクター、好ましくは、発現ベクターを含む。本明細書中で使用される場合、用語「ベクター」は、連結されている別の核酸を輸送し得る核酸分子をいい、プラスミド、コスミドまたはウイルスベクターを含み得る。ベクターは、自律的な複製を行い得るか、または宿主ＤＮＡ内に組み込み得る。ウイルスベクターとしては、例えば、複製欠損レトロウイルス、アデノウイルスおよびアデノ随伴ウイルスが挙げられる。
【０１７６】
ベクターは、宿主細胞内での核酸の発現に適切な形態で６９５８３核酸または８５９２４核酸を含み得る。好ましくは、組換え発現ベクターは、発現されるべき核酸配列に作動可能に連結された１つ以上の調節配列を含む。用語「調節配列」は、プロモーター、エンハンサー、および他の発現制御エレメント（例えば、ポリアデニル化シグナル）を含む。調節配列は、ヌクレオチド配列の構成的発現を指向する配列、ならびに組織特異的調節配列および／または誘導性配列を指向する配列を含む。発現ベクターの設計は、形質転換される宿主細胞の選択、所望されるタンパク質発現レベルなどのような因子に依存し得る。本発明の発現ベクターは、宿主細胞内に導入され得、これにより本明細書中に記載されるような核酸によってコードされるタンパク質またはポリペプチド（融合タンパク質またはポリペプチドを含む）（例えば、６９５８３タンパク質または８５９２４タンパク質、６９５８３タンパク質または８５９２４タンパク質の変異形態、融合タンパク質など）を産生し得る。
【０１７７】
本発明の組換え発現ベクターは、原核生物細胞または真核生物細胞における６９５８３タンパク質または８５９２４タンパク質の発現のために設計され得る。例えば、本発明のポリペプチドは、Ｅ．ｃｏｌｉ、昆虫細胞（例えば、バキュロウイルス発現ベクターを使用して）、酵母細胞または哺乳動物細胞において発現され得る。適切な宿主細胞は、さらに、Ｇｏｅｄｄｅｌ，（１９９０）Ｇｅｎｅ  Ｅｘｐｒｅｓｓｉｏｎ  Ｔｅｃｈｎｏｌｏｇｙ：Ｍｅｔｈｏｄｓ  ｉｎ  Ｅｎｚｙｍｏｌｏｇｙ  １８５，Ａｃａｄｅｍｉｃ  Ｐｒｅｓｓ，Ｓａｎ  Ｄｉｅｇｏ，ＣＡに議論される。あるいは、組換え発現ベクターは、（例えば、Ｔ７プロモーター調節配列およびＴ７ポリメラーゼを使用して）インビトロで転写および翻訳され得る。
【０１７８】
原核生物におけるタンパク質発現は、融合タンパク質または非融合タンパク質のいずれかの発現を指向する構成的プロモーターまたは誘導性プロモーターを含むベクターを用いて、ほとんどＥ．ｃｏｌｉにて行われる。融合ベクターは、多くのアミノ酸をこのベクター中にコードされるタンパク質に、通常、組換えタンパク質のアミノ末端に付加する。このような融合ベクターは、典型的に以下の３つの目的で働く：１）組換えタンパク質の発現を増加させるため；２）組換えタンパク質の溶解度を増加させるため；および３）アフィニティ精製におけるリガンドとして作用することによる、組換えタンパク質の精製における補助のため。しばしば、タンパク質分解性切断部位が、融合部分と組換えタンパク質との連結部に導入され、融合部分からの組換えタンパク質の分離、続く融合タンパク質の精製を可能にする。このような酵素およびこれらの同族認識配列は、第Ｘａ因子、トロンビン、およびエンテロキナーゼを含む。代表的な融合発現ベクターとしては、ｐＧＥＸ（Ｐｈａｒｍａｃｉａ  Ｂｉｏｔｅｃｈ  Ｉｎｃ；ＳｍｉｔｈおよびＪｏｈｎｓｏｎ（１９８８）Ｇｅｎｅ  ６７：３１−４０），ｐＭＡＬ（Ｎｅｗ  Ｅｎｇｌａｎｄ  Ｂｉｏｌａｂｓ，Ｂｅｖｅｒｌｙ，ＭＡ）およびｐＲＩＴ５（Ｐｈａｒｍａｃｉａ，Ｐｉｓｃａｔａｗａｙ，ＮＪ）（これらはそれぞれ、グルタチオン−Ｓ−トランスフェラーゼ（ＧＳＴ）、マルトースＥ結合タンパク質、またはプロテインＡを標的組換えタンパク質に融合する）が挙げられる。
【０１７９】
精製された融合タンパク質は、６９５８３活性アッセイまたは８５９２４活性アッセイ（例えば、以下に詳細に記載される直接アッセイまたは競合アッセイ）において、あるいは６９５８３タンパク質または８５９２４タンパク質に特異的もしくは選択的な抗体を生成するために使用され得る。好ましい実施形態において、本発明のレトロウイルス発現ベクターにおいて発現される融合タンパク質を使用して、骨髄細胞を感染し、続いてこの細胞を、照射したレシピエントに移植し得る。次いで、被験体レシピエントの病理学は、十分な時間（例えば、６週間）が経過した後に試験される。
【０１８０】
Ｅ．ｃｏｌｉにおける組換えタンパク質発現を最大化することは、その組換えタンパク質をタンパク質分解性切断する減弱した能力を有する宿主細菌中でタンパク質を発現することである（Ｇｏｔｔｅｓｍａｎ（１９９０）Ｇｅｎｅ  Ｅｘｐｒｅｓｓｉｏｎ  Ｔｅｃｈｎｏｌｏｇｙ：Ｍｅｔｈｏｄｓ  ｉｎ  Ｅｎｚｙｍｏｌｏｇｙ  １８５，Ａｃａｄｅｍｉｃ  Ｐｒｅｓｓ，Ｓａｎ  Ｄｉｅｇｏ，Ｃａｌｉｆｏｒｎｉａ  １１９−１２８）。別のストラテジーは、各アミノ酸に対する個々のコドンがＥ．ｃｏｌｉ中で優先的に利用されるものであるように、発現ベクター中に挿入されるべき核酸の核酸配列を変更することである（Ｗａｄａら（１９９２）Ｎｕｃｌｅｉｃ  Ａｃｉｄｓ  Ｒｅｓ．２０：２１１１−２１１８）。本発明の核酸配列のこのような変更は、標準的ＤＮＡ合成技術によって行われ得る。
【０１８１】
６９５８３発現ベクターまたは８５９２４発現ベクターは、酵母発現ベクター、昆虫細胞内での発現のためのベクター（例えば、バキュロウイルス発現ベクター）または哺乳動物細胞内での発現に適切なベクターであり得る。
【０１８２】
哺乳動物細胞において使用される場合、発現ベクターの制御機能は、しばしば、ウイルス調節エレメントによって提供される。例えば、一般に使用されるプロモーターは、ポリオーマ、アデノウイルス２、サイトメガロウイルスおよびシミアンウイルス４０由来である。
【０１８３】
別の実施形態において、組換え哺乳動物発現ベクターは、特定の細胞型において優先的に核酸の発現を指向し得る（例えば、組織特異的調節エレメントが核酸の発現に使用される）。適切な組織特異的プロモーターの非限定的な例としては、アルブミンプロモーター（肝臓特異的；Ｐｉｎｋｅｒｔら（１９８７）Ｇｅｎｅｓ  Ｄｅｖ．１：２６８−２７７）、リンパ特異的プロモーター（ＣａｌａｍｅおよびＥａｔｏｎ（１９８８）Ａｄｖ．Ｉｍｍｕｎｏｌ．４３：２３５−２７５）、Ｔ細胞レセプターの特定のプロモーター（ＷｉｎｏｔｏおよびＢａｌｔｉｍｏｒｅ（１９８９）ＥＭＢＯ  Ｊ．８：７２９−７３３）、および免疫グロブリン（Ｂａｎｅｒｊｉら（１９８３）Ｃｅｌｌ  ３３：７２９−７４０；ＱｕｅｅｎおよびＢａｌｔｉｍｏｒｅ（１９８３）Ｃｅｌｌ  ３３：７４１−７４８）、ニューロン特異的プロモーター（例えば、ニューロフィラメントプロモーター；ＢｙｒｎｅおよびＲｕｄｄｌｅ（１９８９）Ｐｒｏｃ．Ｎａｔｌ．Ａｃａｄ．Ｓｃｉ．ＵＳＡ  ８６：５４７３−５４７７）、膵臓特異的プロモーター（Ｅｄｌｕｎｄら（１９８５）Ｓｃｉｅｎｃｅ  ２３０：９１２−９１６）、および乳腺特異的プロモーター（例えば、乳清プロモーター；米国特許第４，８７３，３１６号および欧州特許出願公開番号２６４，１６６号）が挙げられる。発生的に調節されるプロモーター（例えば、マウスｈｏｘプロモーター（ＫｅｓｓｅｌおよびＧｒｕｓｓ（１９９０）Ｓｃｉｅｎｃｅ  ２４９：３７４−３７９）およびα−フェトプロテインプロモーター（ＣａｍｐｅｓおよびＴｉｌｇｈｍａｎ（１９８９）Ｇｅｎｅｓ  Ｄｅｖ．３：５３７−５４６））もまた、含まれる。
【０１８４】
本発明はさらに、アンチセンス方向で発現ベクターにクローニングされた本発明のＤＮＡ分子を含む組換え発現ベクターを提供する。種々の細胞型におけるアンチセンスＲＮＡの、構成的発現、組織特異的発現、または細胞型特異的発現を指示する、アンチセンスの向きでクローニングされた核酸に対して作動可能に連結された調節配列（例えば、ウイルスプロモーターおよび／またはエンハンサー）が選択され得る。アンチセンス発現ベクターは、組換えプラスミド、ファージミド、または弱毒化されたウイルスの形態であり得る。アンチセンス遺伝子を用いる遺伝子発現の調節の議論については、Ｗｅｉｎｔｒａｕｂら、（１９８６）Ｒｅｖｉｅｗｓ−Ｔｒｅｎｄｓ  ｉｎ  Ｇｅｎｅｔｉｃｓ  １：１を参照のこと。
【０１８５】
本発明の別の局面は、本明細書中に記載された核酸分子（例えば、組換え発現ベクター内の６９５８３核酸分子または８５９２４核酸分子、あるいは６９５８３核酸分子または８５９２４核酸分子が宿主細胞ゲノムの特定の部位中に相同的に組換えることを可能とする配列を含む６９５８３核酸分子または８５９２４核酸分子）を含有する宿主細胞を提供する。用語「宿主細胞」および「組換え宿主細胞」は、本明細書中で、交換可能に使用される。このような用語は、特定の対象細胞をいうのみでなく、そのような細胞の子孫または潜在的な子孫をいう。変異または環境的影響のいずれかに起因して、特定の改変が次の世代において発生し得るので、このような子孫は、実際、親の細胞と同一でなくてもよいが、なお、本明細書中で使用されるようなこの用語の範囲内に含まれる。
【０１８６】
宿主細胞は、任意の原核生物細胞または真核生物細胞であり得る。例えば、６９５８３タンパク質または８５９２４タンパク質は、細菌細胞（例えば、Ｅ．ｃｏｌｉ）、昆虫細胞、酵母または哺乳動物細胞（例えば、チャイニーズハムスター卵巣（ＣＨＯ）細胞またはＣＶ−１起源、ＳＶ−４０（ＣＯＳ）細胞）で発現され得る。他の適切な宿主細胞は、当業者に公知である。
【０１８７】
ベクターＤＮＡは、従来的な形質転換またはトランスフェクション技術を介して宿主細胞に導入され得る。本明細書中で使用される場合、用語「形質転換」および「トランスフェクション」とは、外来性の核酸（例えば、ＤＮＡ）を宿主細胞中に導入するための当該分野で認識される種々の技術をいうことを意図し、これらには、リン酸カルシウムまたは塩化カルシウム共沈殿、ＤＥＡＥデキストラン媒介トランスフェクション、リポフェクション、またはエレクトロポレーションが挙げられる。
【０１８８】
本発明の宿主細胞を使用して、６９５８３タンパク質または８５９２４タンパク質を生成（すなわち、発現）し得る。従って、本発明はさらに、本発明の宿主細胞を使用して６９５８３タンパク質または８５９２４タンパク質を生成するための方法を提供する。１つの実施形態において、この方法は、６９５８３タンパク質または８５９２４タンパク質が生成されるような適切な培地中で、本発明の宿主細胞（この中に、６９５８３タンパク質または８５９２４タンパク質をコードする組換え発現ベクターが導入されている）を培養する工程を、包含する。別の実施形態において、この方法はさらに、培地または宿主細胞から６９５８３タンパク質または８５９２４タンパク質を単離する工程を包含する。
【０１８９】
別の局面において、本発明は、細胞、あるいは６９５８３トランスジーンもしくは８５９２４トランスジーンを含有する細胞またはそれ以外に６９５８３もしくは８５９２４を誤って発現する（ｍｉｓｅｘｐｒｅｓｓ）細胞からの精製調製物を特徴とする。この細胞調製物は、ヒト細胞または非ヒト細胞（例えば、げっ歯類細胞（例えば、マウス細胞もしくはラット細胞）、ウサギ細胞、またはブタ細胞）からなり得る。好ましい実施形態において、細胞は、６９５８３トランスジーンまたは８５９２４トランスジーン（例えば、６９５８３または８５９２４の異種形態、例えば、（非ヒト細胞の場合には）ヒト由来の遺伝子）を、含有する。この６９５８３トランスジーンまたは８５９２４トランスジーンは、誤って発現（例えば、過剰発現または寡少発現（ｕｎｄｅｒｅｘｐｒｅｓｓ））され得る。他の好ましい実施形態において、細胞は、内在性６９５８３または８５９２４を誤って発現する遺伝子（例えば、遺伝子発現が損なわれる遺伝子（例えば、ノックアウト））を含有する。このような細胞は、変異した６９５８３対立遺伝子または８５９２４対立遺伝子、あるいは誤って発現された６９５８３対立遺伝子または８５９２４対立遺伝子に関係する障害を研究するためのモデル、あるいは薬物スクリーニングにおける使用のためのモデルとして作用し得る。
【０１９０】
別の局面において、本発明は、本発明の６９５８３ポリペプチドまたは８５９２４ポリペプチドをコードする核酸で形質転換されたヒト細胞（例えば、造血幹細胞）を、特徴とする。
【０１９１】
また、細胞、好ましくはヒト細胞（例えば、ヒト造血細胞または線維芽細胞）が提供され、この細胞中では、内因性６９５８３または内因性８５９２４が、正常では内因性６９５８３遺伝子または内因性８５９２４遺伝子の発現を制御しない調節配列の制御下にある。細胞（例えば、細胞株または微生物）中の内因性遺伝子の発現特徴は、挿入された調節エレメントが内因性６９５８３遺伝子または内因性８５９２４遺伝子に作動可能に連結されるように、細胞のゲノム中に異種性のＤＮＡ調節エレメントを挿入することによって改変され得る。例えば、「転写的にサイレント」（例えば、正常では発現されないか、または極低レベルでのみ発現される）内因性６９５８３遺伝子または内因性８５９２４遺伝子を、その細胞中で正常に発現される遺伝子産物の発現を促進し得る調節性エレメントを挿入することによって、活性化し得る。標的化相同組換えのような技術を使用して、例えば、Ｃｈａｐｐｅｌ、米国特許第５，２７２，０７１号；１９９１年５月１６日に公開されたＷＯ  ９１／０６６６７に記載されるように、異種性ＤＮＡを挿入し得る。
【０１９２】
（トランスジェニック動物）
本発明は、非ヒトトランスジェニック動物を提供する。このような動物は、６９５８３タンパク質または８５９２４タンパク質の機能および／または活性を研究するため、ならびに６９５８３活性または８５９２４活性の調節因子を同定および／または評価するために、有用である。本明細書中で使用される場合、「トランスジェニック動物」は、その動物の細胞の１つ以上がトランスジーンを含有する、非ヒト動物であり、好ましくは哺乳動物であり、より好ましくは、ラットもしくはマウスのようなげっ歯類である。トランスジェニック動物の他の例としては、非ヒト霊長類、ヒツジ、イヌ、ウシ、ヤギ、ニワトリ、両生類などが挙げられる。トランスジーンとは、好ましくは、トランスジェニック動物の細胞のゲノム中に組み込まれるか、またはゲノム中に生じる、外因性ＤＮＡまたは内因性染色体ＤＮＡの再配置（例えば、欠失）である。トランスジーンは、トランスジェニック動物の１つ以上の細胞型もしくは組織においてコードされる遺伝子産物の発現を指令し得、他のトランスジーン（例えば、ノックアウト）は、発現を減少させる。従って、トランスジェニック動物は、内因性６９５８３遺伝子または内因性８５９２４遺伝子が、例えば、内因性遺伝子と、その動物の発生前にその動物の細胞（例えば、その動物の胚細胞）中に導入された外因性ＤＮＡ分子との間の相同組換えによって、変更された動物であり得る。
【０１９３】
イントロン配列およびポリアデニル化シグナルはまた、トランスジーンの発現の効率を増加させるためにトランスジーン中に含まれ得る。組織特異的調節配列は、特定の細胞に６９５８３タンパク質または８５９２４タンパク質の発現を指向するために、本発明のトランスジーンに作動可能に連結され得る。トランスジェニック創始動物は、そのゲノムにおける６９５８３トランスジーンまたは８５９２４トランスジーンの存在ならびに／あるいはこの動物の組織もしくは細胞における６９５８３  ｍＲＮＡまたは８５９２４  ｍＲＮＡの発現に基づいて、同定され得る。次いで、トランスジェニック創始動物を使用して、トランスジーンを保有するさらなる動物を育種し得る。さらに６９５８３タンパク質または８５９２４タンパク質をコードするトランスジーンを保有するトランスジェニック動物は、さらに、他のトランスジーンを有する他のトランスジェニック動物と交配され得る。
【０１９４】
６９５８３タンパク質または８５９２４タンパク質あるいは６９５８３ポリペプチドまたは８５９２４ポリペプチドは、トランスジェニック動物またはトランスジェニック植物において発現され得る（例えば、このタンパク質またはポリペプチドをコードする核酸が、動物のゲノム中に導入され得る）。好ましい実施形態において、この核酸を、組織特異的なプロモーター（例えば、乳汁特異的プロモーターまたは卵特異的プロモーター）の制御下に配置し、そして動物により産生される乳汁または卵から回収され得る。適切な動物は、マウス、ブタ、ウシ、ヤギおよびヒツジである。
【０１９５】
本発明はまた、例えば、以下に考察されるような、トランスジェニック動物由来の細胞集団を包含する。
【０１９６】
（使用）
本明細書中に記載される核酸分子、タンパク質、タンパク質ホモログ、および抗体は、以下の方法の１以上に使用され得る：ａ）スクリーニングアッセイ；ｂ）予測医学（例えば、診断アッセイ、予後アッセイ、臨床試験のモニタリング、および薬理遺伝学）；ならびにｃ）処置方法（例えば、治療および予防）。
【０１９７】
本発明の単離された核酸分子を使用して、例えば、６９５８３タンパク質または８５９２４タンパク質を（例えば、遺伝子治療の適用における、宿主細胞中の組換え発現ベクターを介して）発現し得、（例えば、生物学的サンプル中の）６９５８３  ｍＲＮＡまたは８５９２４  ｍＲＮＡを検出し得るか、あるいは６９５８３遺伝子または８５９２４遺伝子中の遺伝子の変更を検出し得、そして以下にさらに記載されるように、６９５８３または８５９２４の活性を調節し得る。６９５８３タンパク質または８５９２４タンパク質を使用して、６９５８３基質または８５９２４基質あるいは６９５８３インヒビターまたは８５９２４インヒビターの不十分な生成または過剰な生成によって特徴付けられる障害を処置し得る。さらに、６９５８３タンパク質または８５９２４タンパク質を使用して、天然に存在する６９５８３または８５９２４の基質についてスクリーニングし得、６９５８３活性または８５９２４活性を調節する薬物または化合物をスクリーニングし得、ならびに６９５８３タンパク質または８５９２４タンパク質あるいは６９５８３野生型タンパク質または８５９２４野生型タンパク質と比較して、減少した活性、異常な活性もしくは所望されない活性を有する、６９５８３タンパク質形態または８５９２４タンパク質形態の生成物の不十分な生成または過剰な生成によって特徴付けられる障害（例えば、異常なまたは欠損した増殖障害および／または分化障害（例えば、癌腫肉腫、転移性障害）または造血性障害（例えば、白血病）、機能または発現）を、処置し得る。さらに、本発明の抗６９５８３抗体または抗８５９２４抗体を使用して、６９５８３タンパク質または８５９２４タンパク質を検出および単離し得、６９５８３タンパク質または８５９２４タンパク質のバイオアベイラビリティーを調節し得、そして６９５８３活性または８５９２４活性を調節し得る。
【０１９８】
本発明の６９５８３ポリペプチドまたは８５９２４ポリペプチドと相互作用する（例えば、結合する）能力について化合物を評価する方法を提供する。この方法は、以下を包含する：本発明の６９５８３ポリペプチドまたは８５９２４ポリペプチドと化合物とを接触させる工程；および化合物が本発明の６９５８３ポリペプチドまたは８５９２４ポリペプチドと相互作用する（例えば、結合するか、あるいは複合体を形成する）能力を評価する工程。この方法は、インビトロ（例えば、無細胞系）でか、またはインビボ（例えば、ツーハイブリッド相互作用トラップアッセイ）で実施され得る。この方法を使用して、本発明の６９５８３ポリペプチドまたは８５９２４ポリペプチドと相互作用する、天然に存在する分子を同定し得る。またこの方法を使用して、本発明の６９５８３ポリペプチドまたは８５９２４ポリペプチドの天然インヒビターまたは合成インヒビターを見出し得る。スクリーニング方法を、以下により詳細に考察する。
【０１９９】
（スクリーニングアッセイ）
本発明は、６９５８３タンパク質または８５９２４タンパク質に結合するか、例えば６９５８３発現または８５９２４発現あるいは６９５８３活性または８５９２４活性に対する刺激作用もしくは阻害作用を有するか、あるいは例えば６９５８３基質または８５９２４基質の発現または活性に対する刺激作用または阻害作用を有する、調節因子、すなわち候補または試験の化合物または因子（例えば、タンパク質、ペプチド、ペプチド模倣物、ペプトイド、低分子または他の薬物）を同定するための方法（本明細書中で「スクリーニングアッセイ」ともいわれる）を提供する。このように同定された化合物を使用して、治療プロトコル中で標的遺伝子産物（例えば、６９５８３遺伝子または８５９２４遺伝子）の活性を調節し得るか、標的遺伝子産物の生物学的機能を調節し得るか、または正常な標的遺伝子の相互作用を無効化（ｄｅｓｔｒｕｐｔ）する化合物を、同定し得る。
【０２００】
１つの実施形態において、本発明は、６９５８３タンパク質または８５９２４タンパク質あるいは６９５８３ポリペプチドまたは８５９２４ポリペプチド、またはその生物学的に活性な部分の基質である、候補化合物または試験化合物をスクリーニングするためのアッセイを提供する。別の実施形態において、本発明は、６９５８３タンパク質または８５９２４タンパク質あるいは６９５８３ポリペプチドまたは８５９２４ポリペプチド、あるいはその生物学的に活性な部分に結合するかまたはその活性を調節する、候補化合物または試験化合物をスクリーニングするためのアッセイを提供する。
【０２０１】
本発明の試験化合物は、当該分野において公知のコンビナトリアルライブラリー方法（生物学的ライブラリー；ペプトイドライブラリー（ペプチドの機能を有するが、酵素的分解に対して耐性であるがそれでもなお生物学的に活性なままである、新規の非ペプチド骨格を有する分子のライブラリー；例えば、Ｚｕｃｋｅｒｍａｎｎら（１９９４）Ｊ．Ｍｅｄ．Ｃｈｅｍ．３７：２６７８−８５を参照のこと）；空間的にアドレス可能な並行の固相または溶液相ライブラリー；デコンボルーション（ｄｅｃｏｎｖｏｌｕｔｉｏｎ）を必要とする合成ライブラリー法；「１ビーズ１化合物」ライブラリー法；およびアフィニティークロマトグラフィー選択を使用する合成ライブラリー方法を含む）における任意の多くのアプローチを使用して獲得され得る。生物学的ライブラリーアプローチおよび、ペプチドライブラリーアプローチは、ペプチドライブラリーに限定され、一方、他の４つのアプローチは、化合物のペプチド、非ペプチドオリゴマーまたは低分子ライブラリーに適用可能である（Ｌａｍ（１９９７）Ａｎｔｉｃａｎｃｅｒ  Ｄｒｕｇ  Ｄｅｓ．１２：１４５）。
【０２０２】
分子ライブラリーの合成のための方法の例は、例えば、以下において、当該分野で見出され得る：ＤｅＷｉｔｔら（１９９３）Ｐｒｏｃ．Ｎａｔｌ．Ａｃａｄ．Ｓｃｉ．Ｕ．Ｓ．Ａ．９０：６９０９−１３；Ｅｒｂら（１９９４）Ｐｒｏｃ．Ｎａｔｌ．Ａｃａｄ．Ｓｃｉ．ＵＳＡ  ９１：１１４２２−４２６；Ｚｕｃｋｅｒｍａｎｎら（１９９４）、Ｊ．Ｍｅｄ．Ｃｈｅｍ．３７：２６７８−８５；Ｃｈｏら（１９９３）Ｓｃｉｅｎｃｅ  ２６１：１３０３；Ｃａｒｒｅｌｌら（１９９４）Ａｎｇｅｗ．Ｃｈｅｍ．Ｉｎｔ．Ｅｄ．Ｅｎｇｌ．３３：２０５９；Ｃａｒｅｌｌら（１９９４）Ａｎｇｅｗ．Ｃｈｅｍ．Ｉｎｔ．Ｅｄ．Ｅｎｇｌ．３３：２０６１；およびＧａｌｌｏｐら（１９９４）Ｊ．Ｍｅｄ．Ｃｈｅｍ．３７：１２３３−５１。
【０２０３】
化合物のライブラリーは、溶液中に存在し得るか（例えば、Ｈｏｕｇｈｔｅｎ（１９９２）Ｂｉｏｔｅｃｈｎｉｑｕｅｓ  １３：４１２〜４２１）、またはビーズ上（Ｌａｍ（１９９１）Ｎａｔｕｒｅ  ３５４：８２〜８４）、チップ上（Ｆｏｄｏｒ（１９９３）Ｎａｔｕｒｅ  ３６４：５５５〜５５６）、細菌上（Ｌａｄｎｅｒ、米国特許第５，２２３，４０９号）、芽胞上（Ｌａｄｎｅｒ、特許第’４０９号）、プラスミド上（Ｃｕｌｌら（１９９２）Ｐｒｏｃ  Ｎａｔｌ  Ａｃａｄ  Ｓｃｉ  ＵＳＡ  ８９：１８６５〜１８６９）またはファージ上（ＳｃｏｔｔおよびＳｍｉｔｈ（１９９０）Ｓｃｉｅｎｃｅ  ２４９：３８６〜３９０；Ｄｅｖｌｉｎ（１９９０）Ｓｃｉｅｎｃｅ  ２４９：４０４〜４０６；Ｃｗｉｒｌａら（１９９０）Ｐｒｏｃ．Ｎａｔｌ．Ａｃａｄ．Ｓｃｉ．８７：６３７８〜６３８２；Ｆｅｌｉｃｉ（１９９１）Ｊ．Ｍｏｌ．Ｂｉｏｌ．２２２：３０１〜３１０；Ｌａｄｎｅｒ  前出）であり得る。
【０２０４】
１つの実施形態では、アッセイは、細胞ベースのアッセイであり、ここで６９５８３タンパク質もしくは８５９２４タンパク質またはその生物学的に活性な部分を発現する細胞を、試験化合物と接触させ、そして試験化合物が６９５８３活性または８５９２４活性を調節する能力を決定する。試験化合物が６９５８３活性または８５９２４活性を調節する能力の決定を、例えば、細胞の増殖および分裂に関連する生化学的変化および形態学的変化をモニタリングすることによって達成し得る。例えば、この細胞は、哺乳動物起源（例えば、ヒト）であり得る。
【０２０５】
試験化合物が化合物（例えば、６９５８３基質または８５９２４基質）への６９５８３結合または８５９２４結合を調節する能力、または６９５８３または８５９２４に結合する能力をまた、評価し得る。このことは、例えば、化合物（例えば、基質）を放射性同位体または酵素標識とカップリングさせることによって達成され得、その結果、複合体中の標識された化合物（例えば、基質）を検出することによって、化合物（例えば、基質）の６９５８３または８５９２４への結合を決定し得る。あるいは、６９５８３または８５９２４を放射性同位体または酵素標識とカップリングさせて、複合体中の試験化合物が６９５８３基質または８５９２４基質への６９５８３結合または８５９２４結合を調節する能力をモニタリングし得る。例えば、化合物（例えば、６９５８３基質または８５９２４基質）を、１２５Ｉ、１４Ｃ、３５Ｓまたは３Ｈで、直接的または間接的のいずれかで標識し得、そしてこの放射性同位体が、放射線放射の直接的な計数によってか、またはシンチレーション計数によってかで検出され得る。あるいは、化合物は、例えば、西洋ワサビペルオキシダーゼ、アルカリホスファターゼ、またはルシフェラーゼで酵素的に標識され得、そして適切な基質の産物への変換を定量することによって、この酵素標識を検出し得る。
【０２０６】
化合物（例えば、６９５８３基質または８５９２４基質）が、任意の相互作用体（ｉｎｔｅｒａｃｔａｎｔ）の標識化を有する６９５８３もしくは８５９２４またはこれを有さない６９５８３もしくは８５９２４と相互作用する能力を、評価し得る。例えば、微小生理機能測定器（ｍｉｃｒｏｐｈｙｓｉｏｍｅｔｅｒ）を使用して、化合物または６９５８３もしくは８５９２４のいずれかの標識化を有さない、６９５８３または８５９２４との化合物の相互作用を検出し得る。ＭｃＣｏｎｎｅｌｌら（１９９２）Ｓｃｉｅｎｃｅ  ２５７：１９０６−１９１２。本明細書中で使用される場合、「微小生理機能測定器」（例えば、Ｃｙｔｏｓｅｎｓｏｒ）は、光でアドレス可能な電位差測定センサー（ＬＡＰＳ）を使用して、細胞がその環境を酸性化する速度を測定する、分析装置である。この酸性化速度の変化は、化合物と６９５８３または８５９２４との間の相互作用の指標として使用され得る。
【０２０７】
なお別の実施形態において、６９５８３タンパク質もしくは８５９２４タンパク質またはその生物学的に活性な部分を試験化合物と接触させ、そしてその試験化合物が６９５８３タンパク質もしくは８５９２４タンパク質またはその生物学的に活性な部分に結合する能力を評価する、無細胞アッセイを提供する。本発明のアッセイに使用するための６９５８３タンパク質または８５９２４タンパク質の好ましい生物学的に活性な部分としては、非６９５８３分子または非８５９２４分子との相互作用に関与するフラグメント（例えば、高い表面存在可能性スコアを有するフラグメント）が挙げられる。
【０２０８】
本発明の無細胞アッセイにおいて、単離したタンパク質（例えば、６９５８３タンパク質もしくは８５９２４タンパク質またはその生物学的に活性な部分）の可溶性形態および／または膜結合形態を、使用し得る。膜結合形態のタンパク質を使用する場合、可溶化剤を利用することが望ましい。このような可溶化剤の例としては、以下のような非イオン性界面活性剤が挙げられる：ｎ−オクチルグルコシド、ｎ−ドデシルグルコシド、ｎ−ドデシルマルトシド、オクタノイル−Ｎ−メチルグルカミド、デカノイル−Ｎ−メチルグルカミド、Ｔｒｉｔｏｎ（登録商標）Ｘ−１００、Ｔｒｉｔｏｎ（登録商標）Ｘ−１１４、Ｔｈｅｓｉｔ（登録商標）、イソトリデシルポリ（エチレングリコールエーテル）ｎ（Ｉｓｏｔｒｉｄｅｃｙｐｏｌｙ（ｅｔｈｙｌｅｎｅ  ｇｌｙｃｏｌ  ｅｔｈｅｒ）ｎ）、３−［（３−コラミドプロピル）ジメチルアンモニオ］−１−プロパンスルホネート（３−［（３−ｃｈｏｌａｍｉｄｏｐｒｏｐｙｌ）ｄｉｍｅｔｈｙｌａｍｍｉｎｉｏ］−１−ｐｒｏｐａｎｅ  ｓｕｌｆｏｎａｔｅ）（ＣＨＡＰＳ）、３−［（３−コラミドプロピル）ジメチルアンモニオ］−２−ヒドロキシ−１−プロパンスルホネート（３−［（３−ｃｈｏｌａｍｉｄｏｐｒｏｐｙｌ）ｄｉｍｅｔｈｙｌａｍｍｉｎｉｏ］−２−ｈｙｄｒｏｘｙ−１−ｐｒｏｐａｎｅ  ｓｕｌｆｏｎａｔｅ）（ＣＨＡＰＳＯ）、またはＮ−ドデシル＝Ｎ，Ｎ−ジメチル−３−アンモニオ−１−プロパンスルホネート。
【０２０９】
無細胞アッセイは、２つの成分が相互作用しそして結合し、従って除去および／または検出され得る複合体を形成し得る条件下かつそのために十分な時間をかけて、標的遺伝子タンパク質および試験化合物の反応混合物を調製する工程を、包含する。
【０２１０】
２つの分子間の相互作用をまた、例えば、蛍光エネルギー転移（ＦＥＴ）を使用して検出し得る（例えば、Ｌａｋｏｗｉｃｚら、米国特許第５，６３１，１６９号；Ｓｔａｖｒｉａｎｏｐｏｕｌｏｓら、米国特許第４，８６８，１０３号を参照のこと）。第１「ドナー」分子上のフルオロフォア標識は、その放射した蛍光エネルギーが、第２「アクセプター」分子上の蛍光標識によって吸収され、次いで吸収エネルギーに起因して蛍光発光し得るように、選択される。あるいは、この「ドナー」タンパク質分子は、単に、トリプトファン残基の天然の蛍光エネルギーを利用し得る。異なる波長の光を放射する標識を選択して、その結果、「アクセプター」分子標識は、「ドナー」分子標識から識別され得る。これら標識間のエネルギー転移の効率は、分子を隔てる距離に関係するので、これら分子間の空間関係を評価し得る。分子間で結合が生じる状態では、このアッセイにおいて「アクセプター」分子標識の蛍光放射は最大となるはずである。ＦＥＴ結合事象を、当該分野で周知の標準的な蛍光検出手段を介して（例えば、蛍光測定器を用いて）、簡便に測定し得る。
【０２１１】
別の実施形態において、６９５８３タンパク質または８５９２４タンパク質が標的分子に結合する能力の決定を、リアルタイムの生体分子相互作用分析（Ｂｉｏｍｏｌｅｃｕｌａｒ  Ｉｎｔｅｒａｃｔｉｏｎ  Ａｎａｌｙｓｉｓ）（ＢＩＡ）を使用して達成し得る（例えば、ＳｊｏｌａｎｄｅｒおよびＵｒｂａｎｉｃｚｋｙ（１９９１）Ａｎａｌ．Ｃｈｅｍ．６３：２３３８〜２３４５、ならびにＳｚａｂｏら（１９９５）Ｃｕｒｒ．Ｏｐｉｎ．Ｓｔｒｕｃｔ．Ｂｉｏｌ．５：６９９〜７０５を参照のこと）。「表面プラズモン共鳴（ｓｕｒｆａｃｅ  ｐｌａｓｍｏｎ  ｒｅｓｏｎａｎｃｅ）」または「ＢＩＡ」は、いずれの相互作用物も標識することなく、リアルタイムで生体特異的相互作用を検出する（例えば、ＢＩＡｃｏｒｅ）。結合表面の質量の変化（結合事象を表す）は、表面付近の光の屈折率の変化（表面プラズモン共鳴（ＳＰＲ）の光学的現象（ｏｐｔｉｃａｌ  ｐｈｅｎｏｍｅｎｏｎ））を生じ、生物学的分子間のリアルタイム反応の指標として使用され得る、検出可能なシグナルを生じる。
【０２１２】
１つの実施形態において、標的遺伝子産物または試験基質を、固相上に係留する（ａｎｃｈｏｒ）。固相上に係留した標的遺伝子産物／試験化合物の複合体を、反応終了時に検出し得る。好ましくは、標的遺伝子産物を固相表面上に係留し得、そして（係留されていない）試験化合物を、本明細書中で考察される検出可能な標識で、直接的または間接的のいずれかで標識し得る。
【０２１３】
６９５８３もしくは８５９２４、抗６９５８３抗体もしくは抗８５９２４抗体またはその標的分子のいずれかを固定して、そのタンパク質の一方または両方の非複合体化形態からの複合体化形態の分離を容易にし、そしてこのアッセイの自動化に適用させることが、望ましくあり得る。試験化合物の６９５８３タンパク質もしくは８５９２４タンパク質への結合、または候補化合物の存在下および非存在下での６９５８３タンパク質もしくは８５９２４タンパク質の標的分子との相互作用は、これらの反応物を収容するのに適切な任意の容器内で達成され得る。このような容器の例には、マイクロタイタープレート、試験管、および微小遠心管が挙げられる。１つの実施形態において、そのタンパク質の一方または両方をマトリックスに結合することを可能にするドメインを付加する融合タンパク質が、提供され得る。例えば、グルタチオン−Ｓ−トランスフェラーゼ／６９５８３融合タンパク質もしくは８５９２４融合タンパク質またはグルタチオン−Ｓ−トランスフェラーゼ／標的融合タンパク質は、グルタチオンセファロースビーズ（Ｓｉｇｍａ  Ｃｈｅｍｉｃａｌ、Ｓｔ．Ｌｏｕｉｓ、ＭＯ）またはグルタチオン誘導体化マイクロタイタープレート上に吸着され得、次いで、これらを、試験化合物と混ぜ合わせるか、あるいは試験化合物および非吸着の標的タンパク質または６９５８３タンパク質もしくは８５９２４タンパク質のいずれかと混ぜ合わせ、そしてこの混合物を、複合体形成に貢献する条件下（例えば、塩およびｐＨに関して生理学的条件）でインキュベートする。インキュベーション後、ビーズまたはマイクロタイタープレートウェルを洗浄して、結合していないあらゆる成分を除去し、ビーズの場合にはマトリックスに固定し、例えば、上記のように、複合体を直接的または間接的のいずれかで決定する。あるいは、複合体をマトリックスから解離させ得、そして６９５８３結合もしくは８５９２４結合レベルまたは６９５８３活性もしくは８５９２４活性レベルを標準的な技術を使用して決定し得る。
【０２１４】
６９５８３タンパク質もしくは８５９２４タンパク質または標的分子のいずれかをマトリックス上に固定するための他の技術としては、ビオチンとストレプトアビジンとの結合体化を使用することが挙げられる。ビオチン化された６９５８３タンパク質もしくは８５９２４タンパク質または標的分子を、当該分野において公知の技術（例えば、ビオチン化キット、Ｐｉｅｒｃｅ  Ｃｈｅｍｉｃａｌｓ、Ｒｏｃｋｆｏｒｄ、ＩＬ）を使用して、ビオチン−ＮＨＳ（Ｎ−ヒドロキシ−スクシンイミド）から調製し得、そしてストレプトアビジンでコーティングした９６ウェルのプレート（Ｐｉｅｒｃｅ  Ｃｈｅｍｉｃａｌ）のウェル中に固定し得る。
【０２１５】
このアッセイを行うために、非固定化成分を、係留された成分を含むコーティングされた表面に添加する。反応の完了後、形成された任意の複合体が固相表面上で依然として固定化されているような条件下で、未反応成分を取り除く（例えば、洗浄によって）。固相表面上に係留された複合体の検出を、多くの方法で達成し得る。それまで固定化されない成分を予め標識する場合、表面上に固定化された標識の検出は、複合体が形成されたことを示す。それまで固定化されない成分が予め標識されない場合、間接標識を使用して、表面上に係留された複合体を検出し得る：例えば、固定化成分に特異的または選択的な標識抗体の使用（次いで、この抗体は、直接的にか、または例えば標識された抗Ｉｇ抗体で間接的に標識され得る）。
【０２１６】
１つの実施形態において、６９５８３タンパク質もしくは８５９２４タンパク質または標的分子と反応性であるが、６９５８３タンパク質もしくは８５９２４タンパク質のその標的分子への結合を妨害しない抗体を利用して、アッセイを実施する。このような抗体は、プレートのウェルに誘導体化され得、そして結合していない標的または６９５８３タンパク質もしくは８５９２４タンパク質が、抗体の結合体化によってウェル内にトラップされ得る。このような複合体を検出するための方法には、ＧＳＴ固定化複合体に関しての上記のものに加えて、６９５８３タンパク質もしくは８５９２４タンパク質または標的分子と反応性の抗体を使用する複合体の免疫検出、ならびに６９５８３タンパク質もしくは８５９２４タンパク質または標的分子に関する酵素活性の検出に依存する酵素結合アッセイが挙げられる。
【０２１７】
あるいは、無細胞アッセイを液相中で行い得る。このようなアッセイにおいて、以下に挙げられる任意の多くの標準的な技術によって、反応生成物を未反応成分から分離するが、これらに限定されない：差次的遠心分離（例えば、ＲｉｖａｓおよびＭｉｎｔｏｎ（１９９３）Ｔｒｅｎｄｓ  Ｂｉｏｃｈｅｍ  Ｓｃｉ  １８：２８４−７を参照のこと）；クロマトグラフィー（ゲル濾過クロマトグラフィー、イオン交換クロマトグラフィー）；電気泳動（例えば、Ａｕｓｕｂｅｌら、編、（１９９９）Ｃｕｒｒｅｎｔ  Ｐｒｏｔｏｃｏｌｓ  ｉｎ  Ｍｏｌｅｃｕｌａｒ  Ｂｉｏｌｏｇｙ，Ｊ．Ｗｉｅｌｙ、Ｎｅｗ  Ｙｏｒｋを参照のこと）；および免疫沈降（例えば、Ａｕｓｕｂｅｌら、編（１９９９）Ｃｕｒｒｅｎｔ  Ｐｒｏｔｏｃｏｌｓ  ｉｎ  Ｍｏｌｅｃｕｌａｒ  Ｂｉｏｌｏｇｙ，Ｊ．Ｗｉｅｌｙ、Ｎｅｗ  Ｙｏｒｋを参照のこと）。このような樹脂およびクロマトグラフィー技術は当業者に公知である（例えば、Ｈｅｅｇａａｒｄ（１９９８）Ｊ  Ｍｏｌ  Ｒｅｃｏｇｎｉｔ  １１：１４１−８；ＨａｇｅおよびＴｗｅｅｄ（１９９７）Ｊ  Ｃｈｒｏｍａｔｏｇｒ  Ｂ  Ｂｉｏｍｅｄ  Ｓｃｉ  Ａｐｐｌ．６９９：４９９−５２５を参照のこと）。さらに、蛍光エネルギー転移をまた、本明細書中に記載されるように、うまく使用して、溶液からの複合体をさらに精製することなく結合を検出し得る。
【０２１８】
好ましい実施形態において、このアッセイは、６９５８３タンパク質もしくは８５９２４タンパク質またはその生物学的に活性な部分を、６９５８３または８５９２４を結合する公知化合物と接触させてアッセイ混合物を形成する工程、アッセイ混合物を試験化合物と接触させる工程、および試験化合物が６９５８３タンパク質もしくは８５９２４タンパク質と相互作用する能力を決定する工程を包含し、ここで、試験化合物が６９５８３タンパク質もしくは８５９２４タンパク質と相互作用する能力を決定する工程は、公知化合物と比較した場合、試験化合物が、６９５８３タンパク質もしくは８５９２４タンパク質またはその生物学的に活性な部分に優先的に結合する能力、または標的分子の活性を調節する能力を決定する工程を包含する。
【０２１９】
本発明の標的遺伝子産物は、インビボで、１つ以上の細胞性高分子または細胞外高分子（例えば、タンパク質）と相互作用し得る。この考察の目的のために、このような細胞性高分子および細胞外高分子は、本明細書中で、「結合パートナー」といわれる。このような相互作用を無効化する化合物は、標的遺伝子産物の活性を調節するのに有用であり得る。このような化合物としては、抗体、ペプチドおよび低分子のような分子が挙げられ得るが、これらに限定されない。この実施形態における使用のための好ましい標的遺伝子／産物は、本明細書中で同定された６９５８３遺伝子または８５９２４遺伝子である。代替の実施形態において、本発明は、試験化合物が、６９５８３標的分子または８５９２４標的分子の下流のエフェクターの活性の調節を介して、６９５８３タンパク質もしくは８５９２４タンパク質の活性を調節する能力を決定するための方法を、提供する。例えば、これまでに記載されたように、適切な標的に対するエフェクター分子の活性を決定し得るか、またはエフェクターの適切な標的に対する結合を決定し得る。
【０２２０】
標的遺伝子産物と、その細胞性結合パートナーまたは細胞外結合パートナーとの間の相互作用を妨害する化合物を同定するために、標的遺伝子産物および結合パートナーを含有する反応混合物を、２つの産物が複合体を形成し得るような条件下かつそのために十分な時間をかけて、調製する。阻害性因子を試験するために、反応混合物を試験化合物の存在下および非存在下で提供する。試験化合物は、最初に、反応混合物中に含まれ得るか、または標的遺伝子およびその細胞性結合パートナーまたは細胞外結合パートナーの添加の後のある時点で添加され得る。コントロールの反応混合物を、試験化合物なしでかまたはプラセボと一緒にインキュベートする。次いで、標的遺伝子産物と、細胞性結合パートナーまたは細胞外結合パートナーとの間の任意の複合体の形成を検出する。コントロール反応中で複合体を形成するが、試験化合物を含有する反応混合物中では複合体を形成しないことは、この化合物が標的遺伝子産物と相互作用性結合パートナーとの相互作用を妨害することを示す。さらに、試験化合物および正常な標的遺伝子産物を含有する反応混合物中の複合体形成をまた、試験化合物および変異体標的遺伝子産物を含有する反応混合物中の複合体形成と比較し得る。この比較は、変異体標的遺伝子産物の相互作用を無効化するが、正常な標的遺伝子産物の相互作用は無効化しない化合物を同定することが望ましい場合に、重要であり得る。
【０２２１】
これらのアッセイは、不均一形式または均一形式で行われ得る。不均一系アッセイは、標的遺伝子産物またはその結合パートナーのいずれかを固相上に係留する工程、および反応終了時に固相上に係留された複合体を検出する工程を、包含する。均一系アッセイにおいて、全反応を液相中で実行する。両方のアプローチにおいて、試験される化合物についての差次的な情報を獲得するために、反応物の添加の順序を変化し得る。例えば、標的遺伝子産物とその結合パートナーとの間の相互作用を、例えば、競合によって妨害する試験化合物を、試験基質の存在下で反応を行うことによって同定し得る。あるいは、形成された複合体を無効化する試験化合物（例えば、複合体から成分のうちの１つを置き換える、より高い結合定数を有する化合物）を、複合体が形成した後に反応混合物中に試験化合物を添加することによって試験し得る。種々の形式を、以下に簡潔に記載する。
【０２２２】
不均質のアッセイ系において、標的遺伝子産物または反応性（ｉｎｔｅｒａｃｔｉｖｅ）細胞性結合パートナーもしくは細胞外結合パートナーのいずれかは、固体表面（例えば、マイクロタイタープレート）上に固着され、一方で非固着種が直接または間接的に標識される。固着種は、非共有結合または共有結合によって固定され得る。あるいは、固着される種に特異的または選択的な固定化抗体は、固体表面への種の固着のために使用され得る。
【０２２３】
アッセイを行うために、固定化種のパートナーは、試験化合物でコーティングされた表面か、試験化合物でコーティングされていない表面に曝露される。反応が完結した後、未反応の成分が除去され（例えば、洗浄によって）、そして任意の形成された複合体は、固体表面上に固定化されたままである。非固定化種が前標識される場合、表面上に固定化された標識の検出は、複合体が形成されたことを示す。非固定化種が前標識されていない場合、間接標識は、表面に固着された複合体を検出するために使用され得る；例えば、始めに非固定化種に特異的なまたは選択的標識抗体を用いて（次いで、抗体は、例えば、標識化抗Ｉｇ抗体で直接標識され得るかまたは間接的に標識され得る）。反応成分の添加の順番に依存して、複合体形成を阻害するか、または予め形成された複合体を破壊する試験化合物が、検出され得る。
【０２２４】
あるいは、この反応は、試験化合物の存在下または非存在下で液体層で実行され得、反応産物は、未反応成分から分離され、そして複合体が検出される；例えば、溶液中で形成される任意の複合体を固着させる結合成分の１つに特異的なまたは選択的な固定化抗体、および固着された複合体を検出する他のパートナーに特異的なまたは選択的な標識化抗体を用いて。再度、液相への反応物の添加の順番に依存して、複合体を阻害するか、または予め形成された複合体を破壊する試験化合物が、同定され得る。
【０２２５】
本発明の代替の実施形態において、均質のアッセイが使用され得る。例えば、標的遺伝子産物のおよび反応性細胞結合パートナー産物または細胞外結合パートナー産物の予め形成された複合体は、標的遺伝子産物が標識されるか、またはその結合パートナーが標識されるかのいずれかで調製されるが、標識によって生成されるシグナルは、複合体形成に起因してクエンチされる（このアプローチを免疫アッセイのために利用する米国特許第４，１０９，４９６号を参照のこと）。予め形成された複合体由来の種の１つと競合し、そして置換する試験物質の添加は、バックグラウンドを上回るシグナルの生成を生じる。この方法において、標的遺伝子産物結合パートナー相互作用を破壊する試験物質が、同定され得る。
【０２２６】
なお別の局面において、６９５８３タンパク質もしくは８５９２４タンパク質は、ツーハイブリッドアッセイまたはスリーハイブリッドアッセイ（例えば、米国特許第５，２８３，３１７号；Ｚｅｒｖｏｓら、（１９９３）Ｃｅｌｌ  ７２：２２３〜２３２；Ｍａｄｕｒａら（１９９３）Ｊ．Ｂｉｏｌ．Ｃｈｅｍ．２６８：１２０４６〜１２０５４；Ｂａｒｔｅｌら（１９９３）Ｂｉｏｔｅｃｈｎｉｑｕｅｓ  １４：９２０〜９２４；Ｉｗａｂｕｃｈｉら（１９９３）Ｏｎｃｏｇｅｎｅ  ８：１６９３〜１６９６；およびＢｒｅｎｔ  ＷＯ９４／１０３００を参照のこと）において「ベイト（ｂａｉｔ）タンパク質」として使用されて、６９５８３または８５９２４（「６９５８３−結合タンパク質もしくは８５９２４−結合タンパク質」または「６９５８３−ｂｐもしくは８５９２４−ｂｐ」）と結合または相互作用し、そして６９５８３活性もしくは８５９２４活性に関する他のタンパク質を同定し得る。このような６９５８３−ｂｐまたは８５９２４−ｂｐは、例えば、６９５８３媒介性または８５９２４媒介性のシグナル伝達経路の下流エレメントのような、６９５８３タンパク質もしくは８５９２４タンパク質または６９５８３標的もしくは８５９２４標的によるシグナルのアクティベーターまたはインヒビターであり得る。
【０２２７】
ツーハイブリッドシステムは、大半の転写因子のモジュラー性質に基づき、これは別個のＤＮＡ結合ドメインおよび活性化ドメインからなる。手短には、このアッセイは、２つの異なるＤＮＡ構築物を利用する。１つの構築において、６９５８３タンパク質もしくは８５９２４タンパク質をコードする遺伝子は、公知の転写因子（例えば、ＧＡＬ−４）のＤＮＡ結合ドメインをコードする遺伝子に融合される。他の構築において、同定されていないタンパク質（「プレイ（ｐｒｅｙ）」または「サンプル」）をコードするＤＮＡ配列のライブラリー由来のＤＮＡ配列は、公知の転写因子の活性化ドメインをコードする遺伝子に融合される。（あるいは：６９５８３タンパク質もしくは８５９２４タンパク質は、アクチベータードメインに融合され得る）。「ベイト」タンパク質および「プレイ」タンパク質がインビボで相互作用して６９５８２依存性複合体または８５９２４依存性複合体を形成し得る場合、転写因子のＤＮＡ結合ドメインおよび活性化ドメインは、密接に近くにされる。このように近くにすることにより、転写因子に応答性の転写調節部位に作動可能に連結したレポーター遺伝子（例えば、ｌａｃＺ）の転写が可能になる。レポーター遺伝子の発現は検出され得、そして機能的転写因子を含む細胞コロニーは、単離され得、そして６９５８３タンパク質もしくは８５９２４タンパク質と相互作用するタンパク質をコードするクローン化遺伝子を得るために使用され得る。
【０２２８】
別の実施形態において、６９５８３発現または８５９２４発現のモジュレーターが、同定される。例えば、細胞または細胞を含有しない混合物は、候補化合物と接触させられ、そして６９５８３ｍＲＮＡもしくは８５９２４ｍＲＮＡまたは６９５８３タンパク質もしくは８５９２４タンパク質の発現は、候補化合物の非存在下で６９５８３ｍＲＮＡもしくは８５９２４ｍＲＮＡまたは６９５８３タンパク質もしくは８５９２４タンパク質の発現のレベルに相関して上昇した。６９５８３ｍＲＮＡもしくは８５９２４ｍＲＮＡまたは６９５８３タンパク質もしくは８５９２４タンパク質の発現が、候補化合物の非存在下よりもその存在下で大きい場合、候補化合物は、６９５８３ｍＲＮＡもしくは８５９２４ｍＲＮＡまたは６９５８３タンパク質もしくは８５９２４タンパク質の発現の刺激因子として同定される。あるいは、６９５８３ｍＲＮＡもしくは８５９２４ｍＲＮＡまたは６９５８３タンパク質もしくは８５９２４タンパク質の発現が、候補化合物の非存在下よりもその存在下でより少ない（統計学的に有意に少ない）場合、候補化合物は、６９５８３ｍＲＮＡもしくは８５９２４ｍＲＮＡまたは６９５８３タンパク質もしくは８５９２４タンパク質の発現のインヒビターとして同定される。６９５８３ｍＲＮＡもしくは８５９２４ｍＲＮＡまたは６９５８３タンパク質もしくは８５９２４タンパク質の発現のレベルが、６９５８３ｍＲＮＡもしくは８５９２４ｍＲＮＡまたは６９５８３タンパク質もしくは８５９２４タンパク質の検出について本明細書中に記載される方法によって決定され得る。
【０２２９】
別の局面において、本発明は、本明細書中に記載されるアッセイの２つ以上の組み合わせに関する。例えば、調節剤は、細胞ベースのアッセイまたは無細胞アッセイを用いて同定され得、そして６９５８３タンパク質または８５９２４タンパク質の活性を調節する薬剤の能力は、例えば、動物（例えば、アレルギー性気道疾患（ＡＡＤ）または炎症性障害および呼吸障害（例えば、慢性気管支炎、気管支ぜん息、および気管支拡張症）または造血障害（例えば、白血病）についてのマウスモデル）においてインビボで確認され得る。
【０２３０】
本発明は、さらに上記のスクリーニングアッセイによって同定される新規薬剤に関する。従って、このような薬剤での処置の効果、毒性、副作用、または作用機構を決定するための適切な動物モデルにおいて、本明細書中で記載されるように同定された薬剤（例えば、６９５８３調節剤もしくは８５９２４調節剤、アンチセンス６９５８３核酸分子もしくはアンチセンス８５９２４核酸分子、６９５８３特異的抗体もしくは８５９２４特異的抗体、または６９５８３結合パートナーもしくは８５９２４結合パートナー）をさらに使用することは本発明の範囲内である。さらに、上記のスクリーニングアッセイによって同定される新規薬剤は、本明細書中で記載される処置のために使用され得る。
【０２３１】
（検出アッセイ）
本明細書中で同定された核酸配列の一部またはフラグメントは、ポリヌクレオチド試薬として使用され得る。例えば、これらの配列は、以下のために使用され得る：（ｉ）染色体上のその各々の遺伝子をマップするため（例えば、遺伝性疾患に関連する遺伝子領域を位置決めするため、または６９５８３もしくは８５９２４と疾患を関係付けるため）；（ｉｉ）わずかな生物学的サンプルから個体を同定するため（組織型決定）；および（ｉｉｉ）生物学的サンプルの法医学的同定における補助。これらの適用は、以下の小節に記載される。
【０２３２】
（染色体マッピング）
６９５８３ヌクレオチド配列または８５９２４ヌクレオチド配列またはその一部は、６９５８３遺伝子または８５９２４遺伝子の位置を染色体上にマッピングするために使用され得る。このプロセスは、染色体マッピンングといわれる。染色体マッピングは、疾患と関連する遺伝子と６９５８３配列または８５９２４配列との相関において有用である。
【０２３３】
手短には、６９５８３遺伝子または８５９２４遺伝子は、６９５８３ヌクレオチド配列または８５９２４ヌクレオチド配列からＰＣＲプライマー（好ましくは１５〜２５ｂｐ長）を調製することによって染色体にマッピングされ得る。次いで、これらのプライマーは、個々のヒト染色体を含む体細胞ハイブリッドのＰＣＲスクリーニングのために使用され得る。６９５８３配列または８５９２４配列に対応するヒト遺伝子を含むこれらのハイブリッドのみが、増幅したフラグメントを産生する。
【０２３４】
各細胞株が、単一のヒト染色体、または少数のヒト染色体、および完全なセットのマウス染色体のいずれかを含む、体細胞ハイブリッドのパネルは、特定のヒト染色体に対する個々の遺伝子の容易なマッピングを可能にし得る（Ｄ’Ｅｕｓｔａｃｈｉｏら（１９８３）Ｓｃｉｅｎｃｅ  ２２０：９１９−９２４）。
【０２３５】
他のマッピングストラテジー（例えば、インサイチュハイブリダイゼーション（Ｆａｎら（１９９０）Ｐｒｏｃ．Ｎａｔｌ．Ａｃａｄ．Ｓｃｉ．ＵＳＡ，８７：６２２３−２７に記載される）、標識化フローソート染色体でのプレスクリーニング、および染色体特異的ｃＤＮＡライブラリーに対するハイブリダイゼーションによる事前選択）は、染色体の位置に対する６９５８３または８５９２４のマッピングのために使用され得る。
【０２３６】
中期染色体拡散（ｓｐｒｅａｄ）に対するＤＮＡ配列の蛍光インサイチュハイブリダイゼーション（ＦＩＳＨ）は、１工程にて正確な染色体位置を提供するためにさらに使用され得る。このＦＩＳＨ技術は、５００塩基または６００塩基程度の短さのＤＮＡ配列を用いて使用され得る。しかし、１，０００塩基よりも大きいクローンは、特有の染色体位置に結合する傾向が高く、簡単な検出のために十分なシグナル強度を有する。好ましくは、１，０００塩基、より好ましくは２，０００塩基が、適切な時間で良好な結果を得るために十分である。この技術の概説について、Ｖｅｒｍａら（１９８８）、Ｈｕｍａｎ  Ｃｈｒｏｍｏｓｏｍｅｓ：Ａ  Ｍａｎｕａｌ  ｏｆ  Ｂａｓｉｃ  Ｔｅｃｈｎｉｑｕｅｓ、Ｐｅｒｇａｍｏｎ  Ｐｒｅｓｓ，Ｎｅｗ  Ｙｏｒｋを参照のこと。
【０２３７】
染色体マッピングのための試薬は、単一の染色体またはその染色体の単一部位をマークするために個々に使用され得るか、または試薬のパネルが複数の部位および／または複数の染色体をマークするために使用され得る。遺伝子の非コード領域に対応する試薬は、実際にマッピングの目的のために好ましい。コード配列は、遺伝子ファミリー内でより保存されがちであり、従って、染色体マッピング中のクロスハイブリダイゼーションの機会を増加させる。
【０２３８】
一旦、配列が正確な染色体位置にマッピングされると、染色体上の配列の物理学的位置は、遺伝子マップデータと相関し得る（このようなデータは、例えば、Ｊｏｈｎｓ  Ｈｏｐｋｉｎｓ  Ｕｎｉｖｅｒｓｉｔｙ  Ｗｅｌｃｈ  Ｍｅｄｉｃａｌ  Ｌｉｂｒａｒｙを介してオンラインで利用可能なＭｃＫｕｓｉｃｋ，Ｍｅｎｄｅｌｉａｎ  Ｉｎｈｅｒｉｔａｎｃｅ  ｉｎ  Ｍａｎにおいて見出され得る）。次いで、同じ染色体領域にマッピングされた遺伝子と疾患との間の関係は、例えば、Ｅｇｅｌａｎｄら（１９８７）Ｎａｔｕｒｅ，３２５：７８３−７８７に記載される、連鎖分析（物理学的に隣接した遺伝子の共同遺伝（ｃｏ−ｉｎｈｅｒｉｔａｎｃｅ））によって同定され得る。
【０２３９】
さらに、６９５８３遺伝子または８５９２４遺伝子に関する疾患に罹患した個体と罹患していない個体との間のＤＮＡ配列における相違が、決定され得る。変異が、いくつかまたは全ての罹患した患者において見出されるが、罹患していない患者では見出されない場合、この変異は、特定の疾患の原因因子であるようである。罹患した個体と罹患していない個体との比較は、最初に一般に、染色体における構造的改変（例えば、そのＤＮＡ配列に基づくＰＣＲを用いて染色体拡散から観察可能であるか、または検出可能である欠失または転座）を探すことを含む。最終的に、いくらかの個体由来の遺伝子の完全な配列決定は、変異の存在を確認するため、および多型から変異を区別するために実行され得る。
【０２４０】
（組織型決定）
６９５８３配列または８５９２４配列は、例えば、制限フラグメント長多型（ＲＦＬＰ）を用いて生物学的サンプルから個体を同定するために使用され得る。この技術において、個体のゲノムＤＮＡは、１つ以上の制限酵素で消化され、フラグメントは分離され（例えば、サザンブロットにて）、そしてプローブされて同定のためのバンドを産生する。本発明の配列は、ＲＦＬＰのためのさらなるＤＮＡマーカーとして有用である（米国特許第５，２７２，０５７号に記載される）。
【０２４１】
さらに、本発明の配列はまた、個体のゲノムの選択された部分の実際の１塩基ずつのＤＮＡ配列を決定するために使用され得る。従って、本明細書中に記載される６９５８３ヌクレオチド配列または８５９２４ヌクレオチド配列は、その配列の５’末端および３’末端から２つのＰＣＲプライマーを調製するために使用され得る。次いで、これらのプライマーは、個体のＤＮＡを増幅し、次いでその配列を決定するために使用され得る。この様式で調製された個体由来の対応するＤＮＡ配列のパネルは、特有の個体識別子を提供し得る。なぜならば、それぞれの個体は、対立遺伝子の差異に起因してこのようなＤＮＡ配列の特有のセットを有するからである。
【０２４２】
対立遺伝子改変体は、これらの配列のコード領域においてある程度まで生じ、そして非コード領域でかなりの程度生じる。本明細書中に記載される配列の各々は、ある程度まで標準として使用され得、この基準に対して個体由来のＤＮＡが同定の目的のために比較され得る。より多くの数の多型が、非コード領域で生じるために、より少ない配列しか、個体を区別するために必要でない。配列番号１および配列番号４の非コード配列は、それぞれ１００塩基の非コード増幅配列を産生する約１０〜１，０００個のプライマーのパネルを用いて、ポジティブな個体の同定を提供し得る。予測されるコード配列（例えば、配列番号３および配列番号６の配列）が使用される場合、ポジティブな個体の同定のためにより適したプライマーの数は、５００〜２，０００である。
【０２４３】
本明細書中に記載される６９５８３ヌクレオチド配列または８５９２４ヌクレオチド配列に由来する試薬のパネルが、個体について特有の識別データベースを作成するために使用される場合、これらの同様の試薬が、個体由来の組織を同定するために後に使用され得る。特有の同定データベースを用いると、生きていても、死んでいても、個体のポジティブな同定は、非常に小さい組織サンプルからなされ得る。
【０２４４】
（法医学的生物学における部分的６９５８３配列または部分的８５９２４配列の使用）
ＤＮＡベースの同定技術はまた、法医学的生物学において使用され得る。このような同定をするために、ＰＣＲ技術は、組織（例えば、毛髪および皮膚）、または体液（例えば、犯罪現場で見出された血液、唾液、もしくは精液）のような非常に小さい生物学的サンプルから得られたＤＮＡ配列を増幅するために使用され得る。次いで、増幅された配列は、標準と比較され得、これによって生物学的サンプルの起源の同定を可能にする。
【０２４５】
本発明の配列は、ポリヌクレオチド試薬（例えば、ヒトゲノム中の特定の遺伝子座に標的化されるＰＣＲプライマー）を提供するために使用され得、これは、例えば、別の「同定マーカー」（すなわち、特定の個体に特有の別のＤＮＡ配列）を提供することによってＤＮＡベースの法医学的識別子の信頼性を増強し得る。上述のように、実際の塩基配列情報は、制限酵素生成フラグメントによって形成されたパターンに対する正確な代替として、同定のために使用され得る。配列番号１または配列番号４の非コード領域に標的化された配列（例えば、少なくとも２０塩基、好ましくは少なくとも３０塩基の長さを有する配列番号１または配列番号４の非コード領域由来のフラグメント）は、特にこの使用に適切である。
【０２４６】
本明細書中に記載される６９５８３ヌクレオチド配列または８５９２４ヌクレオチド配列は、ポリヌクレオチド試薬（例えば、特定の組織を同定するために例えば、インサイチュハイブリダイゼーション技術で使用され得る標識化プローブまたは標識可能プローブ）を提供するためにさらに使用され得る。これは、法医学者が、未知の起源の組織を示される場合において非常に有用であり得る。このような６９５８３プローブまたは８５９２４プローブのパネルは、種および／または器官型によって組織を同定するために使用され得る。
【０２４７】
類似の様式において、これらの試薬（例えば、６９５８３プライマーもしくは８５９２４プライマーまたは６９５８３プローブもしくは８５９２４プローブ）は、汚染について組織培養をスクリーニングするために使用され得る（すなわち、培養物中の異なる型の細胞の混合物の存在についてのスクリーニング）。
【０２４８】
（予測医学）
本発明はまた、診断アッセイ、予後アッセイおよび治験のモニタリングが、それによって個体を処置するために予後（予測）目的で使用される、予測医学の分野に関する。
【０２４９】
一般に、本発明は、被験体が、病巣に関連する障害についての危険性があるか、または６９５８３もしくは８５９２４をコードする遺伝子のミス発現か否かを決定する方法を提供する。
【０２５０】
このような障害としては、例えば、６９５８３遺伝子または８５９２４遺伝子のミス発現に関する障害；呼吸系または消化系の障害が挙げられる。
【０２５１】
この方法は、以下の１つ以上を包含する：
被験体の組織において、６９５８３遺伝子もしくは８５９２４遺伝子の発現に影響する変異の存在もしくは非存在を検出する工程、または遺伝子の発現を制御する領域における変異（例えば、５’制御領域における変異）の存在もしくは非存在を検出する工程；
被験体の組織において、６９５８３遺伝子または８５９２４遺伝子の構造を改変する変異の存在または非存在を検出する工程；
被験体の組織において、ｍＲＮＡレベルで６９５８３遺伝子または８５９２４遺伝子のミス発現を検出する工程（例えば、非野生型のｍＲＮＡレベルを検出する工程）；
被験体の組織において、タンパク質レベルで遺伝子のミス発現を検出する工程（例えば、非野生型の６９５８３ポリペプチドまたは８５９２４ポリペプチドのレベルを検出する工程）。
【０２５２】
好ましい実施形態において、この方法は、以下の少なくとも１つの存在を確証する工程を包含する：６９５８３遺伝子または８５９２４遺伝子に由来する１つ以上のヌクレオチドの欠失；遺伝子への１つ以上のヌクレオチドの挿入、点変異（例えば、遺伝子の１つ以上のヌクレオチドの置換）、遺伝子の全体の染色体再配列（例えば、転座、逆位、または欠失）。
【０２５３】
例えば、遺伝的病巣を検出するための工程は、以下を包含し得る：（ｉ）配列番号１もしくは配列番号４に由来するセンス配列もしくはアンチセンス配列または天然に存在するその変異体、または６９５８３遺伝子もしくは８５９２４遺伝子と天然に会合する５’もしくは３’の隣接配列にハイブリダイズするヌクレオチド配列の領域を含むオリゴヌクレオチドを含むプローブ／プライマー、を提供する工程；（ｉｉ）プローブ／プライマーを、組織の核酸に曝露する工程；ならびに核酸に対するプローブ／プライマーのハイブリダイゼーション（例えば、インサイチュハイブリダイゼーション）によって、遺伝的病巣の存在または非存在を検出する工程。
【０２５４】
好ましい実施形態において、ミス発現を検出する工程は、以下の少なくとも１つの存在を確認する工程を包含する：６９５８３遺伝子または８５９２４遺伝子のメッセンジャーＲＮＡ転写のレベルにおける改変；遺伝子のメッセンジャーＲＮＡ転写の非野生型スプライシングパターンの存在；または非野生型の６９５８３または８５９２４レベル。
【０２５５】
本発明の方法は、出生前か、または被験体の子孫が障害の危険性を有するか否かを決定するために使用され得る。
【０２５６】
好ましい実施形態において、本方法は、６９５８３遺伝子または８５９２４遺伝子の構造、障害の危険性について指標である異常な構造を決定する工程を包含する。
【０２５７】
好ましい実施形態において、本方法は、被験体由来のサンプルを、６９５８３タンパク質または８５９２４タンパク質に対する抗体またはその遺伝子と特異的にハイブリダイズする核酸と接触させる工程を包含する。これらおよび他の実施形態は以下に考察される。
【０２５８】
（診断および予後アッセイ）
生物学的サンプル中の６９５８３タンパク質もしくは８５９２４タンパク質または６９５８３核酸もしくは８５９２４核酸の存在、レベル、または非存在は、試験被験体から生物学的サンプルを得ることおよび生物学的サンプル中で６９５８３タンパク質もしくは８５９２４タンパク質または６９５８３核酸もしくは８５９２４核酸の存在が検出されるように、その生物学的サンプルを６９５８３タンパク質もしくは８５９２４タンパク質またはこの６９５８３タンパク質もしくは８５９２４タンパク質をコードする核酸（例えば、ｍＲＮＡ、ゲノムＤＮＡ）を検出し得る化合物または薬剤と接触させることによって評価され得る。用語「生物学的サンプル」は、被験体から単離された組織、細胞および生物学的流体、ならびに被験体中に存在する組織、細胞、および流体を含む。好ましい生物学的サンプルは、血清である。６９５８３遺伝子または８５９２４遺伝子の発現のレベルは、多くの方法で測定され得、この方法として以下が挙げられるがこれらに限定されない：６９５８３遺伝子または８５９２４遺伝子にコードされるｍＲＮＡを測定する方法；６９５８３遺伝子または８５９２４遺伝子にコードされるタンパク質の量を測定する方法；または６９５８３遺伝子または８５９２４遺伝子にコードされるタンパク質の活性を測定する方法。
【０２５９】
６９５８３遺伝子または８５９２４遺伝子に対応する細胞内のｍＲＮＡのレベルは、インサイチュ形式およびインビトロ形式の両方によって決定され得る。
【０２６０】
単離されたｍＲＮＡは、ハイブリダイゼーションアッセイあるいは増幅アッセイ（サザン解析またはノザン解析、ポリメラーゼ連鎖反応解析およびプローブアレイを含むがこれらに限定されない）において使用され得る。ｍＲＮＡレベルの検出のための一つの好ましい診断方法は、単離されたｍＲＮＡを、検出される遺伝子によってコードされるｍＲＮＡにハイブリダイズし得る核酸分子（プローブ）と接触させる工程を包含する。核酸プローブは、例えば、全長の６９５８３核酸または８５９２４核酸（例えば、配列番号１または配列番号４の核酸）、またはその部分（例えば、少なくとも７、１５、３０、５０、１００、２５０、または５００ヌクレオチドの長さであり、そしてストリンジェントな条件下で６９５８３ｍＲＮＡもしくは８５９２４ｍＲＮＡまたは６９５８３ゲノムＤＮＡもしくは８５９２４ゲノムＤＮＡに特異的にハイブリダイズするために十分なオリゴヌクレオチド）であり得る。診断アッセイにおける用途のための他の適切なプローブが、本明細書中に記載される。
【０２６１】
一つの形式において、ｍＲＮＡ（またはｃＤＮＡ）は、例えば、単離されたｍＲＮＡをアガロースゲルで電気泳動し、ゲルからニトロセルロースのような膜にｍＲＮＡを移すことによって表面に固定され、そしてプローブに接触させられる。別の形式において、例えば、下に記載の２次元遺伝子チップアレイにおいて、このプローブは、表面に固定され、そしてｍＲＮＡ（またはｃＤＮＡ）が、プローブに接触させられる。当業者は、６９５８３遺伝子または８５９２４遺伝子にコードされるｍＲＮＡのレベルを検出する用途のために、公知のｍＲＮＡ検出方法を採用し得る。
【０２６２】
６９５８３または８５９２４の１つにコードされるｍＲＮＡのサンプル中のレベルは、例えば、ｒｔＰＣＲ（Ｍｕｌｌｉｓ（１９８７）米国特許第４，６８３，２０２号）、リガーゼ連鎖反応（Ｂａｒａｎｙ（１９９１）Ｐｒｏｃ．Ｎａｔｌ．Ａｃａｄ．Ｓｃｉ．ＵＳＡ  ８８：１８９〜１９３）、自己持続性（ｓｅｌｆ  ｓｕｓｔａｉｎｅｄ）配列複製（Ｇｕａｔｅｌｌｉら、（１９９０）Ｐｒｏｃ．Ｎａｔｌ．Ａｃａｄ．Ｓｃｉ．ＵＳＡ  ８７：１８７４〜１８７８）、転写性増幅システム（Ｋｗｏｈら、（１９８９）、Ｐｒｏｃ．Ｎａｔｌ．Ａｃａｄ．Ｓｃｉ．ＵＳＡ  ８６：１１７３〜１１７７）、Ｑ−Ｂｅｔａ  Ｒｅｐｌｉｃａｓｅ（Ｌｉｚａｒｄｉら、（１９８８）Ｂｉｏ／Ｔｅｃｈｎｏｌｏｇｙ  ６：１１９７）、ローリングサークル複製（Ｌｉｚａｒｄｉら、米国特許第５，８５４，０３３号）または任意の他の核酸増幅方法による核酸増幅（当該分野で公知の技術を使用する増幅化分子の検出が続く）で評価され得る。本明細書中で使用される場合、増幅プライマーは、遺伝子の５’または３’領域（それぞれプラス鎖およびマイナス鎖、またはその逆も同様）にアニールし得、そして間に短い領域を有する核酸分子の対として規定される。一般に、増幅プライマーは、約１０〜３０ヌクレオチド長であり、約５０〜２００ヌクレオチド長の領域に隣接する。このようなプライマーは、適切な条件下そして適切な試薬を用いて、プライマーに隣接されるヌクレオチド配列を含む核酸分子の増幅を可能にする。
【０２６３】
インサイチュ方法に関して、細胞サンプルまたは組織サンプルは、調製／処理され、そして支持体（代表的にはガラススライド）に固定され、そして次いで、解析される６９５８３遺伝子または８５９２４遺伝子をコードするｍＲＮＡにハイブリダイズし得るプローブと接触させられ得る。
【０２６４】
別の実施形態において、この方法は、コントロールサンプルを、６９５８３ｍＲＮＡもしくは８５９２４ｍＲＮＡまたは６９５８３ゲノムＤＮＡもしくは８５９２４ゲノムＤＮＡを検出し得る化合物または薬剤と接触させ、そしてコントロールサンプル中の６９５８３ｍＲＮＡもしくは８５９２４ｍＲＮＡまたは６９５８３ゲノムＤＮＡもしくは８５９２４ゲノムＤＮＡの存在を試験サンプル中の６９５８３ｍＲＮＡもしくは８５９２４ｍＲＮＡまたは６９５８３ゲノムＤＮＡもしくは８５９２４ゲノムＤＮＡの存在と比較する工程をさらに含む。
【０２６５】
６９５８３または８５９２４にコードされるタンパク質のレベルを決定するために、種々の方法が使用され得る。一般に、これらの方法は、サンプル中のタンパク質レベルを評価するために、このタンパク質に選択的に結合する薬剤（例えば、抗体）をサンプルと接触させる工程を含む。好ましい実施形態において、この抗体は、検出可能な標識を有する。抗体は、ポリクローナル、またはより好ましくは、モノクローナルであり得る。インタクトな抗体、またはそのフラグメント（例えば、ＦａｂまたはＦ（ａｂ’）２）が使用され得る。プローブまたは抗体に関して、用語「標識された」は、検出可能な物質をプローブまたは抗体にカップリングする（すなわち、物理的に連結する）ことによるプローブまたは抗体の直接標識、および検出可能な物質との反応性によるプローブまたは抗体の間接標識を含むことが意図される。検出可能な物質の例は、本明細書中に提供される。
【０２６６】
これらの検出方法は、インビトロおよびインビボで生物学的サンプル中の６９５８３タンパク質または８５９２４タンパク質を検出するために使用され得る。６９５８３タンパク質または８５９２４タンパク質の検出のためのインビトロ技術としては、酵素結合免疫吸着アッセイ（ＥＬＩＳＡ）、免疫沈降、免疫蛍光、酵素免疫アッセイ（ＥＩＡ）、放射性免疫アッセイ（ＲＩＡ）、およびウエスタンブロット解析が挙げられる。６９５８３タンパク質または８５９２４タンパク質の検出のためのインビボ技術としては、被験体中に標識化抗６９５８３抗体または標識化抗８５９２４抗体を導入する技術が挙げられる。例えば、この抗体は、被験体中の存在および位置が標準的な画像化技術によって検出され得る放射活性マーカーで標識され得る。
【０２６７】
別の実施形態において、これらの方法は、コントロールサンプルを６９５８３タンパク質または８５９２４タンパク質を検出し得る化合物あるいは薬剤と接触させ、そしてコントロールサンプル中の６９５８３タンパク質または８５９２４タンパク質の存在を、試験サンプル中の６９５８３タンパク質または８５９２４タンパク質の存在と比較する工程をさらに包含する。
【０２６８】
本発明はまた、生物学的サンプルにおける６９５８３または８５９２４の存在を検出するためのキットを含む。例えば、このキットは、生物学的サンプル中の６９５８３タンパク質もしくは８５９２４タンパク質または６９５８３ｍＲＮＡもしくは８５９２４ｍＲＮＡを検出し得る化合物または薬剤；および標準物質を備え得る。この化合物または薬剤は、適切な容器に充填され得る。このキットは、６９５８３タンパク質もしくは８５９２４タンパク質または６９５８３核酸もしくは８５９２４核酸を検出するためにキットを使用するための指示書をさらに備え得る。
【０２６９】
抗体ベースのキットに関して、このキットは、以下を備え得る：（１）本発明のマーカーに相当するポリペプチドに結合する（例えば、固体支持体に接着された）１次抗体、および、必要に応じて（２）ポリペプチドまたは１次抗体のいずれかに結合し、検出可能な薬剤に結合体化される異なる２次抗体。
【０２７０】
オリゴヌクレオチドベースのキットに関して、このキットは、以下を備え得る：（１）本発明のマーカーに対応するポリペプチドをコードする核酸配列にハイブリダイズするオリゴヌクレオチド（例えば、検出可能に標識されたオリゴヌクレオチド）、または（２）本発明のマーカーに対応する核酸分子を増幅するために有用なプライマー対。このキットはまた、緩衝剤、防腐剤、またはタンパク質安定化剤を備え得る。このキットはまた、検出可能な薬剤（例えば、酵素または基質）を検出するために必要な構成要素を備え得る。このキットはまた、アッセイされ得、そして備えられた試験サンプルと比較され得る、コントロールサンプルまたは一連のコントロールサンプルを備え得る。このキットの各構成要素は、個々の容器内に封入され得、そして種々の容器は全て、このキットを使用して実施されるアッセイの結果を説明するための指示書とともに、単一の包装内であり得る。
【０２７１】
本明細書中に記載される診断方法は、誤って発現された（ｍｉｓｅｘｐｒｅｓｓｅｄ）か、または異常であるか、もしくは望まれない６９５８３発現もしくは８５９２４発現または６９５８３活性もしくは８５９２４活性に関連する、疾患または障害を有するか、あるいはこれらの疾患または障害を発症する危険性のある被験体を同定し得る。本明細書中で使用される場合、用語「望まれない」は、生物学的応答（例えば、疼痛）または制御されていない（ｄｅｒｅｇｕｌａｔｅｄ）細胞増殖に関与する望まれない現象を含む。
【０２７２】
一つの実施形態において、異常であるか、または望まれない６９５８３発現もしくは８５９２４発現または６９５８３活性もしくは８５９２４活性に関連する疾患または障害が同定される。試験サンプルが、被験体から得られ、そして６９５８３タンパク質もしくは８５９２４タンパク質または６９５８３核酸もしくは８５９２４核酸（例えば、ｍＲＮＡまたはゲノムＤＮＡ）が評価される。ここで、６９５８３タンパク質もしくは８５９２４タンパク質または６９５８３核酸もしくは８５９２４核酸のレベル（例えば、存在または非存在）は、異常であるか、または望まれない６９５８３発現もしくは８５９２４発現または６９５８３活性もしくは８５９２４活性に関連する疾患あるいは障害を有するか、あるいはこれらの疾患または障害を発生する危険性が高い被験体について診断的である。本明細書中で使用される場合、用語「試験サンプル」は、目的の被験体から得られる生物学的サンプル（生物学的流体（例えば、血清）、細胞サンプル、または組織を含む）をいう。
【０２７３】
本明細書中に記載される予後アッセイは、被験体が、異常であるか、または望まれない６９５８３発現もしくは８５９２４発現または６９５８３活性もしくは８５９２４活性に関連する疾患あるいは障害を処置するための薬剤（例えば、アゴニスト、アンタゴニスト、ペプチド模倣物、タンパク質、ペプチド、核酸、低分子、または他の薬剤候補）を投与し得るか否か決定するために使用され得る。例えば、このような方法は、被験体が呼吸性障害（例えば、慢性気管支炎、気管支ぜん息および気管支拡張症）または造血性障害（例えば、白血病、増殖障害および／または分化障害（例えば、肉腫様癌））のための薬剤で効果的に処置され得るか否か決定するために使用され得る。
【０２７４】
本発明の方法はまた、６９５８３遺伝子または８５９２４遺伝子における遺伝性変化を検出するために使用され得、それによって、変更された遺伝子を有する被験体が、６９５８３タンパク質活性もしくは８５９２４タンパク質活性または６９５８３核酸発現もしくは８５９２４核酸発現における誤調節によって特徴付けられる障害（例えば、呼吸性障害、肺障害、増殖障害および／または分化障害、卵巣障害、炎症性障害、腎臓障害、膵臓障害、結腸障害、胸部障害、骨格筋障害、脳障害、視床下部障害、下垂体障害、前立腺障害または心臓血管障害）についての危険性があるか否かを決定する。好ましい実施形態において、この方法は、被験体由来のサンプルにおいて、６９５８３タンパク質もしくは８５９２４タンパク質をコードする遺伝子の強度に影響を及ぼす少なくとも１つの変化、または６９５８３遺伝子もしくは８５９２４遺伝子の誤発現によって特徴付けられる、遺伝的変化の存在または非存在を検出する工程を包含する。例えば、このような遺伝的変化は、以下のうちの少なくとも１つの存在を確認することによって検出され得る：１）６９５８３遺伝子または８５９２４遺伝子由来の１つ以上のヌクレオチドの欠失；２）６９５８３遺伝子または８５９２４遺伝子への１つ以上のヌクレオチドの付加；３）６９５８３遺伝子または８５９２４遺伝子の１つ以上のヌクレオチドの置換；４）６９５８３遺伝子または８５９２４遺伝子の染色体再配置；５）６９５８３遺伝子または８５９２４遺伝子のメッセンジャーＲＮＡ転写のレベルにおける変化；６）ゲノムＤＮＡのメチル化パターンのような、６９５８３遺伝子または８５９２４遺伝子の異常な改変；７）６９５８３遺伝子または８５９２４遺伝子のメッセンジャーＲＮＡ転写の非野生型スプライシングパターンの存在；８）６９５８３タンパク質または８５９２４タンパク質の非野生型レベル；９）６９５８３遺伝子または８５９２４遺伝子の対立遺伝子欠失；および１０）６９５８３タンパク質または８５９２４タンパク質の不適切な翻訳後修飾。
【０２７５】
変化（ａｌｔｅｒａｔｉｏｎ）は、ポリメラーゼ連鎖反応（例えば、アンカーＰＣＲまたはＲＡＣＥ  ＰＣＲ）、または連結鎖反応（ＬＣＲ）において、プローブ／プライマーなしに検出され得、これらの後者は、６９５８３遺伝子または８５９２４遺伝子における点変異を検出するのに特に有用であり得る。この方法は、以下の工程を包含し得る：被験体から細胞のサンプルを回収する工程；サンプルから核酸（例えば、ゲノム、ｍＲＮＡもしくはその両方）を単離する工程；６９５８３遺伝子もしくは８５９２４遺伝子のハイブリダイゼーションおよび増幅（存在する場合）が生じるような条件下で、核酸サンプルを、６９５８３遺伝子もしくは８５９２４遺伝子に特異的にハイブリダイズする１つ以上のプライマーと接触させる工程；および増幅産物の存在または非存在を検出する工程；または増幅産物のサイズを検出する工程およびコントロールサンプルと長さを比較する工程。ＰＣＲおよび／またはＬＣＲが本明細書中に記載される変異を検出するために使用される任意の技術と組み合わせて、予備増幅工程として使用することが所望され得ることが予測される。あるいは、本明細書中に記載され得るかまたは当該分野で公知の他の増幅法が、使用され得る。
【０２７６】
別の実施形態において、サンプル細胞由来の６９５８３遺伝子または８５９２４遺伝子中の変異が、制限酵素の切断パターンにおける変化を検出することによって同定され得る。例えば、サンプルおよびコントロールＤＮＡが単離され、（必要に応じて）増幅され、１つ以上の制限エンドヌクレアーゼで消化され、フラグメント長サイズが、例えば、ゲル電気泳動によって決定され、そして比較される。サンプルとコントロールＤＮＡとの間のフラグメント長サイズの差異が、サンプルＤＮＡ中の変異を示す。さらに、配列特異的リボザイムの使用（例えば、米国特許第５，４９８，５３１号を参照のこと）は、リボザイム切断部位の発生または欠失による、特異的変異の存在についてのスコア付けのために使用され得る。
【０２７７】
他の実施形態において、６９５８３または８５９２４中の遺伝的変異がサンプルおよびコントロール核酸（例えば、ＤＮＡまたはＲＮＡ、二次元アレイ（例えば、チップベースアレイ（ｃｈｉｐ  ｂａｓｅｄ  ａｒｒａｙ）））のハイブリダイゼーションによって同定され得る。このようなアレイは、複数のアドレスを含み、これらの各々は、互いに位置的に区別可能である。異なるプローブは、複数のアドレスの各々に配置される。このアレイは、高密度のアドレスを有し得る（例えば、数百または数千のオリゴヌクレオチドプローブを含み得る）（Ｃｒｏｎｉｎ，ら（１９９６）Ｈｕｍａｎ  Ｍｕｔａｔｉｏｎ  ７：２４４−２５５；Ｋｏｚａｌ，ら（１９９６）Ｎａｔｕｒｅ  Ｍｅｄｉｃｉｎｅ  ２：７５３−７５９）。例えば，６９５８３または８５９２４における遺伝的変異は、Ｃｒｏｎｉｎ，Ｍ．Ｔ．ら（前出）に記載されるような光生成ＤＮＡプローブを含む２次元アレイ中で同定され得る。簡単にいうと、プローブの第１ハイブリダイゼーションアレイは、連続的な重複プローブの線形アレイを作成することによって配列間の塩基変化を同定するために、サンプルおよびコントロール中のＤＮＡの長いストレッチを介して走査するために使用され得る。この工程は、点変異の同定を可能にする。この工程の後、検出される全ての改変体または変異体に相補的な、より小さく、特定化されたプローブアレイを使用することによって、特定の変異の特徴付けを可能にする第２ハイブリダイゼーションアレイが続く。各変異アレイは、平行プローブセットからなり、一方は、野生型遺伝子に相補的であり、そして他方は、変異遺伝子に相補的である。
【０２７８】
なお別の実施形態において、当該分野で公知である任意の種々の配列決定反応は、サンプルの６９５８３配列または８５９２４の配列と、対応する野生型（コントロール）配列との比較によって、６９５８３遺伝子または８５９２４遺伝子の直接的な配列決定および変異の検出に使用され得る。自動化配列決定手段は、診断アッセイ（Ｎａｅｖｅら、（１９９５）Ｂｉｏｔｅｃｈｎｉｑｕｅｓ  １９：４４８〜５３）を実施する場合に利用され得、質量分析による配列決定を含む。
【０２７９】
６９５８３遺伝子または８５９２４遺伝子における変異を検出するための他の方法としては、ＲＮＡ／ＲＮＡヘテロ二重鎖またはＲＮＡ／ＤＮＡヘテロ二重鎖中のミスマッチ塩基を検出するために切断剤からの保護が用いられる方法が挙げられる（Ｍｙｅｒｓら（１９８５）Ｓｃｉｅｎｃｅ  ２３０：１２４２；Ｃｏｔｔｏｎら（１９８８）Ｐｒｏｃ．Ｎａｔｌ  Ａｃａｄ  Ｓｃｉ  ＵＳＡ  ８５：４３９７；Ｓａｌｅｅｂａら（１９９２）Ｍｅｔｈｏｄｓ  Ｅｎｚｙｍｏｌ．２１７：２８６−２９５）。
【０２８０】
なお別の実施形態において、このミスマッチ切断反応は、細胞のサンプルから得た６９５８３ｃＤＮＡまたは８５９２４ｃＤＮＡ中の点変異を検出およびマッピングするために規定された系において二重鎖ＤＮＡ中のミスマッチ塩基対を認識する１つ以上のタンパク質（「ＤＮＡミスマッチ修復」酵素とよばれる）を使用する。例えば、Ｅ．ｃｏｌｉのｍｕｔＹ酵素は、Ｇ／ＡミスマッチにおいてＡを切断し、そしてＨｅＬａ細胞由来のチミジンＤＮＡグリコシラーゼは、Ｇ／ＴミスマッチにおいてＴを切断する（Ｈｓｕら（１９９４）Ｃａｒｃｉｎｏｇｅｎｅｓｉｓ  １５：１６５７−１６６２；米国特許第５，４５９，０３９号）。
【０２８１】
他の実施形態において、電気泳動度における変化は、６９５８３遺伝子または８５９２４遺伝子中の変異を同定するために使用される。例えば、単鎖コンフォメーション多型（ＳＳＣＰ）は、変異体核酸と野生型核酸との間の電気泳動度の差異を検出するために使用され得る（Ｏｒｉｔａら（１９８９）Ｐｒｏｃ  Ｎａｔｌ．Ａｃａｄ．Ｓｃｉ  ＵＳＡ：８６：２７６６，Ｃｏｔｔｏｎ（１９９３）Ｍｕｔａｔ．Ｒｅｓ．２８５：１２５−１４４もまた参照のこと；およびＨａｙａｓｈｉ（１９９２）Ｇｅｎｅｔ．Ａｎａｌ．Ｔｅｃｈ．Ａｐｐｌ．９：７３−７９）。サンプルおよびコントロールの６９５８３核酸または８５９２４核酸の一本鎖ＤＮＡフラグメントは、変性されそして再変性され得る。単鎖核酸の２次構造は、配列に従って変化し、電気泳動度において生じる変化は、単一の塩基変化の検出さえも可能にする。ＤＮＡフラグメントは、標識化プローブを用いて標識または検出され得る。このアッセイの感受性は、（ＤＮＡよりもむしろ）ＲＮＡを使用することによって増強され得、２次構造は、配列における変化に対してより感受性である。好ましい実施形態において、本発明の方法は、電気泳動度における変化に基づいて二重鎖のヘテロ二重鎖分子を分離するためにへテロ二重鎖分析を利用する（Ｋｅｅｎら（１９９１）Ｔｒｅｎｄｓ  Ｇｅｎｅｔ  ７：５）。
【０２８２】
なお別の実施形態において、変性の勾配を含むポリアクリルアミドゲルにおける野生型フラグメントの移動は、変性勾配ゲル電気泳動（ＤＧＧＥ）を使用してアッセイされる（Ｍｙｅｒｓら（１９８５）Ｎａｔｕｒｅ  ３１３：４９５）。分析法としてＤＧＧＥが使用される場合、ＤＮＡは、例えば、ＰＣＲによって約４０ｂｐの高融解性のＧＣリッチＤＮＡのＧＣクランプを加えることによって完全に変性しないことを保証するために改変される。さらなる実施形態において、温度勾配は、コントロールおよびサンプルのＤＮＡの移動度における差異を同定するために変性勾配の場所において使用される（ＲｏｓｅｎｂａｕｍおよびＲｅｉｓｓｎｅｒ（１９８７）Ｂｉｏｐｈｙｓ  Ｃｈｅｍ  ２６５：１２７５３）。
【０２８３】
点変異を検出するための他の技術の例としては、選択的オリゴヌクレオチドハイブリダイゼーション、選択的増幅、または選択的プライマー伸長が挙げられるが、これらに限定されない（Ｓａｉｋｉら（１９８６）Ｎａｔｕｒｅ  ３２４：１６３）；Ｓａｉｋｉら（１９８９）Ｐｒｏｃ．Ｎａｔｌ  Ａｃａｄ．Ｓｃｉ  ＵＳＡ  ８６：６２３０）。
【０２８４】
あるいは、選択的ＰＣＲ増幅に依存する対立遺伝子増幅技術は、本発明と組み合わせて使用され得る。特異的増幅のためのプライマーとして使用されるオリゴヌクレオチドは、分子の中心（そのために、増幅は差次的ハイブリダイゼーションに依存する）（Ｇｉｂｂｓら（１９８９）Ｎｕｃｌｅｉｃ  Ａｃｉｄｓ  Ｒｅｓ．１７：２４３７−２４４８）またはプライマーの最後の３’末端において目的の変異を保有し得、ここで、適切な条件下において、ミスマッチは、ポリメラーゼ伸長を防止し得るかまたは減少させ得る（Ｐｒｏｓｓｎｅｒ（１９９３）Ｔｉｂｔｅｃｈ  １１：２３８）。さらに、切断ベースの検出を作成するために変異の領域に新規の制限部位を導入することが所望され得る（Ｇａｓｐａｒｉｎｉら（１９９２）Ｍｏｌ．Ｃｅｌｌ  Ｐｒｏｂｅｓ  ６：１）。特定の実施形態において、増幅がまた、増幅のためのＴａｑリガーゼを使用して実施され得ることが予測される（Ｂａｒａｎｙ（１９９１）Ｐｒｏｃ．Ｎａｔｌ．Ａｃａｄ．Ｓｃｉ  ＵＳＡ  ８８：１８９）。このような場合において、連結は、５’配列の３’末端において完璧なマッチが存在する場合にのみ、生じ、この結合は、増幅の存在または非存在を探索することによって特異的部位における既知の変異の存在を検出することを可能にさせる。
【０２８５】
本明細書中で記載される方法は、例えば、本明細書中に記載される少なくとも１つのプローブ核酸または抗体試薬を含む、予めパッケージングされた診断キットを利用することによって実行され得、これは、例えば、６９５８３遺伝子または８５９２４遺伝子を含む疾患または疾病の症状または家族の病歴を示す患者を診断するための臨床設定において、便利に使用され得る。
【０２８６】
（代理マーカーとしての６９５８３分子または８５９２４分子の使用）
本発明の６９５８３分子または８５９２４分子はまた、障害もしくは疾患状態のマーカーとして、疾患状態の前駆体についてのマーカーとして、疾患状態の素因のためのマーカーとして、薬物活性のマーカーとして、または被験体の薬理ゲノム学的プロフィールのマーカーとして有用である。本明細書中に記載される方法を使用して、本発明の６９５８３分子または８５９２４分子の存在、非存在および／または量が検出され得、そしてインビボでの１つ以上の生物学的状態と相関され得る。例えば、本発明の６９５８３分子または８５９２４分子は、１つ以上の障害または疾患状態についての代理マーカーまたは疾患状態に至る状態についての代理マーカーとして作用し得る。本明細書中で使用される場合、「代理マーカー」は、疾患もしくは障害の非存在もしくは存在、または疾患もしくは障害の進行（例えば、腫瘍の存在または非存在）と相関する目的の生物学的マーカーである。このようなマーカーの存在または量は、疾患に依存しない。従って、これらのマーカーは、特定の処置経過が、疾患状態または障害の減少において有効であるか否かを示すために作用し得る。代理マーカーは、疾患状態もしくは障害の存在もしくは程度が、標準的な方法論により評価することが困難な場合（例えば、初期段階腫瘍）、または疾患進行の評価が、潜在的に危険な臨床的終点が達成される前に所望される場合に特に有用である（例えば、心臓血管疾患の評価が、代理マーカーとしてコレステロールレベルを使用してなされ得、そしてＨＩＶ感染の分析が、代理マーカーとしてＨＩＶ  ＲＮＡレベルを使用してなされ得、心筋梗塞または十分に進行したＡＩＤＳの望ましくない臨床的結果の進行においても同様に）。当該分野における代理マーカーの使用の例としては、以下が挙げられる：Ｋｏｏｍｅｎら（２０００）Ｊ．Ｍａｓｓ．Ｓｐｅｃｔｒｏｍ．  ３５：２５８−２６４；およびＪａｍｅｓ（１９９４）ＡＩＤＳ  Ｔｒｅａｔｍｅｎｔ  Ｎｅｗｓ  Ａｒｃｈｉｖｅ  ２０９。
【０２８７】
本発明の６９５８３分子または８５９２４分子はまた、薬力学的マーカーとして有用である。本明細書中で使用される場合、「薬力学的マーカー」は、薬物の効果に特異的に関連する客観的な生化学的マーカーである。薬力学的マーカーの存在または量は、薬物が投与される疾患の状態または障害には関連せず、それ故、このマーカーの存在または量は、被験体における薬物の存在または活性を示す。例えば、薬力学的マーカーは、そのマーカーが、薬物のレベルに対する関係において、この組織の中で、発現するかもしくは転写されるか、または発現も転写もされないかのいずれかであるという点において、生物学的組織における薬物の濃度を示し得る。この様態において、薬物の分布または摂取は、薬力学的マーカーによってモニターされ得る。同様に、薬力学的マーカーの存在または量は、薬物の代謝産物の存在または量に関連し得、その結果、マーカーの存在または量は、インビボでの薬物の相対的分解速度の指標である。薬力学的マーカーは、薬物効果の検出の感度の増加において、特に薬物が低用量で投与される場合に、特に有用である。少量の薬物でさえ、マーカー（例えば６９５８３マーカーまたは８５９２４マーカー）の転写または発現を、複数回活性化するために十分であり得るので、増幅されたマーカーは、薬物そのものよりも容易に検出される量で存在し得る。また、マーカーは、マーカーそのものの性質に起因してより容易に検出され得；例えば、本明細書中に記載される方法を使用して、抗６９５８３抗体または抗８５９２４抗体は、６９５８３タンパク質マーカーもしくは８５９２４タンパク質マーカーのための免疫ベースの検出系に使用され得るか、または６９５８３特異的放射標識プローブもしくは８５９２４特異的放射標識プローブは、６９５８３ｍＲＮＡマーカーもしくは８５９２４ｍＲＮＡマーカーを検出するために使用され得る。さらに、薬力学的マーカーの使用は、直接観測が可能な範囲を超える薬物処置に起因する危険性の機構ベースの予測を提供し得る。当該分野における薬力学的マーカーの使用の例としては、Ｍａｔｓｕｄａら、米国特許第６，０３３，８６２号；Ｈａｔｔｉｓら、（１９９１）Ｅｎｖ．Ｈｅａｌｔｈ  Ｐｅｒｓｐｅｃｔ．９０：２２９−２３８；Ｓｃｈｅｎｔａｇ（１９９９）Ａｍ．Ｊ．Ｈｅａｌｔｈ−Ｓｙｓｔ．Ｐｈａｒｍ．５６  補遺３：Ｓ２１−Ｓ２４；およびＮｉｃｏｌａｕ（１９９９）Ａｍ，Ｊ．Ｈｅａｌｔｈ−Ｓｙｓｔ．Ｐｈａｒｍ．５６  補遺３：Ｓ１６−Ｓ２０が挙げられる。
【０２８８】
本発明の６９５８３分子または８５９２４分子はまた、薬理ゲノム（ｐｈａｒｍａｃｏｇｅｎｏｍｉｃ）マーカーとして有用である。本明細書中で使用される場合、「薬理ゲノムマーカー」は、被験体における特定の臨床的薬物応答または薬物感受性と関連する客観的な生化学的マーカーである（例えば、ＭｃＬｅｏｄら、（１９９９）Ｅｕｒ．Ｊ．Ｃａｎｃｅｒ  ３５：１６５０−１６５２を参照のこと）。薬理ゲノムマーカーの存在または量は、薬物の投与前に、特定の薬物または薬物のクラスに対して予測される被験体の応答に関連する。被験体における１つ以上の薬理ゲノムマーカーの存在または量を評価することによって、被験体に対して最も適切であり、またはより大きな成功の程度を有すると予測される薬物療法が、選択され得る。例えば、被験体における特定の腫瘍マーカーに対する、ＲＮＡまたはタンパク質（例えば、６９５８３タンパク質もしくは８５９２４タンパク質または６９５８３ＲＮＡもしくは８５９２４ＲＮＡ）の存在または量に基づいて、被験体中に存在する可能性のある特定の腫瘍の処置に対して最適化された、薬物または処置の過程が選択され得る。同様に、６９５８３ＤＮＡまたは８５９２４ＤＮＡにおける特定の配列の変異の存在または非存在は、６９５８３または８５９２４の薬物応答に関連し得る。従って、薬理ゲノムマーカーの使用によって、治療を施与する必要なしに、各被験体に対して最も適切な治療の適用が可能になる。
【０２８９】
（薬学的組成物）
本発明の核酸およびポリペプチド、これらのフラグメント、ならびに抗６９５８３抗体または抗８５９２４抗体（本明細書中では、「活性化合物」ともいわれる）は、薬学的組成物に組込まれ得る。このような組成物は、代表的には、核酸分子、タンパク質、または抗体および薬学的に受容可能なキャリアを包含する。本明細書中で使用される場合、用語「薬学的に受容可能なキャリア」は、薬学的投与と適合する、溶媒、分散媒、コーティング、抗菌剤および抗真菌剤、等張剤および吸収遅延剤などを含む。補充活性化合物はまた、組成物に組込まれ得る。
【０２９０】
薬学的組成物は、その意図される投与の経路に適合するように処方される。投与経路の例としては、非経口投与（例えば、静脈投与）、皮内投与、皮下投与、経口（例えば、吸入）投与、経皮（局所的）投与、経粘膜投与、および直腸投与が挙げられる。非経口適用、皮内適用、または皮下適用に使用される溶液または懸濁物は、以下の成分を含み得る：滅菌希釈液（例えば、注射用の水、生理食塩水、不揮発性油、ポリエチレングリコール、グリセリン、プロピレングリコールまたは他の合成溶媒）；抗菌剤（例えば、ベンジルアルコールまたはメチルパラベン）；抗酸化剤（例えば、アスコルビン酸または亜硫酸水素ナトリウム）；キレート剤（例えば、エチレンジアミン四酢酸）；緩衝剤（例えば、酢酸塩、クエン酸塩またはリン酸塩）および張度の調整のための薬剤（例えば、塩化ナトリウムまたはデキストロース）。ｐＨは、酸または塩基（例えば、塩酸または水酸化ナトリウム）で調整され得る。非経口調製物は、アンプル、使い捨てシリンジまたはガラスもしくはプラスチック製の複数用量バイアル中に封入され得る。
【０２９１】
注射用途に適する薬学的組成物は、滅菌水溶液（水溶性の場合）または滅菌分散物および滅菌注射可能な溶液または分散物の即席調製のための滅菌粉末を含む。静脈内投与について、適切なキャリアは、生理学的食塩水、静菌性水、Ｃｒｅｍｏｐｈｏｒ  ＥＬＴＭ（ＢＡＳＦ，Ｐａｒｓｉｐｐａｎｙ，ＮＪ）またはリン酸緩衝化生理食塩水（ＰＢＳ）を含む。全ての場合において、組成物は、滅菌状態でなければならず、容易に注射可能である程度まで流動性であるべきである。この組成物は、製造および貯蔵の状態下で安定であるべきであり、細菌および真菌のような微生物の汚染作用に対して保存されなければならない。キャリアは、例えば、水、エタノール、ポリオール（例えば、グリセロール、プロピレングリコール、および液体ポリエチレングリコールなど）、およびこれらの適切な混合物を含む溶媒または分散剤であり得る。適切な流動性は、例えば、コーティング（例えば、レシチン）の使用、分散物の場合、必要な粒子径の維持および界面活性剤の使用によって維持され得る。微生物の作用の防止は、種々の抗菌剤および抗真菌剤（例えば、パラベン、クロロブタノール、フェノール、アスコルビン酸、チメロザールなど）によって達成され得る。多くの場合、等張剤（例えば、糖、ポリアルコール（例えば、マンニトール（ｍａｎｉｔｏｌ）、ソルビトール）、塩化ナトリウム）を組成物中に含むことが好ましい。注射可能な組成物の長期の吸収は、吸収を遅らせる薬剤（例えば、ステアリン酸モノアルミニウムおよびゼラチン）を組成物中に含有することによって、引き起こされる。
【０２９２】
滅菌注射用溶液は、活性化合物を、必要とされる量で、上記で列挙した成分の１以上の組合せを用いて、適切な溶媒中に取り込ませ、必要に応じて、続いて濾過滅菌することによって調製され得る。一般に、分散剤は、活性化合物を、塩基性分散媒体および上記に列挙された成分のうちの必要とされる他の成分を含む滅菌ビヒクル中に取り込むことによって調製される。滅菌注射用溶液の調製のための滅菌粉末の場合、調製の好ましい方法は、減圧乾燥および凍結乾燥であり、これらは、予め滅菌濾過されたその溶液から活性成分および任意のさらなる所望の成分の粉末を生じる。
【０２９３】
経口組成物は、一般に、不活性希釈剤または食用キャリアを含む。経口治療投与の目的で、この活性化合物は、賦形剤と共に組み込まれ、そして錠剤、トローチ、またはカプセル（例えば、ゼラチンカプセル）の形態で使用され得る。経口組成物はまた、うがい薬としての使用のための流体キャリアを使用して調製され得る。薬学的に適合性の結合剤、および／またはアジュバント材料が、この組成物の一部として含まれ得る。錠剤、丸剤、カプセル剤、トローチ剤などは、以下の成分のいずれかまたは同様の性質を有する化合物を含み得る：結合剤（例えば、微結晶セルロース、トラガントガムまたはゼラチン）；賦形剤（例えば、デンプンまたはラクトース）、崩壊剤（例えば、アルギン酸、Ｐｒｉｍｏｇｅｌ、またはコーンスターチ）；滑沢剤（例えば、ステアリン酸マグネシウムまたはＳｔｅｒｏｔｅ）；流動促進剤（例えば、コロイド状二酸化ケイ素）；甘味剤（例えば、スクロースまたはサッカリン）；あるいは矯味矯臭剤（例えば、ペパーミント、サリチル酸メチル、またはオレンジフレーバー）。
【０２９４】
吸入による投与のために、化合物は、適切な噴霧剤（例えば、二酸化炭素のような気体）を含む加圧容器もしくはディスペンサー、またはネブライザーからのエーロゾルスプレーの形態で送達される。
【０２９５】
全身投与はまた、経粘膜手段または経皮手段によってなされ得る。経粘膜投与または経皮投与のために、透過されるべき障壁に対して適切な透過剤が、処方物中に使用される。そのような透過剤は、当該分野で一般的に公知であり、そのような透過剤としては、例えば、経粘膜投与のためには、界面活性剤、胆汁酸塩、およびフシジン酸誘導体が挙げられる。経粘膜投与は、経鼻スプレーまたは坐剤の使用を介して達成され得る。経皮投与のために、活性化合物は、当該分野で一般的に公知であるような、軟膏（ｏｉｎｔｍｅｎｔ）、軟膏剤（ｓａｌｖｅ）、ゲル、またはクリームへと処方される。
【０２９６】
化合物はまた、（例えば、カカオ脂および他のグリセリドのような、従来の坐剤基剤を用いて）坐剤の形態で調製され得るか、または経直腸送達のために停留浣腸の形態で調製され得る。
【０２９７】
１つの実施形態において、活性化合物は、その化合物が身体から迅速に排出されることから保護するキャリアを用いて調製される（例えば、移植物および微小カプセル化送達システムを含む、徐放性処方物）。生分解性の生体適合性ポリマー（例えば、エチレン酢酸ビニル、ポリ無水物、ポリグリコール酸、コラーゲン、ポリオルトエステル、およびポリ乳酸）が、使用され得る。そのような処方物の調製方法は、当業者にとって明らかである。それらの物質はまた、Ａｌｚａ  ＣｏｒｐｏｒａｔｉｏｎおよびＮｏｖａ  Ｐｈａｒｍａｃｅｕｔｉｃａｌｓ，Ｉｎｃ．から商業的に入手され得る。リポソーム懸濁物（ウイルス抗原に対するモノクローナル抗体を含む、感染細胞標的化リポソームを含む）もまた、薬学的に受容可能なキャリアとして使用され得る。これらは、例えば、米国特許第４，５２２，８１１号に記載されるような、当業者に公知の方法に従って調製され得る。
【０２９８】
投与の容易さおよび投与量の均一さのために、単位投薬形態で、経口組成物または非経口組成物を処方することが、特に有利である。本明細書中で使用される場合、単位投薬形態とは、処置される被験体にとっての単位投薬量として適切な、物理的に別個の単位を指す；各単位は、必要な薬学的キャリアに付随して、所望の治療効果を生じるように計算された所定量の活性化合物を含む。
【０２９９】
そのような化合物の毒性および治療効力は、例えば、ＬＤ５０（集団の５０％に対して致死である用量）およびＥＤ５０（集団の５０％において治療上有効な用量）を決定するための、細胞培養物または実験動物における標準的薬学的手順によって決定され得る。毒性効果と治療効果との間の用量比は、治療指数であり、そしてそれは、比ＬＤ５０／ＥＤ５０として表され得る。高い治療指数を示す化合物が、好ましい。毒性副作用を示す化合物が使用され得るが、非感染細胞に対して生じ得る損傷を最小にして副作用を低減するために、罹患した組織部位にそのような化合物を標的化する送達システムを設計するために注意が払われるべきである。
【０３００】
細胞培養アッセイおよび動物実験から得られるデータは、ヒトにおける使用のために一定範囲の投薬量を処方する際に使用され得る。そのような化合物の投薬量は、好ましくは、毒性をほとんど伴わないかまたは全く伴わない、ＥＤ５０を含む一定範囲の循環濃度内に存在する。その投薬量は、使用される投与形態および利用される投与経路に依存して、この範囲内で変動し得る。本発明の治療方法において使用されるどの化合物についても、治療上有効な用量は、細胞培養アッセイからまず推定され得る。細胞培養において決定されるようなＩＣ５０（すなわち、症状の半最大阻害を達成する試験化合物濃度）を含む循環血漿濃度範囲を達成するための用量が、動物モデルにおいて処方され得る。そのような情報は、ヒトにおいて有用な用量をより正確に決定するために、使用され得る。血漿中のレベルは、例えば、高速液体クロマトグラフィーによって測定され得る。
【０３０１】
本明細書中で規定される場合、タンパク質またはポリペプチドの治療上有効な量（すなわち、有効投薬量）は、約０．００１〜３０ｍｇ／ｋｇ体重、好ましくは、約０．０１〜２５ｍｇ／ｋｇ体重、より好ましくは、約０．１〜２０ｍｇ／ｋｇ体重、およびさらにより好ましくは、約１〜１０ｍｇ／ｋｇ体重、２〜９ｍｇ／ｋｇ体重、３〜８ｍｇ／ｋｇ体重、４〜７ｍｇ／ｋｇ体重、または５〜６ｍｇ／ｋｇ体重の範囲である。タンパク質またはポリペプチドは、約１〜１０週間の間、好ましくは２〜８週間の間、より好ましくは約３〜７週間の間、さらにより好ましくは約４週間、５週間、または６週間の間、１週間に１回、投与される。特定の要因が、被験体を有効に処置するために必要な投薬量およびタイミングに影響し得ることを当業者は認識し、そのような要因としては、疾患もしくは障害の重篤度、以前の処置、被験体の全身の健康および／または被験体の年齢、ならびに存在する他の疾患が挙げられるが、これらに限定されない。さらに、治療上有効な量のタンパク質、ポリペプチド、または抗体（結合体化していないか、または本明細書中に記載のように結合体化されて）を用いる被験体の処置は、単回処置を包含し得、または好ましくは、一連の処置を包含し得る。
【０３０２】
抗体について、好ましい投薬量は、被験体は、０．１ｍｇ／体重１ｋｇ（一般に１０ｍｇ／ｋｇ〜２０ｍｇ／ｋｇ）である。抗体が、脳において作用する場合、５０ｍｇ／ｋｇ〜１００ｍｇ／ｋｇの投薬量が、通常、適当である。一般的に、部分的なヒト抗体および全長ヒト抗体は、他の抗体よりも人体内でより長い半減期を有する。従って、より低い投薬量およびより少ない投与頻度が、しばしば可能である。例えば、脂質化のような改変は、抗体を安定化し、（例えば、脳への）取り込みおよび組織貫通を強化するために使用され得る。抗体の脂質化の方法は、Ｃｒｕｉｋｓｈａｎｋら、（（１９９７）Ｊ．Ａｃｑｕｉｒｅｄ  Ｉｍｍｕｎｅ  Ｄｅｆｉｃｉｅｎｃｙ  Ｓｙｎｄｒｏｍｅｓ  ａｎｄ  Ｈｕｍａｎ  Ｒｅｔｒｏｖｉｒｏｌｏｇｙ  １４：１９３）によって記載される。
【０３０３】
本発明は、発現または活性を調節する薬剤を包含する。薬剤は、例えば、低分子であり得る。例えば、そのような低分子としては、ペプチド、ペプチド模倣物（例えば、ペプトイド）、アミノ酸、アミノ酸アナログ、ポリヌクレオチド、ポリヌクレオチドアナログ、ヌクレオチド、ヌクレオチドアナログ、約１０，０００グラム／モル未満の分子量を有する有機化合物もしくは無機化合物（すなわち、ヘテロ有機化合物および有機金属化合物を含む）、約５，０００グラム／モル未満の分子量を有する有機化合物もしくは無機化合物、約１，０００グラム／モル未満の分子量を有する有機化合物もしくは無機化合物、約５００グラム／モル未満の分子量を有する有機化合物もしくは無機化合物、ならびにそのような化合物の塩、エステル、および他の薬学的に受容可能な形態が挙げられるが、これらに限定されない。
【０３０４】
例示的な用量としては、被験体またはサンプルの重量１ｋｇあたり、ミリグラム量またはマイクログラム量の低分子（例えば、約１μｇ／ｋｇ〜約５００ｍｇ／ｋｇ、約１００μｇ／ｋｇ〜約５ｍｇ／ｋｇ、または約１μｇ／ｋｇ〜約５０μｇ／ｋｇ）が挙げられる。低分子の適切な用量は、調節されるべき発現または活性に関するその低分子の能力に依存することが、さらに理解される。これらの低分子のうちの１つ以上が、本発明のポリペプチドまたは核酸の発現もしくは活性を調節するために動物（例えば、ヒト）に投与される場合、医師、獣医師、または研究者は、例えば、最初に比較的低用量を処方し、その後、適切な応答が得られるまでその用量を増加させ得る。さらに、任意の特定の動物被験体についての特定の用量レベルは、種々の要因（使用される特定の化合物の活性、被験体の年齢、被験体の体重、被験体の全身の健康状態、被験体の性別、および被験体の食餌、投与時期、投与経路、排出速度、任意の薬物の組み合わせ、ならびに調節されるべき発現または活性の程度を含む）に依存することが、理解される。
【０３０５】
本発明の核酸分子は、ベクター中に挿入され得、そして遺伝子治療ベクターとして使用され得る。遺伝子治療ベクターは、例えば、静脈内注射、局所投与（米国特許第５，３２８，４７０号を参照のこと）または定位注射（例えば、Ｃｈｅｎら、（１９９４）Ｐｒｏｃ．Ｎａｔｌ．Ａｃａｄ．Ｓｃｉ．ＵＳＡ  ９１：３０５４〜３０５７を参照のこと）によって、被験体に送達され得る。その遺伝子治療ベクターの薬学的調製物は、受容可能な希釈剤中に遺伝子治療ベクターを含み得るか、または遺伝子送達ビヒクルが埋め込まれた徐放マトリクスを含み得る。あるいは、完全な遺伝子送達ベクター（例えば、レトロウイルスベクター）が組換え細胞からインタクトで生成され得る場合、その薬学的調製物は、遺伝子送達系を生じる１つ以上の細胞を含み得る。
【０３０６】
薬学的組成物は、投与のための指示書と共に、容器、パック、またはディスペンサー中に含まれ得る。
【０３０７】
（処置方法）
本発明は、異常なまたは望ましくない、６９５８３または８５９２４の、発現または活性と関連した障害に対する危険性がある（もしくはこれらに対して感受性である）か、またはそのような障害を有する被験体を処置する予防法および治療法の両方を提供する。本明細書中で使用される場合、用語「処置」とは、疾患、疾患の症状または疾患に対する素因を治療、治癒、緩和、軽減、変更、矯正、回復、改善または影響する目的で、それら疾患、疾患の症状または疾患に対する素因を有する患者に対する治療剤の適用または投与、あるいはこの患者由来の単離された組織または細胞株に対する治療剤の適用または投与として規定される。治療剤としては、低分子、ペプチド、抗体、リボザイム、およびアンチセンスオリゴヌクレオチドが挙げられるが、これらに限定されない。
【０３０８】
処置の予防法および治療法の両方の観点で、このような処置は、ゲノム薬理学（ｐｈａｒｍａｃｏｇｅｎｏｍｉｃｓ）の分野から得られる知識に基いて、特異的に仕立てられる（ｔａｉｌｏｒ）かまたは改変され得る。本明細書中で使用される場合、「ゲノム薬理学」は、遺伝子配列決定、統計的遺伝学および遺伝子発現分析のようなゲノム技術の、臨床開発および市場での薬物に対する適用をいう。より具体的には、この用語は、患者の遺伝子が薬物に対する患者の応答（例えば、患者の「薬物応答表現型」または「薬物応答遺伝子型」）をどのように決定するのかについての研究をいう。よって、本発明の別の局面は、個体の薬物応答遺伝子型に従って、本発明の６９５８３分子または８５９２４分子あるいは６９５８３調節因子または８５９２４調節因子のいずれかを用いる個体の予防処置または治療処置を仕立てるための方法を提供する。ゲノム薬理学によって、臨床医（ｃｌｉｎｉｃｉａｎ）または内科医（ｐｈｙｓｉｃｉａｎ）は、予防処置または治療処置を、この処置から最も利益を得る患者に対して標的とすることが可能になり、そして毒性薬物関連副作用を被る患者の処置を避けることが可能になる。
【０３０９】
１つの局面において、本発明は、６９５８３または８５９２４あるいは６９５８３または８５９２４発現または少なくとも１つの６９５８３または８５９２４活性を調節する薬剤を、被験体に投与することによって、被験体において、異常なまたは望まれない６９５８３または８５９２４の発現または活性に関連する疾患または状態を予防する方法を提供する。異常なまたは望まれない６９５８３または８５９２４の発現または活性によって引き起こされるまたはそれに起因する疾患に対する危険性がある被験体は、例えば、本明細書中に記載されるような診断アッセイまたは予後アッセイのいずれかまたは組み合わせによって同定され得る。予防剤の投与は、６９５８３または８５９２４の異常に特徴的な症状の発現の前に生じ得、その結果、疾患または障害は、予防されるか、あるいは、その進行が遅延される。６９５８３または８５９２４の異常のタイプに依存して、例えば、６９５８３または８５９２４、６９５８３または８５９２４アゴニスト剤あるいは６９５８３または８５９２４アンタゴニスト剤が、被験体を処置するために使用され得る。適切な薬剤は、本明細書中に記載されるスクリーニングアッセイに基づいて決定され得る。
【０３１０】
いくつかの６９５８３または８５９２４障害は、少なくとも部分的には、異常なレベルの遺伝子産物または異常な活性を示す遺伝子産物の存在によって引き起こされ得る可能性がある。このように、このような遺伝子産物のレベルおよび／または活性の減少は、障害の症状の回復を引き起こす。
【０３１１】
６９５８３または８５９２４分子は、本明細書中に記載されるような１つ以上の呼吸障害、肺に関連する障害、細胞増殖障害および／または細胞分化障害、腎障害、膵臓障害、卵巣の障害、免疫障害（例えば、炎症障害）、結腸障害、胸部障害、骨格筋障害、脳の障害、視床下部障害、脳下垂体障害、前立腺障害および心臓血管障害を制御するための、新規な診断標的および治療剤として作用し得る。
【０３１２】
本発明の分子はまた、１つ以上の骨代謝に関連する障害、内皮細胞障害、肝臓障害、ウイルス疾患、疼痛障害、および代謝障害を制御するための、新規な診断標的および治療剤として作用し得る。
【０３１３】
６９５８３または８５９２４分子の異常な発現および／または活性は、骨代謝に関連する障害を媒介し得る。「骨代謝」は、骨の構造の形成または変性（例えば、骨形成、骨吸収など）における直接または間接の効果をいい、これは、カルシウムおよびリン酸の血清中の濃度に対して最終的に影響し得る。この用語はまた、骨細胞（例えば、破骨細胞および骨芽細胞）中の６９５８３または８５９２４分子によって媒介される活性を含み、この活性は、次いで、骨形成および骨変性を生じ得る。例えば、６９５８３または８５９２４分子は、骨吸収性破骨細胞の異なる活性（単球および単核食細胞の破骨細胞への分化の刺激）を支持し得る。従って、骨細胞の産生を調節する６９５８３または８５９２４分子は、骨形成および骨変性に影響し得、従って、骨障害を処置するために使用され得る。このような障害の例としては、骨粗鬆症、骨形成異常症、骨軟化症、くる病、嚢胞性線維性骨炎、腎性骨形成異常症、骨硬化症、抗痙攣処置、骨減少症、線維形成不全骨（ｆｉｂｒｏｇｅｎｅｓｉｓ  ｉｍｐｅｒｆｅｃｔａ  ｏｓｓｉｕｍ）、続発性上皮小体機能亢進症（ｓｅｃｏｎｄａｒｙ  ｈｙｐｅｒｐａｒａｔｈｙｒｏｄｉｓｍ）、上皮小体機能低下症、上皮小体機能亢進症、肝硬変症、閉塞性黄疸、薬物誘導代謝、髄様癌、慢性腎性疾患、くる病、サルコイドーシス、グルココルチコイド拮抗作用、吸収不良症候群、脂肪便、熱帯性スプルー、特発性高カルシウム血症および授乳熱が挙げられるがこれらに限定されない。
【０３１４】
本明細書中で使用される場合、「内皮細胞障害」としては、異常であるか、制御されないか、または所望されない内皮細胞活性（例えば、増殖、移動、新脈管形成、または血管新生）；あるいは細胞表面接着分子または新脈管形成と関連した遺伝子（例えば、ＴＩＥ−２、ＦＬＴおよびＦＬＫ）の異常な発現によって特徴付けられる障害が挙げられる。内皮細胞障害としては、腫瘍形成、腫瘍転移、乾癬、糖尿病性網膜症、子宮内膜症、グレーヴズ疾患、虚血性疾患（例えば、アテローム性動脈硬化症）、および慢性炎症疾患（例えば、慢性関節リウマチ）が挙げられる。
【０３１５】
本明細書中に記載される方法によって処置または診断され得る障害としては、肝臓線維組織における蓄積に関連する障害（例えば、先在する繊維の崩壊および凝縮によって達成される細胞外マトリクスの産生と分解との間の不均衡から生じる障害）が挙げられるがこれに限定されない。本明細書中に記載される方法は、広範に種々の薬剤によって誘導される肝細胞壊死または損傷（恒常性を乱すプロセス（例えば、炎症プロセス、毒性傷害または変更された肝血流から生じる組織損傷）、および感染（例えば、細菌感染、ウイルス感染および寄生生物感染）を含む）を診断または処置するために使用され得る。例えば、本方法は、肝損傷（例えば、門脈圧亢進症または肝性線維症）の早期の検出のために使用され得る。さらに、本方法は、先天性代謝異常に起因する肝性線維症（例えば、ゴシェ病（脂質異常性）または糖原病、Ａ１アンチトリプシン欠損症のような貯蔵障害から生じる線維症；外因性物質の蓄積（例えば、貯蔵）を媒介する障害（例えば、ヘモクロマトーシス（鉄過剰症候群）および銅貯蔵疾患（ウィルソン病）、毒性代謝産物の蓄積を生じる障害（例えば、チロシン血症、果糖血症およびガラクトース血症）およびペルオキシソームの障害（例えば、ツェルベーガー症候群）））を検出するために使用され得る。さらに、本明細書中に記載される方法は、種々の化学物質または薬物（例えば、メトトレキサート、イソニアジド（ｉｓｏｎｉｚａｉｄ）、オキシフェニサチン、メチルドパ、クロルプロマジン、トルブタミドまたはアルコール）の投与に関連するか、または、これは、脈管障害の肝性発現（例えば、肝臓内胆汁流または肝臓外胆汁流のいずれかの閉塞、あるいは例えば、慢性心不全、肝静脈閉塞病、門脈血栓症またはバッド−キアーリ症候群から生じる肝性循環の変化）を示す肝臓傷害の早期検出および処置のために有用であり得る。
【０３１６】
さらに、６９５８３または８５９２４分子は、特定のウイルス疾患の病因において重要な役割を果たし得、この病因としては、Ｂ型肝炎、Ｃ型肝炎および単純疱疹ウイルス（ＨＳＶ）が挙げられるがこれらに限定されない。６９５８３または８５９２４活性の調節因子は、ウイルス疾患を制御するために使用され得る。調節因子は、ウイルス感染組織またはウイルス関連組織線維症（特に、肝臓および肝臓線維症）の処置および／または診断において使用され得る。また、６９５８３または８５９２４調節因子は、ウイルス関連癌（特に、肝細胞癌）の処置および／診断において使用され得る。
【０３１７】
さらに、６９５８３または８５９２４は、代謝または疼痛障害の調節において重要な役割を果たし得る。代謝不均衡の疾患としては、肥満、神経性食欲不振、悪液質、脂質障害、および糖尿病が挙げられるがこれらに限定されない。疼痛障害の例としては、通常、痛覚過敏として言及される、種々の形態の組織傷害（例えば、炎症、感染、および虚血）の間に誘発される疼痛応答（例えば、Ｆｉｅｌｄｓ，Ｈ．Ｌ．（１９８７）Ｐａｉｎ，Ｎｅｗ  Ｙｏｒｋ：ＭｃＧｒａｗ−Ｈｉｌｌに記載される）；筋骨格障害に関連する疼痛（例えば、関節痛；歯の疼痛；頭痛）；手術に関連する疼痛；過敏な腸症候群に関連する疼痛；または胸部疼痛が挙げられるが、これらに限定されない。
【０３１８】
議論されるように、６９５８３または８５９２４障害の首尾よい処置は、標的遺伝子産物の発現または活性を阻害する役目を果たす技術によって、もたらされ得る。例えば、ネガティブな調節活性を示すことが証明されている化合物（例えば、上記のアッセイを使用して同定される薬剤）が、本発明に従って使用され、６９５８３障害または８５９２４障害の症状を予防および／または回復し得る。このような分子としては、以下が挙げられ得るがこれらに限定されない：ペプチド、ホスホペプチド、有機低分子または無機低分子、あるいは抗体（例えば、ポリクローナル抗体、モノクローナル抗体、ヒト化抗体、ヒト抗体、抗イディオタイプ抗体、キメラ抗体、または単鎖抗体、ならびにＦａｂ、Ｆ（ａｂ’）２およびＦａｂ発現ライブラリーフラグメント、ｓｃＦＶ分子、ならびにそれらのエピトープ結合フラグメントを含む）。
【０３１９】
さらに、標的遺伝子の発現を阻害するアンチセンス分子およびリボザイム分子もまた、本発明に従って使用され、標的遺伝子発現レベルを低下させ得、それによって、標的遺伝子活性レベルは、効果的に減少される。なおさらに、三重らせん分子が、標的遺伝子活性レベルを低下させる際に利用され得る。アンチセンス分子、リボザイム分子および三重らせん分子は、上で議論されている。
【０３２０】
変異体遺伝子発現を低下または阻害するための、アンチセンス分子、リボザイム分子および／または三重らせん分子の使用もまた、正常な標的遺伝子の対立遺伝子によって産生されるｍＲＮＡの転写（三重らせん）および／または翻訳（アンチセンス、リボザイム）を低下または阻害し得、その結果、存在する正常な標的遺伝子産物の濃度が、正常な表現型で必要とされる濃度よりも低くあり得る可能性がある。このような場合、正常な標的遺伝子活性を示す標的遺伝子ポリペプチドをコードおよび発現する核酸分子は、遺伝子治療法によって、細胞に導入され得る。あるいは、この標的遺伝子が細胞外タンパク質をコードする例において、正常な標的遺伝子タンパク質を、細胞または組織に同時に投与して、必要な細胞活性レベルまたは組織標的遺伝子活性レベルを維持することが、好ましくあり得る。
【０３２１】
核酸分子が、６９５８３発現または８５９２４発現によって特徴付けられる疾患を処置または予防する際に利用され得る別の方法は、６９５８３タンパク質または８５９２４タンパク質に特異的なアプタマー分子の使用を介する。アプタマーは、三次構造を有する核酸分子であり、これは、タンパク質リガンドに特異的または選択的に結合し得る（例えば、Ｏｓｂｏｒｎｅら、（１９９７）Ｃｕｒｒ．Ｏｐｉｎ．Ｃｈｅｍ  Ｂｉｏｌ．１：５−９；およびＰａｔｅｌ（１９９７）Ｃｕｒｒ  Ｏｐｉｎ  Ｃｈｅｍ  Ｂｉｏｌ  １：３２−４６を参照のこと）。核酸分子は、多くの場合において、治療タンパク質分子が標的細胞に導入されるよりも、より簡便に標的細胞に導入されるので、アプタマーは、多能性効果を有し得る薬物または他の分子を導入することなく、６９５８３タンパク質活性または８５９２４タンパク質活性が特異的に低下し得る方法を提供する。
【０３２２】
標的遺伝子産物に特異的であり、かつ標的遺伝子産物活性を低下させる抗体が、作製され得る。従って、このような抗体は、ネガティブな調節技術が、６９５８３または８５９２４の障害の処置に適している場合に投与され得る。抗体の記載については、上記の抗体の節を参照のこと。
【０３２３】
抗体産生を刺激するために、６９５８３タンパク質もしくは８５９２４タンパク質または６９５８３エピトープもしくは８５９２４エピトープで、動物またはヒト被験体に注射することが、被験体に対して有害である環境下において、抗イディオタイプ抗体の使用によって、６９５８３または８５９２４に対する免疫応答を生じさせることが可能である（例えば、Ｈｅｒｌｙｎ（１９９９）Ａｎｎ  Ｍｅｄ  ３１：６６−７８；ならびにＢｈａｔｔａｃｈａｒｙａ−ＣｈａｔｔｅｒｊｅｅおよびＦｏｏｎ（１９９８）Ｃａｎｃｅｒ  Ｔｒｅａｔ  Ｒｅｓ．９４：５１−６８を参照のこと）。抗イディオタイプ抗体が哺乳動物またはヒト被験体に導入される場合、６９５８３タンパク質または８５９２４タンパク質に特異的であるべき、抗−抗イディオタイプ抗体の産生が刺激されるはずである。６９５８３発現または８５９２４発現によって特徴付けられる疾患に対するワクチンもまた、この様式で作製され得る。
【０３２４】
標的抗原が細胞内に存在し、かつ全抗体が使用される例において、内部移行抗体が好ましくあり得る。リポフェクチンまたはリポソームを使用して、標的抗原を細胞内に結合するＦａｂ領域の抗体またはフラグメントを送達し得る。抗体のフラグメントが使用される場合、標的抗原に結合する最小の阻害性フラグメントが、好ましい。例えば、抗体のＦｖ領域に対応するアミノ酸配列を有するペプチドが、使用され得る。あるいは、細胞内標的抗原に結合する一本鎖中和抗体もまた、投与され得る。このような一本鎖抗体は、例えば、標的細胞集団内の一本鎖抗体をコードするヌクレオチド配列を発現させることによって、投与され得る（例えば、Ｍａｒａｓｃｏら、（１９９３）Ｐｒｏｃ．Ｎａｔｌ．Ａｃａｄ．Ｓｃｉ．ＵＳＡ  ９０：７８８９−７８９３を参照のこと）。
【０３２５】
標的遺伝子発現、合成および／または活性を阻害する、同定された化合物は、６９５８３または８５９２４の障害を予防、処置または回復するのに治療に有効な用量で、患者に投与され得る。治療に有効な用量とは、その障害の症状を回復させるのに十分な、化合物の量をいう。このような化合物の毒性および治療効果は、上記のような標準的な薬学的手順によって、決定され得る。
【０３２６】
細胞培養アッセイおよび動物研究から得られたデータは、ヒトにおける使用のための投薬量範囲を処方する際に、使用され得る。このような化合物の投薬量は、好ましくは、毒性をほとんど有さないかまたは全く有さないＥＤ５０を含む循環濃度範囲内にある。投薬量は、用いられる投薬形態および用いられる投与経路に依存して、この範囲内で変化し得る。本発明の方法において使用される任意の化合物について、治療に有効な用量は、細胞培養アッセイから、最初に推定され得る。用量は、動物モデルにおいて処方され得、細胞培養物中で決定されるようなＩＣ５０（すなわち、症状の最大半減阻害を達成する試験化合物の濃度）を含む循環血漿濃度範囲に達する。このような情報を使用して、ヒトにおける有用な用量をより正確に決定し得る。血漿中のレベルは、例えば、高速液体クロマトグラフィーによって、測定され得る。
【０３２７】
個体に対する有効な用量を決定する別の例は、試験被験体の血清中の「遊離」化合物および「結合」化合物のレベルを直接的にアッセイする能力である。このようなアッセイは、分子のインプリンティング技術によって作製される抗体模倣物および／または「バイオセンサ」を使用し得る。６９５８３活性または８５９２４活性を調節し得る化合物は、テンプレート、または「インプリンティング分子」として使用され、この化合物の触媒試薬との重合化の前に、重合可能なモノマーを空間的に組織化する。インプリントされた分子のその後の除去は、化合物の繰り返し「ネガ（ｎｅｇａｔｉｖｅ  ｉｍａｇｅ）」を含むポリマーマトリクスを残し、そして生物学的アッセイ条件下で、分子に選択的に再結合することができる。この技術の詳細な総説は、Ａｎｓｅｌｌら（１９９６）Ｃｕｒｒｅｎｔ  Ｏｐｉｎｉｏｎ  ｉｎ  Ｂｉｏｔｅｃｈｎｏｌｏｇｙ  ７：８９−９４およびＳｈｅａ（１９９４）Ｔｒｅｎｄｓ  ｉｎ  Ｐｏｌｙｍｅｒ  Ｓｃｉｅｎｃｅ  ２：１６６−１７３において参照され得る。このような「インプリントされた」アフィニティーマトリクスは、リガンド結合アッセイに適合し、これによって、固定化モノクローナル抗体の構成要素は、適切にインプリントされたマトリクスによって置き換えられる。この方法における、このようなマトリクスの使用の例は、Ｖｌａｔａｋｉｓら（１９９３）Ｎａｔｕｒｅ  ３６１：６４５−６４７において参照され得る。同位体標識の使用によって、６９５８３または８５９２４の発現または活性を調節する化合物の「遊離」濃度は、容易にモニタリングされ得、そしてＩＣ５０の算出に使用され得る。
【０３２８】
このような「インプリントされた」アフィニティーマトリクスはまた、光子放射特性が標的化合物の局在性および選択的結合によって測定可能に変化する蛍光官能基を含むように設計され得る。これらの変化は、適切な光ファイバーデバイスを使用し、次いで、試験被験体における用量を、その個々のＩＣ５０に基づいて迅速に最適化することによって、実時間で容易にアッセイされ得る。このような「バイオセンサ」の基本的な例は、Ｋｒｉｚら（１９９５）Ａｎａｌｙｔｉｃａｌ  Ｃｈｅｍｉｓｔｒｙ  ６７：２１４２−２１４４において議論されている。
【０３２９】
本発明の別の局面は、治療目的のための、６９５８３発現もしくは８５９２４発現または６９５８３活性もしくは８５９２４活性を調節する方法に関する。従って、例示的な実施形態において、本発明の調節方法は、細胞を、６９５８３もしくは８５９２４またはこの細胞に関連する６９５８３タンパク質活性もしくは８５９２４タンパク質活性の１つ以上の活性を調節する因子と接触させる工程を包含する。６９５８３タンパク質活性または８５９２４タンパク質活性を調節する因子は、本明細書中に記載されるような因子（例えば、核酸またはタンパク質、６９５８３タンパク質または８５９２４タンパク質の天然に存在する標的分子（例えば、６９５８３基質もしくは８５９２４基質または６９５８３レセプターもしくは８５９２４レセプター）、６９５８３抗体もしくは８５９２４抗体、６９５８３アゴニストもしくは８５９２４アゴニスまたは６９５８３アンタゴニストもしくは８５９２４アンタゴニスト、６９５８３アゴニストもしくは８５９２４アゴニスまたは６９５８３アンタゴニストもしくは８５９２４アンタゴニストのペプチド模倣物、または他の低分子）であり得る。
【０３３０】
１つの実施形態において、この因子は、１つ以上の６９５８３活性または８５９２４活性を刺激する。このような刺激性因子の例としては、活性な６９５８３タンパク質または８５９２４タンパク質および６９５８３または８５９２４をコードする核酸分子が挙げられる。別の実施形態において、この因子は、１つ以上の６９５８３活性または８５９２４活性を阻害する。このような阻害因子の例としては、アンチセンス６９５８３核酸分子またはアンチセンス８５９２４核酸分子、抗６９５８３抗体または抗８５９２４抗体、および６９５８３インヒビターまたは８５９２４インヒビターが挙げられる。これらの調節方法は、インビトロにおいてか（例えば、この因子とともに細胞を培養することによって）、あるいはインビボにおいて（例えば、この因子を被験体に投与することによって）行われ得る。このように、本発明は、６９５８３タンパク質もしくは８５９２４タンパク質または６９５８３核酸分子もしくは８５９２４核酸分子の、異常なまたは望ましくない発現または活性によって特徴付けられる疾患または障害に罹患している個体を処置する方法を提供する。１つの実施形態において、この方法は、因子（例えば、本明細書中に記載されるスクリーニングアッセイによって同定される因子）、または６９５８３発現もしくは８５９２４発現または６９５８３活性もしくは８５９２４活性を調節する（例えば、アップレギュレートするかまたはダウンレギュレートする）因子の組み合わせを投与する工程を包含する。別の実施形態において、この方法は、６９５８３タンパク質もしくは８５９２４タンパク質または６９５８３核酸分子もしくは８５９２４核酸分子を、低下した、異常なまたは望ましくない６９５８３発現もしくは８５９２４発現または６９５８３活性もしくは８５９２４活性を補償する治療として、投与する工程を包含する。
【０３３１】
６９５８３活性または８５９２４活性の刺激は、６９５８３または８５９２４が異常にダウンレギュレートする状況、および／または６９５８３活性もしくは８５９２４活性の増加が有利な効果を有するようである状況において、望ましい。例えば、６９５８３活性または８５９２４活性の刺激は、６９５８３または８５９２４がダウンレギュレートする状況、および／または６９５８３活性もしくは８５９２４活性の増加が有利な効果を有するようである状況において、望ましい。同様に、６９５８３または８５９２４活性の阻害は、６９５８３または８５９２４が異常にアップレギュレートする状況、および／または６９５８３活性もしくは８５９２４活性の低下が有利な効果を有するようである状況において、望ましい。
【０３３２】
（薬理ゲノム学（ｐｈａｒｍａｃｏｇｅｎｏｍｉｃｓ））
本発明の６９５８３分子または８５９２４分子、および因子、または本明細書中に記載されるスクリーニングアッセイによって同定されるような、６９５８３活性または８５９２４活性（例えば、６９５８３遺伝子発現または８５９２４遺伝子発現）に対する刺激効果もしくは阻害効果を有するモジュレーターは、異常な６９５８３活性もしくは８５９２４活性または望ましくない６９５８３活性もしくは８５９２４活性に関連する、６９５８３または８５９２４の関連障害（例えば、細胞増殖および細胞分裂に関連した生化学的変化および形態学的変化の制御、異常なまたは欠損した、細胞増殖障害および／または細胞分化障害、例えば、癌腫、肉腫，転移性障害または造血障害（例えば、白血病）を（予防的にかまたは治療的に）処置するために、個体に投与され得る。このような処置とともに、薬理ゲノム学（すなわち、個体の遺伝子型と、外来性化合物もしくは薬物に対するその個体の応答との間の関係の研究）が、考慮され得る。治療の代謝における差異は、薬理学的に活性な薬物の用量と血液濃度との間の関係を変更することによって、毒性または治療不全を与えるように導き得る。従って、医師または臨床医は、６９５８３分子もしくは８５９２４分子または６９５８３モジュレーターもしくは８５９２４モジュレーターを投与するか否かを決定し、そして６９５８３分子もしくは８５９２４分子または６９５８３モジュレーターもしくは８５９２４モジュレーターでの処置における、投薬量および／または治療レジメンを調節する際に、関連する薬理ゲノム学研究において得られた知識の適用を考慮し得る。
【０３３３】
薬理ゲノム学は、変更された薬物の性質および罹患した個人の異常な行動に起因する薬物に対する応答における、臨床学的に有意な遺伝的バリエーションを処置する。例えば、Ｅｉｃｈｅｌｂａｕｍら、（１９９６）Ｃｌｉｎ．Ｅｘｐ．Ｐｈａｒｍａｃｏｌ．Ｐｈｙｓｉｏｌ．２３：９８３−９８５およびＬｉｎｄｅｒら、（１９９７）Ｃｌｉｎ．Ｃｈｅｍ．４３：２５４−２６６を参照のこと。一般に、２つの型の薬理ゲノム学条件は、異なり得る。遺伝的条件は、薬物が身体に作用する様式を変更する（変更された薬物作用）単一因子として普及したか、または遺伝的条件は、身体が薬物に作用する様式を変更する（変更された薬物代謝）単一因子として普及した。これらの薬理ゲノム学条件は、稀なゲノム欠損としてかまたは天然に存在する多型としてかの、いずれかとして生じ得る。例えば、グルコース−６−ホスフェートデヒドロゲナーゼ欠損（Ｇ６ＰＤ）は、一般的な遺伝性酵素病であり、ここで、主な臨床学的合併症は、酸化薬剤（抗マラリア薬、スルホンアミド、鎮痛薬、ニトロフラン）の摂取およびソラマメの消費後の溶血である。
【０３３４】
「ゲノムワイドアソシエーション（ｇｅｎｏｍｅ−ｗｉｄｅ  ａｓｓｏｃｉａｔｉｏｎ）」として知られている、薬物応答を予測する遺伝子を同定するための、１つの薬理ゲノム学アプローチは、すでに知られているゲノム関連マーカー（例えば、「二座対立遺伝子」ゲノムマーカーマップ（これは、６０，０００〜１００，０００の多型またはヒトゲノム上の可変性部位からなり、これらの各々が、２つの改変体を有する））からなるヒトゲノムの高解像度マップに、主に依存する。このような高解像度ゲノムマップは、特定の観察された薬物応答または副作用に関連したマーカーを同定するために、第ＩＩ期／第ＩＩＩ期の薬物試行に参加した統計学的に有意な数の患者の各々のゲノムのマップと比較され得る。あるいは、このような高解像度マップは、ヒトゲノムにおいて、数千万の公知の一塩基多型（ＳＮＰ）の組み合わせから生じ得る。本明細書中で使用される場合、「ＳＮＰ」は、ＤＮＡのストレッチにおいて、単一ヌクレオチド塩基において生じる一般的な変更である。例えば、ＳＮＰは、ＤＮＡの１０００塩基毎に１回起こり得る。ＳＮＰは、疾患プロセスに関与し得るが、大部分は、疾患に関連し得ない。このようなＳＮＰの発生に基づくゲノムマップが与えられると、個体は、個々のゲノムにおいて、ＳＮＰの特定のパターンに依存して、ゲノムのカテゴリーに分類され得る。このような様式において、処置レジメンは、ゲノム学的に類似の個体の間で共通であり得る特性を考慮して、このようなゲノム学的に類似の個体の群に対して変更され得る。
【０３３５】
あるいは、「候補遺伝子アプローチ」と呼ばれる方法は、薬物応答を予測する遺伝子を同定するために用いられ得る。この方法に従って、薬物の標的をコードする遺伝子が既知である場合（例えば、本発明の６９５８３タンパク質または８５９２４タンパク質）、その遺伝子の全ての共通の改変体は、その集団においてかなり容易に同定され得、そして別の遺伝子バージョンに対する１つの遺伝子バージョンを有することが特定の薬物応答に関連するか否かが決定され得る。
【０３３６】
あるいは、「遺伝子発現プロファイリング」と呼ばれる方法が、薬物応答を予測する遺伝子を同定するために用いられ得る。例えば、薬物（例えば、本発明の６９５８３分子もしくは８５９２４分子または６９５８３モジュレーターもしくは８５９２４モジュレーター）を投薬された動物の遺伝子発現は、毒性に関連する遺伝子経路が狙撃されるか否かの指標を与え得る。
【０３３７】
１より多い上記薬理ゲノム学アプローチから得られる情報を使用して、個体の予防的処置または治療的処置のための、適切な投薬量および処置レジメンを決定し得る。この知識は、投薬または薬物選択に適用される場合、有害反応または治療不全を回避し得、それによって、６９５８３分子もしくは８５９２４分子または６９５８３モジュレーターもしくは８５９２４モジュレーター（例えば、本明細書中に記載される例示的なスクリーニングアッセイのうちの１つによって同定されるモジュレーター）で被験体を処置する場合、治療効果または予防効果を増強させる。
【０３３８】
本発明はさらに、本発明の６９５８３遺伝子または８５９２４遺伝子の１つ以上によってコードされる遺伝子産物の１つ以上の活性を調節する因子の同定に基づく、新たな因子、または組み合わせを同定するための方法を提供し、ここで、これらの産物は、治療因子に対する細胞の耐性に関連し得る。詳細には、本発明の６９５８３遺伝子または８５９２４遺伝子によってコードされるタンパク質の活性は、因子の耐性を克服するために、因子を同定するための基礎として使用され得る。耐性タンパク質の１つ以上の活性をブロックすることによって、標的細胞（例えば、ヒト細胞）は、未改変標的細胞に耐性である因子を用いた処置に対して感受性になる。
【０３３９】
６９５８３タンパク質または８５９２４タンパク質の発現または活性に対する、因子（例えば、薬物）の影響のモニタリングが、臨床試験において適用され得る。例えば、６９５８３遺伝子発現または８５９２４遺伝子発現、タンパク質レベル、またはアップレギュレートした６９５８３活性または８５９２４活性を増加させるために、本明細書中に記載されるようなスクリーニングアッセイによって決定される因子の効果は、６９５８３遺伝子発現または８５９２４遺伝子発現、タンパク質レベル、またはダウンレギュレートした６９５８３活性または８５９２４活性の低下を示す被験体の臨床試験において、モニタリングされ得る。あるいは、６９５８３遺伝子発現または８５９２４遺伝子発現、タンパク質レベル、またはダウンレギュレートした６９５８３活性または８５９２４活性を低下させるために、スクリーニングアッセイによって決定される因子の効果は、６９５８３遺伝子発現または８５９２４遺伝子発現、タンパク質レベル、またはアップレギュレートした６９５８３活性または８５９２４活性の増加を示す被験体の臨床試験においてモニタリングされ得る。このような臨床試験において、６９５８３遺伝子または８５９２４遺伝子の発現または活性、好ましくは、例えば、タンパク質キナーゼ関連障害または別の６９５８３または８５９２４の関連障害に関与している他の遺伝子の発現または活性は、「読み出し（ｒｅａｄ  ｏｕｔ）」または特定の細胞の表現型のマーカーとして、使用され得る。
【０３４０】
（他の実施形態）
別の局面において、本発明は、複数の捕捉プローブの分析方法を特徴とする。この方法は、例えば、遺伝子発現を分析するのに有用である。この方法は、複数のアドレスを有する二次元アレイを提供する工程（複数のアドレスの各アドレスは、複数のアドレスの互いのアドレスと位置的に識別可能であり、複数のアドレスの各アドレスは、固有の捕捉プローブ（例えば、核酸配列またはペプチド配列）を有し、捕捉プローブは、６９５８３または８５９２４を発現する細胞または被験体由来であるかあるいは６９５８３または８５９２４の媒介応答が誘発される細胞または被験体由来である）；このアレイを６９５８３核酸もしくは８５９２４核酸（好ましくは精製されたもの）、６９５８３ポリペプチドもしくは８５９２４ポリペプチド（好ましくは精製されたもの）、または抗６９５８３抗体もしくは抗８５９２４抗体と接触させる工程、およびそれによって複数の捕捉プローブを評価する工程、を包含する。結合（例えば、核酸の場合、複数のアドレスのうちの１つのアドレスにおける捕捉プローブとのハイブリダイゼーション）は、例えば、６９５８３核酸もしくは８５９２４核酸、６９５８３ポリペプチドもしくは８５９２４ポリペプチド、または６９５８３抗体もしくは８５９２４抗体に結合された標識から生成されるシグナルによって検出される。
【０３４１】
捕捉プローブは、選択されたサンプル由来の核酸のセット（例えば、コントロールまたは未刺激組織もしくは細胞由来の核酸のサンプル）であり得る。
【０３４２】
この方法は、複数の捕捉プローブを有する第１のアレイおよび異なる複数の捕捉プローブを有する第２のアレイと、６９５８３核酸もしくは８５９２４核酸、６９５８３ポリペプチドもしくは８５９２４ポリペプチド、または６９５８３抗体もしくは８５９２４抗体とを接触させる工程を包含し得る。各々のハイブリダイゼーションの結果は、例えば、第１のサンプルと第２のサンプルとの間の発現における差を分析するために比較され得る。第１の複数の捕捉プローブは、コントロールサンプル（例えば、野生型サンプル、正常サンプル、または非疾患サンプル、非刺激サンプル（例えば、生物学的流体サンプル、組織サンプル、または細胞サンプル））由来であり得る。第２の複数の捕捉プローブは、実験サンプル（例えば、変異型サンプル、危険サンプル、疾患状態サンプルもしくは障害状態サンプル、または刺激サンプル（例えば、生物学的流体サンプル、組織サンプル、または細胞サンプル））由来であり得る。
【０３４３】
複数の捕捉プローブは、複数の核酸プローブであり得、それらの各々は、６９５８３または８５９２４の対立遺伝子と特異的にハイブリダイズする。このような方法は、例えば、疾患または障害に対する危険を評価するために、被験体に対する選択された処置の感度を評価するために、被験体が疾患または障害を有するか否かを評価するために、被験体を診断するのに使用され得る。
【０３４４】
この方法は、上記のようにＳＮＰを検出するのに使用され得る。
【０３４５】
別の局面において、本発明は、６９５８３または８５９２４を分析する（例えば、構造、機能または他の核酸配列もしくはアミノ酸配列との関連を分析する）方法を特徴とする。この方法は、６９５８３核酸配列もしくは８５９２４核酸配列または６９５８３アミノ酸配列もしくは８５９２４アミノ酸配列を提供する工程；６９５８３配列または８５９２４配列と、配列の集合（例えば、核酸またはタンパク質の配列データベース）からの１つ以上の（好ましくは複数の）配列とを比較する工程、を包含し、それによって６９５８３または８５９２４を分析する。
【０３４６】
この方法は、６９５８３配列または８５９２４配列とデータベース配列との間の配列同一性を評価する方法を包含し得る。この方法は、第２の位置の（例えば、インターネットを通じて）データベースにアクセスすることによって実施され得る。好ましいデータベースとしては、ＧｅｎＢａｎｋＴＭおよびＳｗｉｓｓＰｒｏｔが挙げられる。
【０３４７】
別の局面において、本発明は、例えば、ＳＮＰを同定するのにあるいは６９５８３または８５９２４の特定の対立遺伝子を同定するのに有用なオリゴヌクレオチドのセットを特徴とする。このセットは、複数のオリゴヌクレオチドを含み、それらの各々は、質問位置（ｉｎｔｅｒｒｏｇａｔｉｏｎ  ｐｏｓｉｔｉｏｎ）（例えば、ＳＮＰまたは変異部位）に異なるヌクレオチドを有する。好ましい実施形態において、複数のオリゴヌクレオチドは、互いに配列において同一である（長さの差を除く）。オリゴヌクレオチドには、異なる標識が提供され得、その結果、１つの対立遺伝子にハイブリダイズするオリゴヌクレオチドは、第２の対立遺伝子にハイブリダイズするオリゴヌクレオチドと識別可能なシグナルを提供する。
【０３４８】
６９５８３分子または８５９２４分子の配列は、その使用を容易にするため、種々の媒体において提供される。配列は、単離された核酸分子またはアミノ酸分子ではなく、６９５８３分子または８５９２４分子を含む製品として提供され得る。このような製品は、天然で存在するようにまたは精製された形態で、ヌクレオチド配列もしくはアミノ酸配列、またはそのサブセットの試験に対して直接的には適用可能でない手段を用いる製品の試験を可能にする形態で、ヌクレオチド配列またはアミノ酸配列（例えば、オープンリーディングフレーム）を提供し得る。
【０３４９】
６９５８３または８５９２４のヌクレオチド配列またはアミノ酸配列は、コンピューター読取り媒体へ記録され得る。本明細書で使用される場合、「コンピューター読取り媒体」は、コンピューターによって直接読み取られ得、そしてアクセスされ得る任意の媒体をいう。このような媒体としては、以下が挙げられるが、これらに限定されない：磁気保存媒体（例えば、フロッピー（登録商標）ディスク、ハードディスク保存媒体、および磁気テープ）；光学保存媒体（例えば、コンパクトディスクおよびＣＤ−ＲＯＭ）；電気保存媒体（例えば、ＲＡＭ、ＲＯＭ，ＥＰＲＯＭ、ＥＥＰＲＯＭなど）；ならびに一般的なハードディスクおよびこれらのカテゴリーのハイブリッド体（例えば、磁気的／光学保存媒体）。媒体は、それらに対して本発明の６９５８３配列情報または８５９２４配列情報を有するように適合または構成される。
【０３５０】
本明細書で使用される場合、用語「電気装置」は、データまたは情報を保存するために構成または適合された他のデバイスの任意の適切なコンピューター装置または処理装置を包含することが意図される。本発明の使用に適切な電気装置の例としては、以下が挙げられる：独立型コンピューター装置；ネットワーク（ローカルエリアネットワーク（ＬＡＮ）、ワイドエリアネットワーク（ＷＡＮ）インターネット、イントラネット、およびエキストラネットを含む）；電気製品（例えば、パーソナルデジタルアシスタント（ＰＤＡ）、セルラー電話、ポケットベルなど）；および局所処理システムおよび分布処理システム。
【０３５１】
本明細書で使用される場合、「記録された」は、電気装置読取り媒体上の情報を保存するかまたは暗号化するための処理をいう。当業者は、公知の媒体上に情報を記録するための現在において公知の任意の方法を容易に適合させて、６９５８３配列情報または８５９２４配列情報を含む製品を生成し得る。
【０３５２】
種々のデータ保存構造体が、それらの上に記録された本発明の６９５８３または８５９２４のヌクレオチド配列またはアミノ酸配列を有するコンピューター読取り媒体を作製するために当業者に対して利用可能である。データ保存構造多の選択は、一般的に、保存情報にアクセスするために選択された手段に基づく。さらに、種々のデータ処理プログラムおよびフォーマットを使用して、コンピューター読取り媒体上に、本発明のヌクレオチド配列情報を保存し得る。配列情報は、文字処理テキストファイルにおいて表現され得、これらのファイルは、市販のソフトウェア（例えば、ＷｏｒｄＰｅｒｆｅｃｔおよびＭｉｃｒｏｓｏｆｔ  Ｗｏｒｄ）でフォーマットされているか、またはデータベースアプリケーション（例えば、ＤＢ２、Ｓｙｂａｓｅ、Ｏｒａｃｌｅ、など）に保存されるＡＳＣＩＩファイルの形態で表現されている。当業者は、記録された本発明のヌクレオチド配列情報をそれらの上に有するコンピューター読取り媒体を得るために、任意の数のデータ処理装置構築フォーマット（例えば、テキストファイルまたはデータベース）を容易に適合させ得る。
【０３５３】
本発明の６９５８３または８５９２４のヌクレオチド配列またはアミノ酸配列をコンピューター読取り形態に提供することによって、当業者は、種々の目的のために配列情報に定型的にアクセスし得る。例えば、当業者は、コンピューター読取り形態中の本発明のヌクレオチド配列またはアミノ酸配列を使用し、標的配列または標的構造モチーフとデータ保存手段内に保存された配列情報とを比較し得る。検索を使用して、特定の標的配列または標的モチーフに適合する本発明の配列のフラグメントまたは領域を同定する。
【０３５４】
それゆえに、本発明は、被験体が、プロテインキナーゼ関連疾患もしくは障害または別の６９５８３もしくは８５９２４関連疾患あるいは障害を有するか、または、プロテインキナーゼ関連疾患もしくは障害または別の６９５８３もしくは８５９２４関連疾患あるいは障害に対する素因を有するか否かを決定する方法を実施するための指示書を保有するための媒体を提供し、ここで、この方法は、被験体に関連する６９５８３または８５９２４配列情報を決定する工程を包含し、そして６９５８３または８５９２４配列情報に基づいて、被験体が、プロテインキナーゼ関連疾患もしくは障害または別の６９５８３もしくは８５９２４関連疾患あるいは障害を有するか否かを決定する工程および／またはこの疾患状態、障害状態、あるいは疾患前状態に対する特定の処置を勧める工程を包含する。
【０３５５】
本発明はさらに、電気システムおよび／またはネットワークにおいて、被験体が、プロテインキナーゼ関連疾患もしくは障害または別の６９５８３もしくは８５９２４関連疾患あるいは障害を有するか、または、６９５８３もしくは８５９２４に関連する疾患に対する素因を有するか否かを決定する方法を提供し、ここで、この方法は、被験体に関連する６９５８３または８５９２４配列情報を決定する工程を包含し、そして６９５８３または８５９２４配列情報に基づいて、被験体が、プロテインキナーゼ関連疾患もしくは障害または別の６９５８３もしくは８５９２４関連疾患あるいは障害を有するか、または、プロテインキナーゼ関連疾患もしくは障害または別の６９５８３もしくは８５９２４関連疾患あるいは障害を有するか否かを決定する工程および／またはこの疾患状態、障害状態、あるいは疾患前状態に対する特定の処置を勧める工程を包含する。この方法はさらに、被験体に関連する表現型情報を受け取る工程および／または被験体に関連するネットワーク表現型情報から取得する工程を包含する。
【０３５６】
本発明はまた、ネットワークにおいて、被験体が、プロテインキナーゼ関連疾患もしくは障害または別の６９５８３もしくは８５９２４関連疾患あるいは障害を有するか、または、プロテインキナーゼ関連疾患もしくは障害または別の６９５８３もしくは８５９２４に関連する疾患あるいは障害に対する素因を有するか否かを決定する方法を提供し、この方法は、被験体から６９５８３または８５９２４配列情報および／またはそれらに関連する情報を受け取る工程、被験体に関連する表現型情報を受け取る工程、６９５８３または８５９２４関連疾患または障害に対応する情報および／またはプロテインキナーゼ関連疾患もしくは障害に対応する情報、または別の６９５８３もしくは８５９２４関連疾患あるいは障害に対応する情報をネットワークから取得する工程を包含し、表現型情報、６９５８３情報または８５９２４情報（例えば、配列情報および／またはそれらに関連する情報）、あるいは取得された情報のうちの１つ以上に基づいて、被験体が、プロテインキナーゼ関連疾患もしくは障害または別の６９５８３もしくは８５９２４関連疾患あるいは障害を有するか、または、プロテインキナーゼ関連疾患もしくは障害または別の６９５８３もしくは８５９２４関連疾患あるいは障害に対する素因を有するか否かを決定する工程を包含する。この方法は、この疾患状態、障害状態、あるいは疾患前状態に対する特定の処置を勧める工程をさらに包含する。
【０３５７】
本発明はまた、被験体が、プロテインキナーゼ関連疾患もしくは障害または別の６９５８３もしくは８５９２４関連疾患あるいは障害を有するか、または、プロテインキナーゼ関連疾患もしくは障害または別の６９５８３もしくは８５９２４に関連する疾患あるいは障害に対する素因を有するか否かを決定するビジネス方法を提供し、この方法は、６９５８３または８５９２４に関連する情報（例えば、配列情報および／またはそれに関連する情報）を受け取る工程、被験体に関連する表現型情報を受け取る工程、６９５８３または８５９２４に関連し、そして／またはプロテインキナーゼ関連疾患もしくは障害または別の６９５８３もしくは８５９２４関連疾患あるいは障害に関連するネットワークについての情報を取得する工程、ならびに表現型情報、６９５８３情報または８５９２４情報、および取得された情報のうちの１つ以上に基づいて、被験体が、プロテインキナーゼ関連疾患もしくは障害または別の６９５８３もしくは８５９２４関連疾患あるいは障害を有するか、または、プロテインキナーゼ関連疾患もしくは障害または別の６９５８３もしくは８５９２４関連疾患あるいは障害に対する素因を有するか否かを決定する工程を包含する。この方法は、この疾患状態、障害状態、あるいは疾患前状態に対する特定の処置を勧める工程をさらに包含する。
【０３５８】
本発明はまた、本発明の６９５８３配列または８５９２４配列を含むアレイを含む。このアレイを使用して、アレイにおける１以上の遺伝子の発現をアッセイし得る。１つの実施形態において、アレイを使用して、アレイにおける遺伝子の組織特異性を確認するために、組織における遺伝子発現をアッセイし得る。この様式では、約７６００までの遺伝子を、発現のために同時にアッセイし得、このうちの１つは、６９５８３または８５９２４であり得る。このことにより、プロファイルが、１つ以上の組織において特異的に発現される１対の遺伝子を示しながら発生することを可能にする。
【０３５９】
このような定性的な情報に加えて、本発明は、遺伝子発現の定量を可能にする。従って、確認可能であるならば、組織特異性だけでなく、組織における１対の遺伝子の発現レベルも定量される。従って、遺伝子は、それらの組織発現自体およびその組織における発現のレベルに基づいてグループ化され得る。このことは、例えば、組織における遺伝子発現の関係を確認するのに有用である。従って、１つの組織は、摂動され得、そして第２の組織における遺伝子発現に対する効果が、決定され得る。この文脈において、生物学的刺激に応答する、１つの細胞型の別の細胞型に対する効果が、決定され得る。このような決定は、例えば、遺伝子発現のレベルでの細胞−細胞相互効果の効果を知るのに有用である。薬剤を治療的に投与して、１つの細胞型を処置するが、別の細胞型に対しては所望でない効果を有する場合、本発明は、所望でない効果の分子基礎を決定するためのアッセイを提供し、従って、中和薬剤を同時投与する機会を提供するか、そうでなければ所望でない効果を処置するための機会を提供する。同様に、単一の細胞型内でさえ、所望でない生物学的効果は、分子レベルで決定され得る。従って、薬剤の標的遺伝子以外の発現に対する効果を、確認および中和し得る。
【０３６０】
別の実施形態において、アレイを使用して、アレイにおける１以上の遺伝子の発現の時間経過をモニタリングし得る。このことは、本明細書で記載されるように、種々の生物学的な局面、例えば、プロテインキナーゼ関連疾患もしくは障害または別の６９５８３または８５９２４関連疾患あるいは障害の発生、プロテインキナーゼ関連疾患もしくは障害または別の６９５８３または８５９２４関連疾患あるいは障害の進行、ならびにプロテインキナーゼ関連疾患もしくは障害または別の６９５８３または８５９２４関連疾患あるいは障害に関連する細胞形質転換のようなプロセスにおいて生じ得る。
【０３６１】
アレイはまた、同じ細胞または異なる細胞における遺伝子発現の他の遺伝子発現に対する効果を確認（例えば、他の遺伝子の発現に対する６９５８３または８５９２４発現の効果を確認する）するのに有用である。最後の標的または下流の標的が、調節され得ない場合に、このアレイは、例えば、治療的介入のための代替の分子標的の選択を提供する。
【０３６２】
アレイはまた、正常細胞および異常細胞における１以上の遺伝子の異なる発現パターンを確認するのに有用である。このアレイは、診断または治療的介入のための分子標的として機能し得る１対の遺伝子（例えば、６９５８３または８５９２４が挙げられる）を提供する。
【０３６３】
本明細書で使用される場合、「標的配列」は、６以上のヌクレオチドの任意のＤＮＡ配列または２以上のアミノ酸の任意のアミノ酸配列であり得る。当業者は、標的配列が長くなるほど、標的配列は、データベースにおいてランダム発生として存在する可能性が低くなることを容易に理解しうる。標的配列の代表的な配列長さは、約１０〜約１００アミノ酸または約３０〜約３００ヌクレオチド残基である。しかし、遺伝子発現およびタンパク質処理に関連する商業的に重要なフラグメント（例えば、配列フラグメント）は、長さがより短いものであり得ることが十分に認識される。
【０３６４】
コンピューターソフトウェアは、公共的に利用可能であり、これは、当業者が、分析および他の配列との比較のためのコンピューター読取り媒体に提供された配列情報にアクセスすることを可能にする。種々の公知のアルゴリズムが、公共的に開示され、検索手段を実施するための種々の市販のソフトウェアが、本発明のコンピューターベースのシステムにおいて使用されており、そして使用され得る。このようなソフトウェアの例としては、ＭａｃＰａｔｔｅｒｎ（ＥＭＢＬ）、ＢＬＡＳＴＮおよびＢＬＡＳＴＸ（ＮＣＢＩ）が挙げられるが、これらに限定されない。
【０３６５】
従って、本発明は、６９５８３配列または８５９２４配列のコンピューター読取りマトリックス上の記録配列を含む配列のコンピューター読取り記録を作成するための方法を特徴とする。好ましい実施形態において、この記録は、以下の１以上を含む：ＯＲＦの同定；ドメイン、領域、または部位の同定；転写開始の同定；転写終末因子の同定；タンパク質の全長アミノ酸配列、またはその成熟形態；翻訳領域の５’末端。
【０３６６】
別の局面において、本発明は、配列を分析する方法を特徴とする。この方法は、以下の工程を包含する：コンピューター読み取り形態中の６９５８３または８５９２４の配列または記録を提供する工程；第２の配列と６９５８３または８５９２４の配列とを比較する工程；それによって、配列を分析する工程。比較は、配列と配列同一性とを比較する工程、または１つの配列が、他方の配列内に含まれるか否かを決定する工程（例えば、６９５８３または８５９２４の配列が、比較される配列を含むか否かを決定する工程）を包含し得る。好ましい実施形態において、６９５８３もしくは８５９２４の配列または第２の配列は、第１のコンピューター上（第１の部位に）保存され、比較が実施され、読取られ、または第２のコンピューター（例えば、第２の部位）に記録される。例えば、６９５８３もしくは８５９２４の配列または第２の配列は、１つのコンピューターにおける公共または専用のデータベースに保存され得、そして比較の結果が実施され、読取られ、または第２のコンピューター上に記録され得る。好ましい実施形態において、この記録は、以下の１以上を含み得る：ＯＲＦの同定；ドメイン、領域、または部位の同定；転写開始の同定；転写終結因子の同定；タンパク質の全長アミノ酸配列、またはその成熟形態；翻訳領域の５’末端。
【０３６７】
本発明は、以下の実施例（限定として解釈されるべきでない）によって実証される。
【実施例】
【０３６８】
（遺伝子発現分析）
全ＲＮＡを、製造者の指示書（ＴｅｌＴｅｓｔ，Ｉｎｃ）に従い、ＲＮＡ  ＳＴＡＴ−６０を用いて、単一工程抽出方法により種々のヒト組織から調製した。各ＲＮＡ調製物を、３７℃で１時間、ＤＮａｓｅ  Ｉ（Ａｍｂｉｏｎ）で処理した。ＤＮａｓｅ  Ｉ処理を測定し、サンプルが、内部増幅参照としてβ２ミクログロブリンを用いて、蛍光の閾値レベルにまで到達するように少なくとも３８回のＰＣＲ増幅サイクルを必要とする場合に完了した。ＤＮａｓｅ  Ｉ処理に続いてＲＮＡサンプルの完全性を、アガロースゲル電気泳動および臭化エチジウム染色により確認した。フェノール抽出後、ｃＤＮＡを、製造者の指示書（ＧｉｂｃｏＢＲＬ）に従ってＳＵＰＥＲＳＣＲＩＰＴＴＭＣｈｏｉｃｅ  Ｓｙｓｔｅｍを用いて、サンプルから調製した。逆転写酵素を含まないＲＮＡのネガティブコントロールを、各ＲＮＡサンプルについて擬似逆転写した。
【０３６９】
ヒト６９５８３発現またはヒト８５９２４発現を、種々の正常ヒト組織細胞株および罹患する（例えば、癌性）ヒト組織細胞株から調製されたｃＤＮＡ中でのＴａｑＭａｎ（登録商標）定量ＰＣＲ（Ｐｅｒｋｉｎ  Ｅｌｍｅｒ  Ａｐｐｌｉｅｄ  Ｂｉｏｓｙｓｔｅｍｓ）により測定した。
【０３７０】
プローブを、ヒト６９５８３遺伝子およびヒト８５９２４遺伝子の配列に基づいて、ＰｒｉｍｅｒＥｘｐｒｅｓｓソフトウェア（ＰＥ  Ｂｉｏｓｙｓｔｅｍｓ）により設計した。各ヒト６９５８３遺伝子およびヒト８５９２４遺伝子のプローブを、ＦＡＭ（６−カルボキシフルオレセイン）を用いて標識し、β２−ミクログロブリン参照プローブを、異なる蛍光染色、ＶＩＣを用いて標識した。標的遺伝子および内部参照遺伝子の差異的標識は、従って、同じウェルでの測定を可能にした。順方向プライマーおよび逆方向プライマーならびにβ２−ミクログロブリンおよび標的遺伝子の両方についてのプローブを、ＴａｑＭａｎ（登録商標）Ｕｎｉｖｅｒｓａｌ  ＰＣＲ  Ｍａｓｔｅｒ  Ｍｉｘ（ＰＥ  Ａｐｐｌｉｅｄ  Ｂｉｏｓｙｓｔｅｍｓ）に添加した。プライマーおよびプローブの最終濃度は変化し得たが、各々は、所定の実験では内部では一定であった。代表的な実験は、２００ｎＭの順方向プライマーおよび逆方向プライマー＋１００ｎＭのβ２−ミクログロブリンに対するプローブならびに６００ｎＭの順方向プライマーおよび逆方向プライマー＋２００ｎＭの標的遺伝子に対するプローブを含んだ。ＴａｑＭａｎマトリックス実験を、ＡＢＩ  ＰＲＩＳＭ  ７７００  Ｓｅｑｕｅｎｃｅ  Ｄｅｔｅｃｔｉｏｎ  Ｓｙｓｔｅｍ（ＰＥ  Ａｐｐｌｉｅｄ  Ｂｉｏｓｙｓｔｅｍｓ）上で実施した。熱サイクル条件は、以下の通りであった：５０℃で２分および９５℃で１０分保持し、ついで、２ステップＰＣＲを、９５℃で１５秒に続いて６０℃で１分を４０サイクル。
【０３７１】
以下の方法を使用して、同じ組織におけるβ２−ミクログロブリン発現に対する種々の組織におけるヒト６９５８３遺伝子発現およびヒト８５９２４遺伝子発現を定量的に計算した。閾値サイクル（Ｃｔ）値を、蛍光において統計学的に有意な増加が検出されるサイクルとして規定する。より低いＣｔ値は、より高いｍＲＮＡ濃度を示す。ヒト６９５８３遺伝子およびヒト８５９２４遺伝子のＣｔ値を、β２−ミクログロブリン遺伝子のＣｔ値を減算することによって正規化し、以下の式を用いてΔＣｔ値を得る：ΔＣｔ＝Ｃｔヒト５９９１４およびヒト５９９２１−Ｃｔβ２−ミクログロブリン。次いで、発現を、比較的低いレベルのヒト６９５８３遺伝子およびヒト８５９２４遺伝子の発現を示すｃＤＮＡサンプルに対して計算する。次いで、検定物質サンプルについてのΔＣｔ値を、以下の式に従って、各組織サンプルについてのΔＣｔから減算する：ΔΔＣｔ＝ΔＣｔ−サンプル−ΔＣｔ−検定物質。次いで、比較発現を、２−ΔΔＣｔで与えられる演算式を用いて計算する。次いで、試験した各々の組織における標的ヒト６９５８３遺伝子および標的ヒト８５９２４遺伝子の発現を、以下により議論されるように図表を用いて表わす。
【０３７２】
この結果は、正常腎臓サンプル、正常膵臓サンプル、肺腫瘍サンプルおよび卵巣腫瘍サンプルにおいてかなりの６９５８３発現を示し、ならびに結腸腫瘍サンプルおよび胸部腫瘍サンプルにおける中程度の発現を示す。さらに、この結果は、正常膵臓サンプル正常骨格筋サンプル、正常大脳皮質サンプル、正常視床下部サンプル、正常下垂体サンプル、前立腺腫瘍サンプル、肺腫瘍サンプルおよびうっ血性心不全サンプルにおいてかなりの８５９２４発現を示す。
【０３７３】
本願全体に引用される全ての参考文献、特許および公開特許出願の内容は、本明細書で参考として援用される。
【０３７４】
（等価物）
当業者は、本明細書に記載される本発明の特定の実施形態に対する多くの等価物を、わずかの定型の実験を用いて認識し、確認し得る。
【図面の簡単な説明】
【０３７５】
【図１】図１は、ヒト６９５８３のヒドロパシープロットを示す。比較的疎水性の残基を水平破線よりも上に示し、比較的親水性の残基は水平破線よりも下にある。システイン残基（ｃｙｓ）を、ヒドロパシートレースのすぐ下の短い垂直線によって示す。ヒト６９５８３のアミノ酸配列に対応する番号を示す。本発明のポリペプチドとしては、以下を含むフラグメントが挙げられる：疎水性配列（例えば、破線より上の配列）の全てもしくは一部（例えば、配列番号２の約アミノ酸３２９〜３３７、約３４５〜３５５、約３９１〜４００、約７２３〜７３８および約９０２〜９２０の配列）；親水性配列（例えば、破線より下の配列）の全てもしくは一部（例えば、配列番号２の約アミノ酸５０〜６１、約２２０〜２３１、約２９２〜３０２、約３８０〜３９０、約４１０〜４２２、約４３２〜４４５、約４５２〜４７０、約４９０〜５１１、約５３１〜５４５、約５６１〜５７１、約５８０〜５９１、約６０１〜６１１、約６４１〜６５１、約６５３〜６６１、約６７５〜６９１、約７５１〜７６１、約７６５〜７７５、約８８２〜９０１および約１００２〜１０１２の配列）；Ｃｙｓを含む配列、またはグルコシル化部位。
【図２】図２は、ヒト８５９２４のヒドロパシープロットを示す。比較的疎水性の残基を水平破線よりも上に示し、比較的親水性の残基は水平破線よりも下にある。システイン残基（ｃｙｓ）を、ヒドロパシートレースのすぐ下の短い垂直線によって示す。ヒト８５９２４のアミノ酸配列に対応する番号を示す。本発明のポリペプチドとしては、以下を含むフラグメントが挙げられる：疎水性配列（例えば、破線より上の配列）の全てもしくは一部（例えば、配列番号５のアミノ酸約３６１〜約３７１、約７２１〜約７３２、約７６１〜約７７１、約８２１〜約８４１、約９７０〜約９８２、約１３７５〜約１３９０、約１４３１〜約１４４５、および約２１２４〜約２１３４の配列）；親水性配列（例えば、破線より下の配列）の全てもしくは一部（例えば、配列番号５のアミノ酸約１８〜約３１、約１５１〜約１７１、約２１１〜約２３１、約４６５〜約４８１、約５４０〜約５５１、約５７０〜約５８２、約８６１〜約８７５、約１０５１〜約１０６５、約１１０１〜約１１２１、約１２００〜約１２１８、約１２８０〜約１３００、約１４１１〜約１４２５、約１５９１〜約１６０１、約１６２０〜約１６４０、約１６６１〜約１６７１、約１７４０〜約１７５５、約１８１２〜約１８４０、約１８８０〜約１８９１、約１９１１〜約１９２１、約１９７０〜約１９９０、約２０４０〜約２０５２、約２０８０〜約２０９１および約２１７０〜約２１８０の配列）；Ｃｙｓを含む配列、またはグルコシル化部位。
【国際公開パンフレット】
2005508168.tif 000004
2005508168.tif 000005
2005508168.tif 000006
2005508168.tif 000007
2005508168.tif 000008
2005508168.tif 000009
2005508168.tif 000010
2005508168.tif 000011
2005508168.tif 000012
2005508168.tif 000013
2005508168.tif 000014
2005508168.tif 000015
2005508168.tif 000016
2005508168.tif 000017
2005508168.tif 000018
2005508168.tif 000019
2005508168.tif 000020
2005508168.tif 000021
2005508168.tif 000022
2005508168.tif 000023
2005508168.tif 000024
2005508168.tif 000025
2005508168.tif 000026
2005508168.tif 000027
2005508168.tif 000028
2005508168.tif 000029
2005508168.tif 000030
2005508168.tif 000031
2005508168.tif 000032
2005508168.tif 000033
2005508168.tif 000034
2005508168.tif 000035
2005508168.tif 000036
2005508168.tif 000037
2005508168.tif 000038
2005508168.tif 000039
2005508168.tif 000040
2005508168.tif 000041
2005508168.tif 000042
2005508168.tif 000043
2005508168.tif 000044
2005508168.tif 000045
2005508168.tif 000046
2005508168.tif 000047
2005508168.tif 000048
2005508168.tif 000049
2005508168.tif 000050
2005508168.tif 000051
2005508168.tif 000052
2005508168.tif 000053
2005508168.tif 000054
2005508168.tif 000055
2005508168.tif 000056
2005508168.tif 000057
2005508168.tif 000058
2005508168.tif 000059
2005508168.tif 000060
2005508168.tif 000061
2005508168.tif 000062
2005508168.tif 000063
2005508168.tif 000064
2005508168.tif 000065
2005508168.tif 000066
2005508168.tif 000067
2005508168.tif 000068
2005508168.tif 000069
2005508168.tif 000070
2005508168.tif 000071
2005508168.tif 000072
2005508168.tif 000073
2005508168.tif 000074
2005508168.tif 000075
2005508168.tif 000076
2005508168.tif 000077
2005508168.tif 000078
2005508168.tif 000079
2005508168.tif 000080
2005508168.tif 000081
2005508168.tif 000082
2005508168.tif 000083
2005508168.tif 000084
2005508168.tif 000085
2005508168.tif 000086
2005508168.tif 000087
2005508168.tif 000088
2005508168.tif 000089
2005508168.tif 000090
2005508168.tif 000091
2005508168.tif 000092
2005508168.tif 000093
2005508168.tif 000094
2005508168.tif 000095
2005508168.tif 000096
2005508168.tif 000097
2005508168.tif 000098
2005508168.tif 000099
2005508168.tif 000100
2005508168.tif 000101
2005508168.tif 000102
2005508168.tif 000103
2005508168.tif 000104
2005508168.tif 000105
2005508168.tif 000106
2005508168.tif 000107
2005508168.tif 000108
2005508168.tif 000109
2005508168.tif 000110
2005508168.tif 000111
2005508168.tif 000112
2005508168.tif 000113
2005508168.tif 000114
2005508168.tif 000115
2005508168.tif 000116
2005508168.tif 000117
2005508168.tif 000118
2005508168.tif 000119
2005508168.tif 000120
2005508168.tif 000121
2005508168.tif 000122
2005508168.tif 000123
2005508168.tif 000124
2005508168.tif 000125
2005508168.tif 000126
2005508168.tif 000127
2005508168.tif 000128
2005508168.tif 000129
2005508168.tif 000130
2005508168.tif 000131
2005508168.tif 000132
2005508168.tif 000133
2005508168.tif 000134
2005508168.tif 000135
2005508168.tif 000136
2005508168.tif 000137
2005508168.tif 000138
2005508168.tif 000139
2005508168.tif 000140
2005508168.tif 000141
2005508168.tif 000142
2005508168.tif 000143
2005508168.tif 000144
2005508168.tif 000145
2005508168.tif 000146
2005508168.tif 000147
2005508168.tif 000148
2005508168.tif 000149
2005508168.tif 000150
2005508168.tif 000151
2005508168.tif 000152
2005508168.tif 000153
2005508168.tif 000154
2005508168.tif 000155
2005508168.tif 000156
2005508168.tif 000157
2005508168.tif 000158
【国際公開パンフレット（コレクトバージョン）】
2005508168.tif 000159
【国際調査報告】
2005508168.tif 000160
2005508168.tif 000161
2005508168.tif 000162